(57)【要約】【課題】払出モータとして小型のモータを採用することができる遊技機を提供する。【解決手段】電圧切替回路９５４ｄａへ制御信号を出力して駆動用電圧として＋１２Ｖを払出モータ８３９へ供給して払出モータ８３９の出力軸を回転駆動して遊技球を払い出している場合であって、払出モータ８３９の出力軸を停止させるときには、払出モータ８３９の出力軸を回転駆動して最後に払い出した遊技球が計数スイッチにより検出されるまでに要する時間が経過するまで払出モータ８３９の出力軸を回転駆動し続け、この時間が経過すると、これを契機として、電圧切替回路９５４ｄａへ制御信号を出力して駆動用電圧として＋１２Ｖから停止用電圧として＋５Ｖへ切り替えて払出モータ８３９へ供給するようになっている。【選択図】  図５６
2018086489.tif 000002
【特許請求の範囲】
【請求項１】
遊技球を払い出す払出装置に収容されるステッピングモータと、該ステッピングモータの出力軸の回転による払出制御を行う払出制御手段と、を備える遊技機であって、
前記遊技機は、
前記ステッピングモータの出力軸の回転が伝達されて回転することで遊技球を受け入れて下流側へ送り出すことができるスプロケットと、
該スプロケットの回転位置を検出することができる回転位置検出部と、
前記スプロケットにより送り出された遊技球を検出することができる球検出部と、
前記ステッピングモータの出力軸を回転駆動するための駆動用電圧と、当該ステッピングモータの出力軸を停止させた状態を維持するための電圧であって前記駆動用電圧と比べて電圧が低い停止用電圧と、を相互に切り替えることができる電圧切替制御部と、
各種信号を出力することができる出力回路と、
を備え、
前記出力回路には、システムリセット信号によりリセットされるリセット機能を有する出力回路があり、
前記払出制御手段は、
前記ステッピングモータの出力軸を回転駆動して遊技球を払い出すための駆動トルクを得る場合には前記駆動用電圧を当該ステッピングモータへ供給するために前記電圧切替制御部へ前記リセット機能を有する出力回路を介して制御信号を出力する一方、
前記ステッピングモータの出力軸を停止させた状態を維持するための静止トルクを得る場合には前記停止用電圧を当該ステッピングモータへ供給するために前記電圧切替制御部へ前記リセット機能を有する出力回路を介して制御信号を出力し、
前記電圧切替制御部へ前記リセット機能を有する出力回路を介して制御信号を出力して前記駆動用電圧を前記ステッピングモータへ供給して当該ステッピングモータの出力軸を回転駆動して前記スプロケットにより遊技球を送り出している場合であって、当該ステッピングモータの出力軸を停止させるときには、前記回転位置検出部からの検出信号に基づいて当該スプロケットの回転位置を特定して当該ステッピングモータの出力軸を予め定めた回転角度だけ回転駆動し続けることにより、当該スプロケットにより最後に送り出した遊技球が前記球検出部により検出されるまでに要する時間が経過し、これを契機として、当該電圧切替制御部へ当該リセット機能を有する出力回路を介して制御信号を出力して当該駆動用電圧から前記停止用電圧へ切り替えて当該ステッピングモータへ供給することを特徴とする遊技機。
【発明の詳細な説明】
【技術分野】
【０００１】
本発明は、遊技機に関するものである。
【背景技術】
【０００２】
従来より、待機位置と作動位置との間を往復移動する可動体をモータにより作動させる遊技機が提案されている（例えば、特許文献１）。
【先行技術文献】
【特許文献】
【０００３】
【特許文献１】特開２０１０−１１９６７０号公報（段落［００５６］、図１２、及び図１３）
【発明の概要】
【発明が解決しようとする課題】
【０００４】
ところで、最近の遊技機では、複数の可動体を遊技盤に備えることにより各可動体を作動させることで可動体による迫力ある演出を遊技者に提供している。このため、最近の遊技機では、各可動体を作動させるモータも遊技盤に複数設ける必要があり、遊技盤の奥行き方向の距離寸法が大きくならないように小型のモータを採用するとともに、各小型のモータを同一種類に統一することでコストを抑えている。
【０００５】
遊技盤のほかに、例えば遊技球を払い出す払出装置にも払出モータが備えられている。払出モータは、その出力軸の回転が賞球として遊技者に遊技球を払い出すスプロケットに伝達されるようになっており、払出制御基板（払出制御手段）により制御されている。
【０００６】
払出モータとして小型のモータを採用すると、小型のモータに電圧が印加されていない状態においては、極めて小さいトルクで小型のモータの出力軸を回転させることができる状態となるため、遊技球の自重によるスプロケットへの負荷により小型のモータの出力軸が回転することとなる。これを防止するために、小型のモータの出力軸を回転させていない状態においても、小型のモータの静止トルクを得るために、小型のモータに電圧を印加して電流を流す必要がある。
【０００７】
ところが、小型のモータに印加する電圧として低い電圧とすると、電力の消費を抑えることができるものの、これでは、小型のモータの駆動トルクが小さくなることにより、遊技球の自重によるスプロケットへの負荷がスプロケットを回転させる方向へ働いて、これにより発生するトルクに小型のモータの駆動トルクが負けるため、スプロケットを回転させることができなくなるし、これに対して、小型のモータに印加する電圧として高い電圧とすると、小型の払出モータの駆動トルクが大きくなることにより、遊技球の自重によるスプロケットへの負荷がスプロケットを回転させる方向へ働いても、これにより発生するトルクに小型のモータの駆動トルクが勝るため、小型のモータの出力軸の回転をスプロケットへ伝達させてスプロケットを回転させることができるものの、これでは、電力の消費を抑えることができなくなり、払出モータとして小型のモータを採用することが極めて困難であった。
【０００８】
本発明は、このような事情に鑑みてなされたものであり、その目的とするところは、払出モータとして小型のモータを採用することができる遊技機を提供することにある。
【課題を解決するための手段】
【０００９】
上述の目的を達成するための有効な解決手段を以下に示す。なお、必要に応じてその作用等の説明を行う。また、理解の容易のため、発明の実施の形態において対応する構成等についても適宜示すが、何ら限定されるものではない。
【００１０】
（解決手段１）
遊技球を払い出す小型のモータの出力軸の回転による払出制御を行う払出制御手段を備える遊技機であって、前記遊技機は、さらに、前記小型のモータの出力軸が回転されて払い出された遊技球を検出することができる球検出部と、前記小型のモータの出力軸を回転駆動するための駆動用電圧と、当該小型のモータの出力軸を停止させた状態を維持するための電圧であって前記駆動用電圧と比べて電圧が低い停止用電圧と、を相互に切り替えることができる電圧切替制御部と、を備え、前記払出制御手段は、前記小型のモータの出力軸を回転駆動して遊技球を払い出すための駆動トルクを得る場合には前記駆動用電圧を当該小型のモータへ供給するために前記電圧切替制御部へ制御信号を出力する一方、前記小型のモータの出力軸を停止させた状態を維持するための静止トルクを得る場合には前記停止用電圧を当該小型のモータへ供給するために前記電圧切替制御部へ制御信号を出力し、前記電圧切替制御部へ制御信号を出力して前記駆動用電圧を前記小型のモータへ供給して当該小型のモータの出力軸を回転駆動して遊技球を払い出している場合であって、当該小型のモータの出力軸を停止させるときには、当該小型のモータの出力軸を回転駆動して最後に払い出した遊技球が前記球検出部により検出されるまでに要する時間が経過するまで当該小型のモータの出力軸を回転駆動し続け、該時間が経過すると、これを契機として、当該電圧切替制御部へ制御信号を出力して当該駆動用電圧から前記停止用電圧へ切り替えて当該小型のモータへ供給することを特徴とする遊技機。
【００１１】
この遊技機では、遊技球を払い出す小型のモータの出力軸の回転による払出制御を行う払出制御手段を備えている。この遊技機では、さらに、電圧切替制御部、球検出部を備えている。球検出部は、小型のモータの出力軸が回転されて払い出された遊技球を検出することができるものである。電圧切替制御部は、小型のモータの出力軸を回転駆動するための駆動用電圧と、小型のモータの出力軸を停止させた状態を維持するための電圧であって駆動用電圧と比べて電圧が低い停止用電圧と、を相互に切り替えることができるものである。
【００１２】
払出制御手段は、小型のモータの出力軸を回転駆動して遊技球を払い出すための駆動トルクを得る場合には駆動用電圧を小型のモータへ供給するために電圧切替制御部へ制御信号を出力する一方、小型のモータの出力軸を停止させた状態を維持するための静止トルクを得る場合には停止用電圧を小型のモータへ供給するために電圧切替制御部へ制御信号を出力するようになっている。
【００１３】
また、払出制御手段は、電圧切替制御部へ制御信号を出力して駆動用電圧を小型のモータへ供給して小型のモータの出力軸を回転駆動して遊技球を払い出している場合であって、小型のモータの出力軸を停止させるときには、小型のモータの出力軸を回転駆動して最後に払い出した遊技球が球検出部により検出されるまでに要する時間が経過するまで小型のモータの出力軸を回転駆動し続け、この時間が経過すると、これを契機として、電圧切替制御部へ制御信号を出力して駆動用電圧から停止用電圧へ切り替えて小型のモータへ供給するようになっている。
【００１４】
このように、電圧切替制御部に入力される制御信号に基づいて、駆動用電圧を小型のモータへ供給することによって小型のモータの出力軸を回転駆動して遊技球を払い出すための駆動トルクを得ることができるとともに、停止用電圧を小型のモータへ供給することによって小型のモータの出力軸を停止させた状態を維持するための静止トルクを得ることができるようになっている。そして、電圧切替制御部へ制御信号を出力して駆動用電圧を小型のモータへ供給して小型のモータの出力軸を回転駆動して遊技球を払い出している場合であって、小型のモータの出力軸を停止させるときには、小型のモータの出力軸を回転駆動して最後に払い出した遊技球が球検出部により検出されるまでに要する時間が経過するまで小型のモータの出力軸を回転駆動し続け、この時間が経過すると、これを契機として、電圧切替制御部へ制御信号を出力して駆動用電圧から停止用電圧へ切り替えて小型のモータへ供給するようになっている。したがって、払出モータとして小型のモータを採用することができる。また、払出モータとして遊技盤に備える可動体を作動させる小型のモータと同一種類のものを採用することにより遊技機のコストを抑えることに寄与することもできる。
【００１５】
本実施形態では、例えば、図４８の払出モータ８３９が小型のモータに相当し、図４の払出制御基板ボックス９５０に収容された払出制御基板９５１が払出制御手段に相当し、図１のパチンコ遊技機１が遊技機に相当し、図４８の計数スイッチ８３８が球検出部に相当し、図５６の＋１２Ｖが駆動用電圧に相当し、図５６の＋５Ｖが停止用電圧に相当し、図５６の払出モータ駆動回路９５４ｄにおける電圧切替回路９５４ｄａが電圧切替制御部に相当し、電圧切替信号が制御信号に相当する。
【発明の効果】
【００１６】
本発明の遊技機においては、払出モータとして小型のモータを採用することができる。
【図面の簡単な説明】
【００１７】
【図１】本発明の一実施形態であるパチンコ遊技機の正面図である。
【図２】パチンコ遊技機の右側面図である。
【図３】パチンコ遊技機の平面図である。
【図４】パチンコ遊技機の背面図である。
【図５】パチンコ遊技機を前から見た斜視図である。
【図６】パチンコ遊技機を後ろから見た斜視図である。
【図７】本体枠から扉枠を開放させると共に、外枠から本体枠を開放させた状態で前から見たパチンコ遊技機の斜視図である。
【図８】パチンコ遊技機を扉枠、遊技盤、本体枠、及び外枠に分解して前から見た分解斜視図である。
【図９】パチンコ遊技機を扉枠、遊技盤、本体枠、及び外枠に分解して後ろから見た分解斜視図である。
【図１０】パチンコ遊技機における扉枠の正面図である。
【図１１】扉枠の背面図である。
【図１２】扉枠を右前から見た斜視図である。
【図１３】扉枠を左前から見た斜視図である。
【図１４】扉枠を後ろから見た斜視図である。
【図１５】扉枠を主な部材毎に分解して前から見た分解斜視図である。
【図１６】扉枠を主な部材毎に分解して後ろから見た分解斜視図である。
【図１７】扉枠の皿ユニットを前から見た斜視図である。
【図１８】皿ユニットを後ろから見た斜視図である。
【図１９】皿ユニットを主な部材毎に分解して前から見た分解斜視図である。
【図２０】皿ユニットを主な部材毎に分解して後ろから見た分解斜視図である。
【図２１】皿ユニットの演出操作ユニットを前から見た斜視図である。
【図２２】演出操作ユニットを後ろから見た斜視図である。
【図２３】演出操作ユニットを主な部材毎に分解して上から見た斜視図である。
【図２４】演出操作ユニットを主な部材毎に分解して下から見た分解斜視図である。
【図２５】演出操作ユニットの取付ベースユニットを分解して上から見た分解斜視図である。
【図２６】取付ベースユニットを分解して下から見た分解斜視図である。
【図２７】演出操作ユニットのタッチユニットを分解して上から見た分解斜視図である。
【図２８】タッチユニットを分解して下から見た分解斜視図である。
【図２９】演出操作ユニットのボタンユニットを分解して上から見た分解斜視図である。
【図３０】ボタンユニットを分解して下から見た分解斜視図である。
【図３１】皿ユニットの平面図である。
【図３２】図３１におけるＡーＡ断面において演出操作ユニットの部位を拡大して示す断面図である。
【図３３】図３１におけるＢ−Ｂ断面において演出操作ユニットの部位を拡大して示す断面図である。
【図３４】（ａ）は皿ユニットの扉右下演出ユニットの正面図であり、（ｂ）は扉右下演出ユニットの右側面図である。
【図３５】扉右下演出ユニットを前から見た斜視図である。
【図３６】扉右下演出ユニットを後ろから見た斜視図である。
【図３７】図３４（ｂ）の扉右下演出ユニットにおけるＣ−Ｃ断面図である。
【図３８】扉右下演出ユニットを分解して前から見た分解斜視図である。
【図３９】扉右下演出ユニットを分解して後ろから見た分解斜視図である。
【図４０】扉右下演出ユニットの回転体内部ユニットを分解して前から見た分解斜視図である。
【図４１】回転体内部ユニットを分解して後ろから見た分解斜視図である。
【図４２】（ａ）は扉右下演出ユニットの扉右下回転体が前を向いた状態の正面図であり、（ｂ）は扉右下回転体が後ろを向いた状態の正面図である。
【図４３】（ａ）は皿ユニットの上皿球抜きユニットを皿ユニットベースに取付けた状態で前から見た斜視図であり、（ｂ）は上皿球抜きユニットを皿ユニットベースに取付けた状態で後ろから見た斜視図である。
【図４４】上皿球抜きユニットを分解して前から見た分解斜視図である。
【図４５】上皿球抜きユニットを分解して後ろから見た分解斜視図である。
【図４６】（ａ）は皿ユニットの下皿球抜きユニットを前から見た斜視図であり、（ｂ）は下皿球抜きユニットを後ろから見た斜視図である。
【図４７】（ａ）は払出装置を正面上側から見た斜視図であり、（ｂ）は正面下側から見た斜視図である。
【図４８】払出装置を正面側から見た分解斜視図である。
【図４９】払出装置を背面側から見た分解斜視図である。
【図５０】払出装置の右側面図である。
【図５１】（ａ）は図５０のＸ−Ｘ線に沿って賞球表箱を切断した払出装置の正面側から見た非球抜き時における斜視図であり、（ｂ）は球抜き時における斜視図である。
【図５２】（ａ）は図５０のＹ−Ｙ線に沿って賞球裏箱を切断した払出装置の背面側から見た非球抜き時における斜視図であり、（ｂ）は球抜き時における斜視図である。
【図５３】（ａ）は図５０のＸ−Ｘ線に沿って賞球表箱を切断した払出装置の非球抜き時における正面図であり、（ｂ）は図５０のＹ−Ｙ線に沿って賞球裏箱を切断した払出装置の非球抜き時における背面図である。
【図５４】払出装置のメンテナンスの説明図である。
【図５５】払出制御基板のブロック図である。
【図５６】払出装置の払出モータに駆動信号を出力するための払出モータ駆動回路を示す回路図である。
【発明を実施するための形態】
【００１８】
［１．パチンコ遊技機の全体構造］
本発明の一実施形態である遊技機としてのパチンコ遊技機１について、図面を参照して詳細に説明する。まず、図１乃至図９を参照して本実施形態のパチンコ遊技機１の全体構成について説明する。図１は本発明の一実施形態であるパチンコ遊技機の正面図である。図２はパチンコ遊技機の右側面図であり、図３はパチンコ遊技機の平面図であり、図４はパチンコ遊技機の背面図である。図５はパチンコ遊技機を前から見た斜視図であり、図６はパチンコ遊技機を後ろから見た斜視図である。図７は本体枠から扉枠を開放させると共に、外枠から本体枠を開放させた状態で前から見たパチンコ遊技機の斜視図である。図８はパチンコ遊技機を扉枠、遊技盤、本体枠、及び外枠に分解して前から見た分解斜視図であり、図９はパチンコ遊技機を扉枠、遊技盤、本体枠、及び外枠に分解して後ろから見た分解斜視図である。
【００１９】
本実施形態のパチンコ遊技機１は、遊技ホールのパチンコ島設備（図示しない）に設置される枠状の外枠２と、外枠２の前面を開閉可能に閉鎖する扉枠３と、扉枠３を開閉可能に支持していると共に外枠２に開閉可能に取付けられている本体枠４と、本体枠４に前側から着脱可能に取付けられると共に扉枠３を通して遊技者側から視認可能とされ遊技者によって遊技球が打込まれる遊技領域５ａを有した遊技盤５と、を備えている。
【００２０】
パチンコ遊技機１の外枠２は、図８及び図９等に示すように、上下に離間しており左右に延びている上枠部材１０及び下枠部材２０と、上枠部材１０及び下枠部材２０の両端同士を連結しており上下に延びている左枠部材３０及び右枠部材４０と、を備えている。上枠部材１０、下枠部材２０、左枠部材３０、及び右枠部材４０は、前後の幅が同じ幅に形成されている。また、上枠部材１０及び下枠部材２０の左右の長さに対して、左枠部材３０及び右枠部材４０の上下の長さが、長く形成されている。
【００２１】
また、外枠２は、左枠部材３０及び右枠部材４０の下端同士を連結し下枠部材２０の前側に取付けられる幕板部材５０と、上枠部材１０の正面視左端部側に取付けられている外枠側上ヒンジ部材６０と、幕板部材５０の正面視左端側上部と左枠部材３０とに取付けられている外枠側下ヒンジ部材７０と、を備えている。外枠２の外枠側上ヒンジ部材６０と外枠側下ヒンジ部材７０とによって、本体枠４及び扉枠３が開閉可能に取付けられている。
【００２２】
パチンコ遊技機１の扉枠３は、正面視の外形が四角形で前後に貫通している貫通口１１１を有した枠状の扉枠ベースユニット１００と、扉枠ベースユニット１００の前面下部に取付けられ遊技球を貯留可能な上皿２０１及び下皿２０２を有した皿ユニット２００と、扉枠ベースユニット１００の前面上部に取付けられるトップユニット３５０と、扉枠ベースユニット１００の前面左部に取付けられる左サイドユニット４００と、扉枠ベースユニット１００の前面右部に取付けられる右サイドユニット４５０と、扉枠ベースユニット１００の前面右下部に皿ユニット２００を貫通して取付けられ上皿２０１に貯留された遊技球を遊技盤５の遊技領域内へ打込むために遊技者が操作可能なハンドルユニット５００と、扉枠ベースユニット１００の後面下部に取付けられ遊技領域内へ打ち損じた遊技球を受けて皿ユニット２００の下皿２０２へ排出するファールカバーユニット５２０と、扉枠ベースユニット１００の後面下部に取付けられ上皿２０１の遊技球を球発射装置６８０へ送るための球送りユニット５４０と、扉枠ベースユニット１００の後面に取付けられ貫通口１１１を閉鎖するガラスユニット５６０と、ガラスユニット５６０の後面下部を覆う防犯カバー５８０と、を備えている。
【００２３】
パチンコ遊技機１の本体枠４は、一部が外枠２の枠内に挿入可能とされると共に遊技盤５の外周を支持可能とされた枠状の本体枠ベース６００と、本体枠ベース６００の正面視左側の上下両端に取付けられ外枠２の外枠側上ヒンジ部材６０及び外枠側下ヒンジ部材７０に夫々回転可能に取付けられると共に扉枠３の扉枠側上ヒンジ部材１４０及び扉枠側下ヒンジ部材１５０が夫々回転可能に取付けられる本体枠側上ヒンジ部材６２０及び本体枠側下ヒンジ部材６４０と、本体枠ベース６００の正面視左側面に取付けられる補強フレーム６６０と、本体枠ベース６００の前面下部に取付けられており遊技盤５の遊技領域５ａ内に遊技球を打込むための球発射装置６８０と、本体枠ベースの正面視右側面に取付けられており外枠２と本体枠４、及び扉枠３と本体枠４の間を施錠する施錠ユニット７００と、本体枠ベース６００の正面視上辺及び左辺に沿って後側に取付けられており遊技者側へ遊技球を払出す逆Ｌ字状の払出ユニット８００と、本体枠ベース６００の後面下部に取付けられている基板ユニット９００と、本体枠ベース６００の後側に開閉可能に取付けられ本体枠ベース６００に取付けられた遊技盤５の後側を覆う裏カバー９８０と、を備えている。
【００２４】
本体枠４の払出ユニット８００は、本体枠ベース６００の後側に取付けられる逆Ｌ字状の払出ユニットベース８０１と、払出ユニットベース８０１の上部に取付けられており上方へ開放された左右に延びた箱状で図示しないパチンコ島設備から供給される遊技球を貯留する球タンク８０２と、球タンク８０２の下側で払出ユニットベース８０１に取付けられており球タンク８０２内の遊技球を正面視左方向へ誘導する左右に延びた２条の球誘導通路を有するタンクレール８０３と、払出ユニットベース８０１における正面視左側上部の後面に取付けられタンクレール８０３からの遊技球を蛇行状に下方へ誘導する２条の球誘導通路を有する球誘導ユニット８２０と、球誘導ユニット８２０の下側で払出ユニットベース８０１から着脱可能に取付けられており球誘導ユニット８２０の２条の球誘導通路により誘導されたそれぞれの遊技球を払出制御基板ボックス９５０に収容された払出制御基板９５１からの指示に基づいて１つずつ払出す払出装置８３０と、払出ユニットベース８０１の後面に取付けられ払出装置８３０によって払出された遊技球を下方へ誘導すると共に皿ユニット２００における上皿２０１での遊技球の貯留状態に応じて遊技球を通常放出口又は満タン放出口の何れかから放出させる上部満タン球経路ユニット８５０と、払出ユニットベース８０１の下端に取付けられ上部満タン球経路ユニット８５０の通常放出口から放出された遊技球を前方へ誘導して前端から扉枠３の貫通球通路５２６へ誘導する通常誘導路及び満タン放出口から放出された遊技球を前方へ誘導して前端から扉枠３の満タン球受口５２８へ誘導する満タン誘導路を有した下部満タン球経路ユニット８６０と、を備えている。なお、球誘導ユニット８２０に形成される２条の球誘導通路内には、遊技球の有無を検出する球切れスイッチ８２１が設けられている。
【００２５】
また、本体枠４の払出ユニット８００は、本体枠ベース６００の後側に取付けられており払出装置８３０から球抜きされた遊技球をパチンコ遊技機１の外部へ排出するための球排出通路８６５と、本体枠ベース６００の後側に取付けられており本体枠ベース６００の後側に取付けられるロック部材８７０と、を備えている。なお、球タンク８０２内の遊技球は、２条の球誘導通路を有するタンクレール８０３、そして２条の球誘導通路を有する球誘導ユニット８２０を通って、払出装置８３０に流入する。そして、２条で払出装置８３０に流入した遊技球を賞球として払い出す場合には２条で流入した遊技球を１つずつ１条として払出して上部満タン球経路ユニット８５０に流入させる一方、２条で払出装置８３０に流入した遊技球を払出装置８３０から球抜きする場合には２条で流入した遊技球を１条として球排出通路８６５を通過させてパチンコ遊技機１の外部へ排出させる。（パチンコ遊技機１の外部へ排出された遊技球は、図示しないパチンコ島設備に設置される球揚送装置へ供給されるようになっている）。このように、本実施形態における払出装置８３０においては、２条１条変換という機能も有している。
【００２６】
本体枠４の基板ユニット９００は、本体枠ベース６００の後側に取付けられる基板ユニットベース９１０と、基板ユニットベース９１０の正面視左側で本体枠ベース６００の後側に取付けられ内部に低音スピーカを有したスピーカユニット９２０と、基板ユニットベース９１０の後側で正面視右側に取付けられ内部に電源基板９３１が収容されている電源基板ボックス９３０と、スピーカユニット９２０の後側に取付けられており内部にインターフェイス制御基板が収容されているインターフェイス制御基板ボックス９４０と、電源基板ボックス９３０及びインターフェイス制御基板ボックス９４０に跨って取付けられており内部に遊技球の払出しを制御する払出制御基板９５１が収容された払出制御基板ボックス９５０と、を備えている。
【００２７】
なお、払出制御基板９５１には、各種機能を兼用する操作スイッチ９５２、パチンコ遊技機１の状態を表示するエラーＬＥＤ表示器９５３等が実装されている。操作スイッチ９５２の操作部は、払出制御基板ボックス９５０から露出されており、遊技ホールの店員等の係員により操作されるようになっている。これに対して、エラーＬＥＤ表示器９５３は、払出制御基板ボックス９５０から露出されていない。遊技ホールの店員等の係員は、払出制御基板ボックス９５０を構成する透明なカバー体を通してエラーＬＥＤ表示器９５３に表示される内容を視認することができるようになっている。
【００２８】
操作スイッチ９５２は、電源投入時において払出制御基板９５１のマイクロプロセッサに内蔵されるＲＡＭと、遊技盤５に備える主制御基板ボックスに収容される遊技の進行を制御する図示しない主制御基板のマイクロプロセッサに内蔵されるＲＡＭをクリアする場合に操作されたり、電源投入後においてエラーＬＥＤ表示器９５３によりエラー報知されている際に、そのエラーを解除するために操作されたりするようになっており、電源投入時におけるＲＡＭクリアを行う機能と、電源投入後（ＲＡＭクリアとして機能を奏する期間を経過した後）におけるエラー解除を行う機能と、を有している。
【００２９】
パチンコ遊技機１の遊技盤５は、図８及び図９等に示すように、遊技球が打込まれる遊技領域５ａの外周を区画し球発射装置６８０から発射された遊技球を遊技領域５ａの上部に案内する案内レール１００１を有した前構成部材１０００と、前構成部材１０００の後側に取付けられると共に遊技領域５ａの後端を区画する平板状の遊技パネル１１００と、遊技パネル１１００の後側の下部に取付けられており上方に開放された箱状の基板ホルダ１２００と、基板ホルダ１２００の後側に取付けられておりパチンコ遊技機１の遊技を制御するための主制御基板を内部に収容した主制御基板ボックス１３００と、遊技パネル１１００の前側で遊技領域５ａ内に取付けられ遊技領域５ａ内に打込まれた遊技球を受入可能な複数の入賞口を有した表ユニット（図示は省略）と、基板ホルダ１２００の上側で遊技パネル１１００の後側に取付けられ遊技パネル１１００を通して遊技者側から視認可能な液晶表示装置を有した裏ユニット（図示は省略）と、を備えている。
【００３０】
本実施形態のパチンコ遊技機１は、上皿２０１に遊技球を貯留した状態で、遊技者がハンドルレバー５０４を回転操作すると、球発射装置６８０によってハンドルレバー５０４の回転角度に応じた強さで遊技球が遊技盤５の遊技領域５ａ内へ打込まれる。そして、遊技領域５ａ内に打込まれた遊技球が、図示しない入賞口に受入れられると、受入れられた入賞口に応じて、所定数の遊技球が払出装置８３０によって上皿２０１に払出される。この遊技球の払出しによって遊技者の興趣を高めることができるため、上皿２０１内の遊技球を遊技領域５ａ内へ打込ませることができ、遊技者に遊技を楽しませることができる。
【００３１】
［２．扉枠の全体構成］
パチンコ遊技機１の扉枠３について、図１０乃至図１６を参照して説明する。図１０はパチンコ遊技機における扉枠の正面図であり、図１１は扉枠の背面図である。図１２は扉枠を右前から見た斜視図であり、図１３は扉枠を左前から見た斜視図であり、図１４は扉枠を後ろから見た斜視図である。図１５は扉枠を主な部材毎に分解して前から見た分解斜視図であり、図１６は扉枠を主な部材毎に分解して後ろから見た分解斜視図である。
【００３２】
扉枠３は、正面視の外形が四角形で枠状の扉枠ベースユニット１００と、扉枠ベースユニット１００の前面下部に取付けられる皿ユニット２００と、扉枠ベースユニット１００の前面上部に取付けられるトップユニット３５０と、扉枠ベースユニット１００の前面左部に取付けられる左サイドユニット４００と、扉枠ベースユニット１００の前面右部に取付けられる右サイドユニット４５０と、扉枠ベースユニット１００の前面右下部に皿ユニット２００を貫通して取付けられるハンドルユニット５００と、を備えている。
【００３３】
また、扉枠３は、扉枠ベースユニット１００の後面下部に取付けられるファールカバーユニット５２０と、扉枠ベースユニット１００の後面下部に取付けられる球送りユニット５４０と、扉枠ベースユニット１００の後面に取付けられ貫通口１１１を閉鎖するガラスユニット５６０と、ガラスユニット５６０の後面下部を覆う防犯カバー５８０と、を備えている。
【００３４】
扉枠３の扉枠ベースユニット１００は、図１５及び図１６に等に示すように、外形が縦長の長方形で前後に貫通している貫通口１１１を有した板状の扉枠ベース１１０と、扉枠ベース１１０の前面で正面視右下隅に取付けられておりハンドルユニット５００を取付けるための筒状のハンドル取付部材１２０と、扉枠ベース１１０の後側に取付けられている枠状の補強ユニット１３０と、補強ユニット１３０の正面視左端側の上下両端に取付けられており前方へ突出して本体枠４の本体枠側上ヒンジ部材６２０及び本体枠側下ヒンジ部材６４０に回転可能に取付けられる扉枠側上ヒンジ部材１４０及び扉枠側下ヒンジ部材１５０と、扉枠ベース１１０の後側に回動可能に取付けられておりガラスユニット５６０を着脱可能に取付けるためのガラスユニット取付部材１６０と、を備えている。
【００３５】
扉枠３の皿ユニット２００は、詳細は後述するが、上下に列設されており前方へ膨出しており遊技球を貯留可能な上皿２０１及び下皿２０２と、上皿２０１及び下皿２０２が取付けられていると共に扉枠ベースユニット１００の前面に取付けられる板状の皿ユニットベース２１０と、上皿２０１の前側で皿ユニットベース２１０に取付けられ画像を表示可能な上皿液晶表示装置２４４、遊技者が操作可能なタッチパネル２４６及び上皿演出ボタン２５７を有している演出操作ユニット２２０と、上皿２０１及び下皿２０２を前側から覆う皿ユニットカバー２６０と、正面視上皿２０１の右側に配置されており遊技状態に応じて回転する扉右下回転体２７０Ａを有している扉右下演出ユニット２７０と、扉右下演出ユニット２７０を前側から覆う透明な演出ユニットカバー３００と、上皿２０１に貯留されている遊技球を下皿２０２へ抜くための上皿球抜きユニット３１０と、下皿２０２に貯留されている遊技球を下方へ抜くための下皿球抜きユニット３２０と、遊技ホールのパチンコ島設備においてパチンコ遊技機１と隣接して設置される球貸機（図示は省略する。ＣＲユニットとも称す）を操作するための球貸操作ユニット３３０と、皿ユニットベース２１０の上部に取付けられており発光装飾可能な上皿トップ装飾部材３４０と、を主に備えている。
【００３６】
扉枠３のトップユニット３５０は、図１５及び図１６等に示すように、扉枠ベースユニット１００の前面において上辺に沿って取付けられる一部が透光性を有したユニットベース３６０と、ユニットベース３６０の前面で左右の中央に取付けられており前方へ膨出している透光性を有したトップ装飾部材３７０と、トップ装飾部材３７０内に取付けられており高音域のサウンドを出力するトップスピーカ（図示は省略）と、ユニットベース３６０の後側に取付けられており前面に複数のＬＥＤが取付けられている扉枠上装飾基板３８０と、を備えている。
【００３７】
扉枠３の左サイドユニット４００は、図１５及び図１６等に示すように、扉枠ベースユニット１００の前面で貫通口１１１の左側外周縁に沿って取付けられる平板状のユニットベース４１０と、ユニットベース４１０の前面に取付けられており上端がトップユニット３５０のトップ装飾部材３７０の左端まで延びている透光性を有した左サイド装飾部材４２０と、左サイド装飾部材４２０の前側で正面視扉枠３の左上隅となる位置に取付けられており左スピーカ（図示は省略）を有した左スピーカユニット４３０と、ユニットベース４１０の後側に取付けられており前面に複数のＬＥＤが取付けられた扉枠左装飾基板４４０と、を備えている。
【００３８】
扉枠３の右サイドユニット４５０は、図１５及び図１６等に示すように、扉枠ベースユニット１００の前面で貫通口１１１の右側外周縁に沿って取付けられる平板状のユニットベース４６０と、ユニットベース４６０の前側に取付けられており上端がトップユニット３５０のトップ装飾部材３７０の右端まで延びている透光性を有した右サイド装飾部材４７０と、右サイド装飾部材４７０の前面で正面視扉枠３の右上隅となる位置に取付けられており右スピーカ（図示は省略）を有した右スピーカユニット４８０と、ユニットベース４６０と右サイド装飾部材４７０との間に取付けられており前面に複数のＬＥＤが取付けられた扉枠右装飾基板（図示は省略）と、を備えている。
【００３９】
扉枠３のハンドルユニット５００は、図１５及び図１６等に示すように、扉枠ベースユニット１００のハンドル取付部材１２０に取付けられるハンドル本体５０２と、ハンドル本体５０２に回動可能に取付けられており遊技者が回動操作可能なハンドルレバー５０４と、ハンドルレバー５０４の前側からハンドル本体５０２に取付けられておりハンドル本体５０２と協働してハンドルレバー５０４を回動可能に支持しているハンドルカバー５０６と、を備えている。また、ハンドルユニット５００は、図示は省略するが、ハンドル本体５０２内に取付けられておりハンドルレバー５０４の回転角度を検知するハンドル操作センサと、ハンドル本体５０２に取付けられており遊技者が操作可能なストップボタンと、ハンドル本体５０２内に取付けられており遊技者とハンドルレバー５０４との接触を検知する接触検知センサと、を備えている。
【００４０】
扉枠３のファールカバーユニット５２０は、図１５及び図１６等に示すように、扉枠ベースユニット１００の後側に取付けられ前側が開放された浅い箱状のユニット本体５２２と、ユニット本体５２２の前面に取付けられている平板状の蓋部材５２４と、を主に備えている。ファールカバーユニット５２０は、正面視左上隅において前後に貫通しており本体枠４の下部満タン球経路ユニット８６０の通常誘導路と皿ユニット２００の上皿球供給口２１０ａとを連通させる貫通球通路５２６と、貫通球通路５２６の正面視右側で後方へ向かって開口しており本体枠４の下部満タン球経路ユニット８６０の満タン誘導路と連通可能な満タン球受口５２８と、満タン球受口５２８の正面視右側で上方へ向かって開口しており本体枠４の球発射装置６８０により発射されにも関わらず遊技領域５ａ内へ到達しなかった遊技球（ファール球）を受けるファール球受口５３０と、正面視右下隅で前方へ向かって開口しており満タン球受口５２８及びファール球受口５３０に受入れられた遊技球を放出すると共に皿ユニット２００の下皿球供給口２１０ｃと連通する球放出口５３２と、を備えている。
【００４１】
扉枠３の球送りユニット５４０は、図１５及び図１６等に示すように、左右に延びており後側が開放された箱状のユニット本体５４２と、ユニット本体５４２の後側に取付けられており前側が開放された箱状でファールカバーユニット５２０の正面視右側で扉枠ベースユニット１００の後側に着脱可能に取付けられるユニットカバー５４４と、前方へ向かって開口しており皿ユニット２００の上皿２０１に貯留されている遊技球が進入する球進入口５４６と、球進入口５４６に進入した遊技球を放出可能とされており後方へ向かって開口している球放出口５４８と、球進入口５４６に進入した遊技球を排出可能とされており球進入口５４６の下側で前方へ向かって開口している球排出口５５０と、を備えている。また、球送りユニット５４０は、図示は省略するが、球進入口５４６から進入した遊技球を一つずつ球放出口５４８から放出させるための球送りソレノイドと、球進入口５４６から進入した遊技球を球放出口５４８側又は球排出口５５０側の何れかに切換える切換機構と、を備えている。
【００４２】
扉枠３のガラスユニット５６０は、図１５及び図１６等に示すように、扉枠ベースユニット１００の貫通口１１１よりも大きい枠状のユニット枠５６２と、ユニット枠５６２の前後両側に取付けられておりユニット枠５６２の枠内を閉鎖する一対のガラス板５６４と、を備えている。
【００４３】
［２−１．皿ユニットの全体構成］
扉枠３の皿ユニット２００について、図１７乃至図３３を参照して詳細に説明する。図１７は扉枠の皿ユニットを前から見た斜視図であり、図１８は皿ユニットを後ろから見た斜視図である。図１９は皿ユニットを主な部材毎に分解して前から見た分解斜視図であり、図２０は皿ユニットを主な部材毎に分解して後ろから見た分解斜視図である。図２１は皿ユニットの演出操作ユニットを前から見た斜視図であり、図２２は演出操作ユニットを後ろから見た斜視図である。図２３は演出操作ユニットを主な部材毎に分解して上から見た斜視図であり、図２４は演出操作ユニットを主な部材毎に分解して下から見た分解斜視図である。図２５は演出操作ユニットの取付ベースユニットを分解して上から見た分解斜視図であり、図２６は取付ベースユニットを分解して下から見た分解斜視図である。
【００４４】
また、図２７は演出操作ユニットのタッチユニットを分解して上から見た分解斜視図であり、図２８はタッチユニットを分解して下から見た分解斜視図である。図２９は演出操作ユニットのボタンユニットを分解して上から見た分解斜視図であり、図３０はボタンユニットを分解して下から見た分解斜視図である。図３１は皿ユニットの平面図であり、図３２は図３１におけるＡーＡ断面において演出操作ユニットの部位を拡大して示す断面図であり、図３３は図３１におけるＢ−Ｂ断面において演出操作ユニットの部位を拡大して示す断面図である。
【００４５】
更に、図３４（ａ）は皿ユニットの扉右下演出ユニットの正面図であり、（ｂ）は扉右下演出ユニットの右側面図であり、図３５は扉右下演出ユニットを前から見た斜視図であり、図３６は扉右下演出ユニットを後ろから見た斜視図である。図３７は、図３４（ｂ）の扉右下演出ユニットにおけるＣ−Ｃ断面図である。図３８は扉右下演出ユニットを分解して前から見た分解斜視図であり、図３９は扉右下演出ユニットを分解して後ろから見た分解斜視図である。図４０は扉右下演出ユニットの回転体内部ユニットを分解して前から見た分解斜視図であり、図４１は回転体内部ユニットを分解して後ろから見た分解斜視図である。図４２（ａ）は扉右下演出ユニットの扉右下回転体が前を向いた状態の正面図であり、（ｂ）は扉右下回転体が後ろを向いた状態の正面図である。
【００４６】
また、図４３（ａ）は皿ユニットの上皿球抜きユニットを皿ユニットベースに取付けた状態で前から見た斜視図であり、（ｂ）は上皿球抜きユニットを皿ユニットベースに取付けた状態で後ろから見た斜視図である。図４４は上皿球抜きユニットを分解して前から見た分解斜視図であり、図４５は上皿球抜きユニットを分解して後ろから見た分解斜視図である。また、図４６（ａ）は皿ユニットの下皿球抜きユニットを前から見た斜視図であり、（ｂ）下皿球抜きユニットを分解して前から見た分解斜視図である。
【００４７】
皿ユニット２００は、扉枠ベースユニット１００から前方へ膨出している。この皿ユニット２００は、払出装置８３０から払出され遊技領域５ａ内に打込むための遊技球を貯留する上皿２０１と、上皿２０１の下側に配置されており上皿２０１から供給される遊技球を貯留可能な下皿２０２と、を備えている。また、皿ユニット２００は、扉枠ベースユニット１００に取付けられる平板状の皿ユニットベース２１０と、皿ユニットベース２１０の前面上部に取付けられると共に左右中央より左側が前方へ大きく膨出しており上皿２０１を形成している上皿本体２１２と、皿ユニットベース２１０の前面下部で左右中央に取付けられると共に前方へ大きく膨出しており下皿２０２を形成している下皿本体２１４と、を備えている。
【００４８】
また、皿ユニット２００は、上皿本体２１２の前側及び皿ユニットベース２１０の前面に取付けられる演出操作ユニット２２０と、上皿本体２１２、下皿本体２１４、及び演出操作ユニットの前側及び下側を覆い皿ユニットベース２１０の前面に取付けられる皿ユニットカバー２６０と、演出操作ユニット２２０の右側に配置されており皿ユニットベース２１０の前面右部に取付けられる扉右下演出ユニット２７０と、扉右下演出ユニット２７０の前側を覆い皿ユニットベース２１０の前面に取付けられる演出ユニットカバー３００と、皿ユニットベース２１０を前後から挟むように取付けられており上皿本体２１２の上皿２０１内に貯留されている遊技球を下皿２０２へ抜き取るための上皿球抜きユニット３１０と、下皿本体２１４の下側に取付けられており下皿２０２に貯留されている遊技球を下方へ排出するための下皿球抜きユニット３２０と、を備えている。
【００４９】
更に、皿ユニット２００は、演出操作ユニット２２０の上面に取付けられており遊技ホールのパチンコ島設備においてパチンコ遊技機１と隣接して配置される球貸機を操作するための球貸操作ユニット３３０と、皿ユニットベース２１０の上部に取付けられており発光装飾可能な上皿トップ装飾部材３４０と、皿ユニットカバー２６０の後側で皿ユニットベース２１０の前面左側に取付けられており前方へ向かって光を照射可能な複数のＬＥＤを備えている皿ユニット左装飾基板３４５と、演出ユニットカバー３００の後側且つ扉右下演出ユニット２７０の下側で皿ユニットベース２１０の前面右側に取付けられており前方へ向かって光を照射可能な複数のＬＥＤを備えている皿ユニット右装飾基板３４６と、皿ユニットベース２１０の後側に取付けられており後述する上皿前装飾基板２３３、上皿後装飾基板２３５、上皿液晶基板２４１、加振装置２４２、タッチパネル２４６、演出ボタン装飾基板２５１、演出ボタン押圧センサ２５８、扉右下中継基板２８１、皿ユニット左装飾基板３４５、及び皿ユニット右装飾基板３４６と遊技盤５の図示しない周辺制御基板との接続を中継する皿ユニット中継基板３４７と、を備えている。
【００５０】
［２−１ａ．皿ユニットベース］
皿ユニット２００の皿ユニットベース２１０は、図１９及び図２０に示すように、扉枠ベースユニット１００の全幅に亘って左右に長く延びている。皿ユニットベース２１０は、正面視左上隅付近で前後に貫通していると共に後方へ筒状に延びている上皿球供給口２１０ａと、上皿球供給口２１０ａの下側で前後に貫通していると共に上下に延びている複数の長穴からなるスピーカスリット２１０ｂと、正面視左右中央の下部において前後に貫通していると共に後方へ筒状に延びている下皿球供給口２１０ｃと、下皿球供給口２１０ｃの正面視右上側で前後に貫通していると共に上下に延びており上部が上皿本体２１２の右端に位置する上皿球送り口２１０ｄと、を備えている。
【００５１】
また、皿ユニットベース２１０は、上皿球送り口２１０ｄの正面視左側で前後に貫通している内周が四角形の透口２１０ｅと、透口２１０ｅの下辺から前方へ板状に突出している受片２１０ｆと、上皿球送り口２１０ｄの正面視右上側で前後に貫通している逃し口２１０ｇと、正面視右下隅で前後に貫通しており扉枠ベースユニット１００のハンドル取付部材１２０が挿通されるハンドル挿通口２１０ｈと、正面視右隅付近で前後に貫通しており施錠ユニット７００の鍵シリンダ７１０が挿通されるシリンダ挿通口２１０ｉと、筒状の下皿球供給口２１０ｃの正面視右側の側面において後端から前方へ向かって切欠かれている切欠部２１０ｊと、を備えている。
【００５２】
［２−１ｂ．上皿本体］
皿ユニット２００の上皿本体２１２は、図１９及び図２０に示すように、正面視左右の中央より左側の方が大きく前方へ膨出しており、上方及び後方へ開放された容器状に形成されている。上皿本体２１２は、正面視右端側に左方及び後方へのみ開放されており遊技球が流通可能な誘導通路部２１２ａを備えている。この上皿本体２１２は、底面が全体的に右端が低くなるように傾斜している。詳述すると、上皿本体２１２を皿ユニットベース２１０に取付けた状態で、上皿本体２１２の底面が、上皿球供給口２１０ａの下側の位置から上皿球送り口２１０ｄの上端から遊技球の外径よりも若干下側の位置へ向かって低くなるように傾斜している。これにより、上皿球供給口２１０ａから前方へ放出された遊技球を、上皿本体２１２内に受けて貯留することができると共に、受けた遊技球を誘導通路部２１２ａの右端側から上皿球送り口２１０ｄへ供給することができる。
【００５３】
また、上皿本体２１２は、底面の後端側で左右の中央から右端付近まで延びている金属製のアース金具２１２ｂを備えている。このアース金具２１２ｂは、図示は省略するが、電気的に接地（アース）されており、遊技球が接触することで、遊技球に帯電した静電気を除去することができる。
【００５４】
［２−１ｃ．下皿本体］
皿ユニット２００の下皿本体２１４は、図１９及び図２０に示すように、前端辺に対して後端辺が長い平面視台形で、上方及び後方が開放された容器状に形成されている。下皿本体２１４は、底面に上下に貫通しており下皿球抜きユニット３２０によって閉鎖可能とされている球抜き孔２１４ａを備えており、球抜き孔２１４ａへ向かって低くなるように底面が傾斜している。この下皿本体２１４は、皿ユニットベース２１０の下皿球供給口２１０ｃから前方へ放出された遊技球を受けて貯留することができると共に、球抜き孔２１４ａから遊技球を皿ユニット２００の下方へ排出することができる。
【００５５】
［２−１ｄ．演出操作ユニットの全体構成］
皿ユニット２００の演出操作ユニット２２０は、図２１乃至図２４に示すように、正面視左右の中央で皿ユニットベース２１０及び上皿本体２１２に取付けられる取付ベースユニット２２０Ａと、取付ベースユニット２２０Ａに取付けられるタッチユニット２２０Ｂと、タッチユニット２２０Ｂの正面視左側で取付ベースユニット２２０Ａに取付けられるボタンユニット２２０Ｃと、タッチユニット２２０Ｂと取付ベースユニット２２０Ａとの間に介装される円筒状の複数のダンパ２２２と、タッチユニット２２０Ｂ及びボタンユニット２２０Ｃの外周を上側から覆うように取付ベースユニット２２０Ａに取付けられるユニットカバー２２４と、取付ベースユニット２２０Ａの正面視右端に取付けられる装飾部材２２６と、を備えている。
【００５６】
演出操作ユニット２２０のダンパ２２２は、円筒状に形成されており、外周面における軸方向の中央に溝２２２ａが全周に亘って形成されている。本実施形態におけるダンパ２２２は、合成ゴムによって形成されている。複数のダンパ２２２によって、タッチユニット２２０Ｂが叩かれた時の衝撃を緩和させて取付ベースユニット２２０Ａや皿ユニットベース２１０側へ作用する負荷（衝撃）を低減させることができると共に、タッチユニット２２０Ｂの後述する加振装置２４２による振動が、取付ベースユニット２２０Ａや皿ユニットベース２１０側へ伝達されるのを低減させることができる。
【００５７】
［２−１ｄ−１．取付ベースユニット］
演出操作ユニット２２０の取付ベースユニット２２０Ａは、図２３乃至図２６に示すように、皿ユニットベース２１０の前面に取付けられ上方が開放された浅い箱状の取付ベース２３０と、取付ベース２３０の上側に取付けられると共に後端が上皿本体２１２の前端に取付けられ上側からタッチユニット２００Ｂを収容可能な上方が開放された浅い箱状のユニットケース２３１と、ユニットケース２３１の前端に取付けられる横長の上皿前レンズ部材２３２と、上皿前レンズ部材２３２とユニットケース２３１との間に配置され前面に複数のＬＥＤを備えた上皿前装飾基板２３３と、上皿前レンズ部材２３２の前側を覆いユニットカバー２２４に取付けられる透光性を有した上皿前装飾部材２３４と、を備えている。
【００５８】
また、取付ベースユニット２２０Ａは、ユニットケース２３１の後端に取付けられており上方へ向かって光を照射可能な複数のＬＥＤを備えた上皿後装飾基板２３５と、上皿後装飾基板２３５の上側に配置されユニットカバー２２４に取付けられる透光性を有した上皿後装飾部材２３６と、上皿後装飾部材２３６の前側においてユニットカバー２２４とユニットケース２３１とによって挟持され上皿後装飾基板２３５からの光を導いて上端が線状に発光可能な線状発光レンズ部材２３７と、上皿後装飾部材２３６の正面視右側でユニットカバー２２４に取付けられる筒状のボタン取付部材２３８と、ボタン取付部材２３８によって上下にスライド可能に取付けられる上皿球抜きボタン２３９と、を備えている。
【００５９】
取付ベース２３０は、前後の略中央から前側に、前方へ向かうに従って低くなるように傾斜している平板状の取付側受部２３０ａと、取付側受部２３０ａを貫通しており左右に離間した二つの貫通口２３０ｂと、貫通口２３０ｂの周縁から下方へ延出している筒状の筒状受部２３０ｃと、を備えている。貫通口２３０ｂは、内周が四角形に形成されている。筒状受部２３０ｃは、下方へ向かうに従って窄まるように角錐筒状に形成されている（図３３を参照）。詳述すると、筒状受部２３０ｃは、前側の内周壁が取付側受部２３０ａの面に対して略垂直に延びており、後側の内周壁が取付側受部２３０ａの面に対して下方へ向かうに従って前方へ向かうように傾斜して延びている。また、筒状受部２３０ｃは、左右両側の内周壁が取付側受部２３０ａの面の垂直に対して下端（先端）同士が僅かに接近するように傾斜して延びている。
【００６０】
ユニットケース２３１は、上方へ開放されておりタッチユニット２２０Ｂを収容可能な収容凹部２３１ａと、収容凹部２３１ａの底面の正面視左右両端付近から夫々前後に離間して一対ずつ上方へ円柱状に突出している横支持ピン２３１ｂと、収容凹部２３１ａの底面の前端付近から左右に離間して上方へ円柱状に突出している一対の前支持ピン２３１ｃと、収容凹部２３１ａにおいて底面の前後端側の左右中央から上方へ突出している中央支持突起２３１ｄと、収容凹部２３１ａの底面の下側から下方へ向かうに従って窄まるように角錐状に突出しており左右に離間した二つの受突部２３１ｅと、を備えている。
【００６１】
また、ユニットケース２３１は、収容凹部２３１ａよりも正面視左側で上下に円形に貫通しておりボタンユニット２２０Ｃの下部が挿通される挿通孔２３１ｆと、上面における挿通孔２３１ｆの周りに配置されておりボタンユニット２２０Ｃを取付けるためのボタンユニット取付部２３１ｇと、収容凹部２３１ａの後側の外周壁において左右に延びていると共に上端から下方へ窪み線状発光レンズ部材２３７の線状発光部２３７ｂが配置される切欠部２３１ｈと、を備えている。
【００６２】
ユニットケース２３１の収容凹部２３１ａは、平面視の形状が、左右に延びた四角形と、その四角形の左右両辺から外側へ突出した台形とを組合せた形状に形成されている。また、収容凹部２３１ａは、左右両側の台形の部位の底面に対して、四角形の部位の底面が、下方へ低く形成されている。この収容凹部２３１ａの底面の段差は、ダンパ２２２の高さ（軸方向の長さ）よりも若干低く形成されている。
【００６３】
四つの横支持ピン２３１ｂは、収容凹部２３１ａにおける台形の部位の底面から上方へ突出しており、筒状のダンパ２２２内へ挿入可能に形成されている。また、横支持ピン２３１ｂは、上端側に、上端側へ向かうに従って直径が小さくなる円錐台状のテーパ部２３１ｉを備えている（図３２を参照）。横支持ピン２３１ｂは、収容凹部２３１ａの底面からテーパ部２３１ｉの中間までの距離が、ダンパ２２２の長さと同じとされており、全体がダンパ２２２よりも長く形成されている。一対の前支持ピン２３１ｃは、筒状のダンパ２２２内へ挿入可能とされており、ダンパ２２２の半分の長さよりも若干長く形成されている。
【００６４】
中央支持突起２３１ｄの上端は、収容凹部２３１ａにおける台形の部位の底面と同じ高さまで突出している。受突部２３１ｅは、外周が四角形の円錐台状に形成されている。二つの受突部２３１ｅは、取付ベース２３０の二つの貫通口２３０ｂと対応した位置に形成されている。受突部２３１ｅは、前側の外周壁が収容凹部２３１ａの底面に対して略垂直に延びており、後側の外周壁が収容凹部２３１ａの底面に対して下方へ向かうに従って前方へ向かうように傾斜して延びている。また、受突部２３１ｅは、左右両側の外周壁が収容凹部２３１ａの面の垂直に対して下端（先端）同士が僅かに接近するように傾斜して延びている。受突部２３１ｅの外周壁の形状は、取付ベース２３０の筒状受部２３０ｃの内周壁の形状と対応している。この受突部２３１ｅは、組立てた状態で、下端が取付ベース２３０の貫通口２３０ｂ内に挿入されると共に、筒状受部２３０ｃの内周壁との間に僅かな隙間が形成される。
【００６５】
上皿前装飾部材２３４は、皿ユニット２００が組立てられた状態で、前面が外部に露出する。上皿後装飾基板２３５は、上皿後装飾部材２３６を発光装飾させるための複数の装飾用ＬＥＤ２３５ａと、線状発光レンズ部材２３７を発光装飾させるための複数の周縁用ＬＥＤ２３５ｂと、を備えている。
【００６６】
線状発光レンズ部材２３７は、上皿後装飾部材２３６よりも左右が長く形成されており、上皿後装飾基板２３５の複数の周縁用ＬＥＤ２３５ｂの上側に配置される受光部２３７ａと、受光部２３７ａと連続しユニットケース２３１の切欠部２３１ｈに嵌め込まれる平板状の線状発光部２３７ｂと、を備えている。線状発光レンズ部材２３７は、線状発光部２３７ｂをユニットケース２３１の切欠部２３１ｈに嵌め込むことで、線状発光部２３７ｂの前面が収容凹部２３１ａの内周壁の一部を形成する。また、線状発光レンズ部材２３７は、皿ユニット２００が組立てられた状態で、線状発光部２３７ｂの上端が外部に露出する。この線状発光レンズ部材２３７は、周縁用ＬＥＤ２３５ｂからの光を受光部２３７ａで受光することができ、受光部２３７ａで受光した光を線状発光部２３７ｂへ導光して線状発光部２３７ｂの上端全体を（線状に）発光させることができる。
【００６７】
上皿球抜きボタン２３９は、ボタン取付部材２３８によって上下にスライド可能に取付けられ、ボタン取付部材２３８よりも下方へ延出している延出片２３９ａを備えている。この上皿球抜きボタン２３９を下方へ押圧することで、上皿球抜きユニット３１０を動作させて上皿２０１内に貯留されている遊技球を、上皿２０１から下皿２０２へ排出する（抜く）ことができる。
【００６８】
取付ベースユニット２２０Ａは、四つの横支持ピン２３１ｂと二つの前支持ピン２３１ｃに夫々挿入されたダンパ２２２によって、タッチユニット２２０Ｂを弾性的に支持することができる。また、タッチユニット２２０Ｂが取付けられるユニットケース２３１の下方へ突出している二つの受突部２３１ｅの外周面と、ユニットケース２３１の下側で受突部２３１ｅの下端が挿入されている取付ベース２３０の筒状受部の内周面との間に僅かな隙間を形成している。これにより、タッチユニット２２０Ｂ側からユニットケース２３１が下方へ移動するような力（衝撃）が作用した時に、その力が直ちに取付ベース２３０の取付側受部２３０ａに伝達されず、ユニットケース２３１の収容凹部２３１ａの底面が下方へある程度撓んで受突部２３１ｅの下端の外周面が筒状受部２３０ｃの内周面に当接することで、取付ベース２３０側へ力が伝達される。つまり、ユニットケース２３１から取付ベース２３０へ力を伝達させる際に、ユニットケース２３１が撓むため、その撓みによって力をある程度減衰させて取付ベース２３０へ伝達させることができる。
【００６９】
また、ユニットケース２３１の受突部２３１ｅ及び取付ベース２３０の筒状受部２３０ｃは、それらが形成されている面（タッチユニット２２０Ｂの上面と平行な面）に対して傾斜した外周面及び内周面を備えているため、受突部２３１ｅから筒状受部２３０ｃへ伝達される力の一部が、筒状受部２３０ｃが備えられている取付側受部２３０ａの底面に沿った方向へ作用する。これにより、受突部２３１ｅ（ユニットケース２３１）側からの力が分散し、取付ベース２３０に対して一方向へ大きな力が作用するのを回避させることができ、取付ベース２３０が破損し難くなる。
【００７０】
［２−１ｄ−２．タッチユニット］
演出操作ユニット２２０のタッチユニット２２０Ｂは、図２７及び図２８に示すように、上方が開放された浅い箱状の下ケース２４０と、下ケース２４０内に上側から取付けられる上皿液晶基板２４１と、下ケース２４０内において上皿液晶基板２４１の左右両外側に配置される一対の加振装置２４２と、一対の加振装置２４２及び上皿液晶基板２４１の上側を覆うと共に下ケース２４０に取付けられ上方が開放された浅い箱状のベース部材２４３と、ベース部材２４３内に上側から挿入され上皿液晶基板２４１によって制御され画像を表示可能な上皿液晶表示装置２４４と、上皿液晶表示装置２４４の外周を覆う薄い金属板からなる枠状のアース金具２４５と、アース金具２４５及び上皿液晶表示装置２４４の上面を覆う透明なタッチパネル２４６と、タッチパネル２４６の外周を上側から覆いベース部材２４３を通して下ケース２４０に取付けられる枠状の上カバー２４７と、を備えている。
【００７１】
また、タッチユニット２２０Ｂは、下ケース２４０、ベース部材２４３及び上カバー２４７を組立てた状態で、それらの後端面において、下ケース２４０の下端から上カバー２４７の上端まで上下に延びていると共に、下ケース２４０等の後端面の左右の略全長に亘って延びており、下ケース２４０、ベース部材２４３及び上カバー２４７の後端面に貼付けられている防水性を有したシート状の防水シール２４８を備えている。
【００７２】
下ケース２４０は、外形がユニットケース２３１の収容凹部２３１ａの内形と対応しており、収容凹部２３１ａ内に収容可能に形成されている。下ケース２４０は、左右に延びた長方形状の基板取付部２４０ａと、基板取付部２４０ａの左右両側から夫々台形に突出している平板状の突出部２４０ｂと、各突出部２４０ｂをダンパ２２２の外径と同じ内形で上下に貫通していると共に一部が左右方向外側へ開放されており前後に離間して形成された一対のダンパ取付凹部２４０ｃと、ダンパ取付凹部２４０ｃの内周面から突出しているフランジ部２４０ｄと、突出部２４０ｂにおける一対のダンパ取付凹部２４０ｃの間で基板取付部２４０ａ寄りに配置され加振装置２４２が取付けられる加振装置取付部２４０ｅと、を備えている。
【００７３】
下ケース２４０のダンパ取付凹部２４０ｃは、平面視の形状がＣ字状に形成されており、Ｃ字の開放されている側からダンパ２２２を挿入させることができる。また、フランジ部２４０ｄは、ダンパ取付凹部２４０ｃの上下の略中央で、ダンパ取付凹部２４０ｃのＣ字状の内周面の全周に亘って備えられている。このフランジ部２４０ｄは、ダンパ２２２の溝２２２ａ内に挿入可能とされている。
【００７４】
加振装置２４２は、小型の加振駆動モータ２４２ａと、加振駆動モータ２４２ａの回転軸に重心が偏芯して取付けられる錘２４２ｂと、を備えている。この加振装置２４２は、加振駆動モータ２４２ａによって錘２４２ｂを回転させることで、振動を発生させることができる。
【００７５】
ベース部材２４３は、上皿液晶表示装置２４４が上側から挿入され浅い箱状に形成された液晶取付凹部２４３ａと、液晶取付凹部２４３ａの左右両側から外方へ延出している延出部２４３ｂと、延出部２４３ｂの先端で下ケース２４０のダンパ取付凹部２４０ｃと対応する位置で上下に貫通しており上側が大径に座グリされたネジ孔２４３ｃと、ネジ孔２４３ｃの下端側に形成されており下端へ向かうに従って直径が大きくなるＣ面取り状のテーパ部２４３ｄ（図３２を参照）と、を備えている。
【００７６】
ベース部材２４３のネジ孔２４３ｃの下側の内径は、ユニットケース２３１における横支持ピン２３１ｂのテーパ部２３１ｉよりも先端側が通過することができると共に、テーパ部２３１ｉよりも基端側（下側）が通過することができない大きさに形成されている。
【００７７】
タッチパネル２４６は、衝撃に強く割れ難い強化ガラスと、強化ガラスの上面に備えられた静電容量方式の透明なセンサシート２４６ｂと、強化ガラス及びセンサシートの外周を覆う枠状の保護カバー２４６ｃと、を備えている。
【００７８】
タッチユニット２２０Ｂは、下ケース２４０の左右に夫々一対ずつ備えられたダンパ取付凹部２４０ｃ内に、Ｃ字の開放されている側からダンパ２２２を挿入して、ダンパ２２２を取付けることができる。この際に、ダンパ取付凹部２４０ｃの内周面から突出しているフランジ部２４０ｄが、ダンパ２２２の溝２２２ａ内に挿入される。これにより、ダンパ取付凹部２４０ｃ内のダンパ２２２が、軸方向へ移動するのが規制される。ダンパ取付凹部２４０ｃにダンパ２２２を取付けた状態では、ダンパ２２２の上端がベース部材２４３の延出部２４３ｂの下面に当接すると共に、ダンパ２２２の下端が下ケース２４０の下端（下面）よりも下方へ突出する。
【００７９】
また、タッチユニット２２０Ｂは、一対の加振装置２４２の加振駆動モータ２４２ａが、下ケース２４０とベース部材２４３との間に挟持されている。一対の加振装置２４２は、夫々独立して振動を発生させることができる。
【００８０】
また、タッチユニット２２０Ｂは、タッチパネル２４６を通して上皿液晶表示装置２４４に表示される画像を上側から視認することができる。そして、上皿液晶表示装置２４４にボタン等の画像を表示させ、遊技者がその画像のボタンを操作するようにタッチパネル２４６に触れることで、画像のボタンを操作することができる。
【００８１】
更に、タッチユニット２２０Ｂは、後側の外周面に防水シール２４８が貼付けられているため、皿ユニット２００上で飲み物等の液体をこぼした時に、その液体がタッチユニット２２０Ｂ内に浸入するのを防止することができ、タッチユニット２２０Ｂが液体の浸入によって破損するのを防止することができる。
【００８２】
［２−１ｄ−３．ボタンユニット］
演出操作ユニット２２０のボタンユニット２２０Ｃは、図２９及び図３０に示すように、取付ベースユニット２２０Ａにおけるユニットケース２３１のボタンユニット取付部２３１ｇに取付けられる円筒状のユニット本体２５０と、ユニット本体２５０の下側に配置され上面にＬＥＤが備えられた演出ボタン装飾基板２５１と、演出ボタン装飾基板２５１の下側を覆いユニット本体２５０の下側に取付けられる基板カバー２５２と、を備えている。
【００８３】
また、ボタンユニット２２０Ｃは、ユニット本体２５０内に上側から上下へスライド可能に挿入される筒状のボタンベース２５３と、ボタンベース２５３とユニット本体２５０との間に配置されボタンベース２５３を上方へ付勢するバネ部材２５４と、ボタンベース２５３内に挿入され演出ボタン装飾基板２５１のＬＥＤからの光を上方へ導くことが可能な導光部材２５５と、導光部材２５５の上側に配置され複数の微小なプリズムを備えたシート状の拡散レンズ部材２５６と、拡散レンズ部材２５６の上側を覆いボタンベース２５３に取付けられる透光性を有した上皿演出ボタン２５７と、演出ボタン装飾基板２５１の上面に取付けられておりボタンベース２５３の下降端への移動を検知する演出ボタン押圧センサ２５８と、を備えている。
【００８４】
ユニット本体２５０は、外周面の下端から外方へ延出しボタンユニット取付部２３１ｇに取付けられる三つの取付片２５０ａと、内周面の下端から内方へ延出しているフランジ状の棚部２５０ｂと、内周面に沿って棚部２５０ｂを貫通している一対の貫通口２５０ｃと、を備えている。
【００８５】
ボタンベース２５３は、棚部２５０ｂの内周に挿入される筒状の下筒部２５３ａと、下筒部２５３ａの上端から上方へ向かうに従って直径が大きくなる円錐筒状の上筒部２５３ｂと、上筒部２５３ｂの上端から下方へ延出しており下端がユニット本体２５０の貫通口２５０ｃを貫通可能とされていると共に下端から外方へ突出しユニット本体２５０の下面と係合（当接）可能な爪を有する一対の係合爪部２５３ｃと、上筒部２５３ｂの外周面から上端の外径よりも短く外方へ放射状に突出しており下端がユニット本体２５０の棚部２５０ｂの上面と当接可能な複数の平板状の当接片２５３ｄと、下筒部２５３ａ及び上筒部２５３ｂの外周面から外方へ平板状に延出しており演出ボタン押圧センサ２５８に検知される検知片２５３ｅと、を備えている。
【００８６】
バネ部材２５４は、図示するように、コイルバネとされている。このバネ部材２５４は、下端がユニット本体２５０の棚部２５０ｂの上面に当接され、上端がボタンベース２５３における複数の当接片２５３ｄによって支持される。
【００８７】
導光部材２５５は、ボタンベース２５３における上筒部２５３ｂの上部に嵌め込まれる円盤状の本体部２５５ａと、本体部２５５ａの下面から下方へボタンベース２５３の下筒部２５３ａの下端付近まで延びている円柱状の複数の導光部２５５ｂと、を備えている。複数の導光部２５５ｂは、演出ボタン装飾基板２５１のＬＥＤと対応するように備えられており、ＬＥＤからの光を導いて本体部２５５ａの上面全体から放出させることができる。
【００８８】
このボタンユニット２２０Ｃは、ボタンベース２５３、導光部材２５５、拡散レンズ部材２５６、及び上皿演出ボタン本体が一体的に組立てられており、それらが一緒にユニット本体２５０内を上下にスライドすることができる。これらボタンベース２５３等は、バネ部材２５４の付勢力によって、上皿演出ボタン２５７の上面がユニット本体２５０の上端よりも上方へ突出すると共に、ボタンベース２５３の一対の係合爪部２５３ｃがユニット本体２５０の下面と係合することで、これ以上の上昇が規制され、上皿演出ボタン２５７等が上昇端に位置した状態となる。
【００８９】
バネ部材２５４の付勢力に抗して上皿演出ボタン２５７を下方へ押圧すると、上皿演出ボタン２５７等が下降し、ボタンベース２５３の検知片２５３ｅが、演出ボタン押圧センサ２５８によって検知され、上皿演出ボタン２５７の押圧操作が検知される。上皿演出ボタン２５７の押圧により、ボタンベース２５３が下降すると、ボタンベース２５３の複数の当接片２５３ｄの下端が、ユニット本体２５０の棚部２５０ｂの上面に当接し、これ以上の下降が規制され、上皿演出ボタン２５７等が下降端に位置した状態となる。
【００９０】
また、ボタンユニット２２０Ｃは、演出ボタン装飾基板２５１のＬＥＤを発光させることで、上皿演出ボタン２５７を発光装飾させることができる。演出ボタン装飾基板２５１のＬＥＤは、フルカラーＬＥＤとされており、上皿演出ボタン２５７を様々な色に発光装飾させることができる。
【００９１】
［２−１ｄ−４．演出操作ユニットの特徴］
本実施形態の演出操作ユニット２２０は、図３２に示すように、組立てた状態で、タッチユニット２２０Ｂの下ケース２４０のダンパ取付凹部２４０ｃに取付けられたダンパ２２２の下端が、下ケース２４０の下面よりも下方へ突出していることから、取付ベースユニット２２０Ａのユニットケース２３１の収容凹部２３１ａの底面と、タッチユニット２２０Ｂの下ケース２４０の下面との間に、隙間が形成される。また、ユニットケース２３１の四つの横支持ピン２３１ｂの先端面（上端面）は、ベース部材２４３のネジ孔２４３ｃの座グリの底面と一致しており、横支持ピン２３１ｂに対するタッチユニット２２０Ｂの上方へ移動が、横支持ピン２３１ｂの上端にねじ込まれたビス２２７の頭部の平座金によって規制されている。また、横支持ピン２３１ｂの上端側に形成されたテーパ部２３１ｉと、ベース部材２４３のネジ孔２４３ｃの下端側に形成されたテーパ部２４３ｄとは、互いに離間している。
【００９２】
また、演出操作ユニット２２０は、図３３に示すように、ユニットケース２３１の前支持ピン２３１ｃに挿入されているダンパ２２２の上面は、収容凹部２３１ａの底面における横支持ピン２３１ｂ側の底面よりも若干上方へ突出している。また、ユニットケース２３１の収容凹部２３１ａの底面と、下ケース２４０の下面との間に隙間が形成されていることから、ユニットケース２３１の前支持ピン２３１ｃに挿入されたダンパ２２２の上面と、下ケース２４０の下面との間にも隙間が形成されている。また、ユニットケース２３１の中央支持突起２３１ｄの上面と下ケース２４０の下面との間にも隙間が形成されている。つまり、タッチユニット２２０Ｂは、左右両側の横支持ピン２３１ｂに挿入されたダンパ２２２によって、下面が宙に浮いた状態で取付ベースユニット２２０Ａに取付けられている。
【００９３】
更に、演出操作ユニット２２０は、取付ベースユニット２２０Ａの取付ベース２３０における下方へ窄まる角錐筒状の筒状受部２３０ｃ内に、上側からタッチユニット２２０Ｂが取付けられているユニットケース２３１における下方へ窄まる角錐状の受突部２３１ｅの下端が挿入されている。この筒状受部２３０ｃの内周壁と、受突部２３１ｅの外周壁との間には、僅かな隙間が形成されている。これにより、通常の状態では、取付ベース２３０には、ユニットケース２３１の内側（収容凹部２３１ａの中央側）が宙に浮いた状態で、ユニットケース２３１の外周付近のみが取付けられている。
【００９４】
また、演出操作ユニット２２０は、図２１等に示すように、タッチユニット２２０Ｂにおいて遊技領域５ａに近い後側の辺に沿って線状発光レンズ部材２３７の線状発光部２３７ｂの上端が線状（帯状）に露出している。線状発光部２３７ｂの上端の長さは、タッチユニット２２０Ｂの後辺の長さの約２／３である。このタッチユニット２２０Ｂの後辺に沿って露出している線状発光部２３７ｂの上端の後側に、上皿後装飾部材２３６が配置されている。また、上皿後装飾部材２３６の正面視右側に、上皿球抜きボタン２３９が配置されている。更に、タッチユニット２２０Ｂの正面視左側に、ボタンユニット２２０Ｃが配置されている。
【００９５】
この演出操作ユニット２２０は、遊技領域５ａ内に遊技球を打込むことで変化する遊技状態に応じて、遊技者に対して様々な演出を提示することができる。例えば、タッチユニット２２０Ｂの上皿液晶表示装置２４４に画像を表示させることで、透明なタッチパネル２４６を通して画像（演出画像）を遊技者に提示して楽しませることができる。
【００９６】
この上皿液晶表示装置２４４に表示される画像として、操作ボタンを模した画像を表示させると共に、タッチパネル２４６のセンサシート２４６ｂによるタッチの検知を受付可能とすることで、遊技者に対して画像の操作ボタンを操作させることができ、タッチパネル２４６を用いた演出を楽しませることができる。タッチパネル２４６を用いた演出の際に上皿液晶表示装置２４４に表示される画像は、操作ボタンに限定するものではなく、様々な画像を表示させることができる。
【００９７】
また、演出操作ユニット２２０では、タッチユニット２２０Ｂを複数のダンパ２２２によってユニットケース２３１から浮いた状態で支持しているため、遊技状態に応じて加振装置２４２を動作させることで、タッチユニット２２０Ｂを振動させることができる。タッチパネル２４６を用いた演出の際に、加振装置２４２によってタッチパネル２４６（タッチユニット２２０Ｂ）を振動させることで、加振装置２４２による振動をタッチパネル２４６に接触している遊技者の指や手等に伝達させて、遊技者に対して画像の操作ボタンを操作しているにも関わらず恰も実体のある操作ボタンを操作しているように錯覚させて驚かせることができ、タッチパネル２４６と振動による演出を遊技者に楽しませて興趣が低下するのを抑制することができる。
【００９８】
更に、演出操作ユニット２２０では、タッチユニット２２０Ｂの正面視左側にボタンユニット２２０Ｃを備えているため、遊技状態に応じて遊技者に上皿演出ボタン２５７を押圧操作させて、上皿演出ボタン２５７の操作を楽しませることができる。詳述すると、タッチパネル２４６における画像の操作ボタンでは、タッチパネル２４６に触れるだけであるため実際の操作ボタンと比較して操作感に欠ける嫌いがあるが、上皿演出ボタン２５７では現実に押圧操作することができるため、上皿演出ボタン２５７の操作に違和感を与えてしまうことがなく、上皿演出ボタン２５７の操作を快適に楽しませることができ、遊技に対する興趣が低下するのを抑制することができる。
【００９９】
この演出操作ユニット２２０は、前方へ膨出している皿ユニット２００において上皿２０１が備えられている部位に配置されているため、タッチユニット２２０Ｂやボタンユニット２２０Ｃを用いた演出中以外においても、遊技者をタッチユニット２２０Ｂ等を上から叩く虞がある。これに対して、演出操作ユニット２２０では、タッチユニット２２０Ｂをダンパ２２２によって下側のユニットケース２３１から浮いた状態で支持しているため、タッチユニット２２０Ｂが上から叩かれても、ダンパ２２２の弾性力によってその衝撃をある程度吸収することができる。詳述すると、タッチユニット２２０Ｂが叩かれたり等して上から衝撃（荷重）が作用すると、左右の横支持ピン２３１ｂが挿入されているダンパ２２２に伝達され、タッチユニット２２０Ｂが下降しながらダンパ２２２が圧縮される。横支持ピン２３１ｂに支持されたダンパ２２２が圧縮されることで、タッチユニット２２０Ｂからの衝撃が吸収される。
【０１００】
そして、更に、衝撃によってタッチユニット２２０Ｂが下降すると、下ケース２４０の下面が前支持ピン２３１ｃが挿入されているダンパ２２２の上端に当接し、タッチユニット２２０Ｂの下降に伴って前支持ピン２３１ｃに支持されているダンパ２２２が下方へ圧縮される。これにより、横支持ピン２３１ｂに支持されているダンパ２２２に加えて、前支持ピン２３１ｃに支持されているダンパ２２２によっても、タッチユニット２２０Ｂからの衝撃が吸収される。
【０１０１】
タッチユニット２２０Ｂに作用する衝撃によってタッチユニット２２０Ｂが更に下降すると、タッチユニット２２０Ｂの下ケース２４０の下面がユニットケース２３１における収容凹部２３１ａの左右両側の底面と中央支持突起２３１ｄの上面とに当接する。これにより、タッチユニット２２０Ｂからの衝撃が、複数のダンパ２２２介さず、タッチユニット２２０Ｂからユニットケース２３１へ直接作用することとなる。
【０１０２】
更に、タッチユニット２２０Ｂが下降すると、中央支持突起２３１ｄからの荷重によってユニットケース２３１の収容凹部２３１ａの底面が、その中央が下方へ移動するように撓むこととなる。この収容凹部２３１ａの底面の撓みによる弾性力によって、タッチユニット２２０Ｂからの衝撃が吸収される。この収容凹部２３１ａの底面が撓むことで、収容凹部２３１ａの底面の下側から下方へ突出している一対の受突部２３１ｅが下降する。そして、タッチユニット２２０Ｂからの衝撃によって受突部２３１ｅが更に下降すると、受突部２３１ｅの外周壁の下端側が、取付ベース２３０の筒状受部２３０ｃの内周壁に当接し、タッチユニット２２０Ｂからの衝撃が、ユニットケース２３１から取付ベース２３０へ伝達されることとなる。
【０１０３】
受突部２３１ｅの外周壁と筒状受部２３０ｃの内周壁は、夫々が下方へ窄まる角錐状に形成さていることから、受突部２３１ｅから筒状受部２３０ｃ（取付ベース２３０側）へ伝達される荷重が、取付ベース２３０の取付側受部２３０ａの底面に沿った方向と底面に垂直な方向とに分散されて伝達される。このように、タッチユニット２２０Ｂに作用した衝撃が、取付ベース２３０に伝達されるまでに、その衝撃を吸収する構成が幾重にも配置されているため、タッチユニット２２０Ｂに作用した衝撃を十分に吸収して緩和させることができ、その衝撃によって、タッチユニット２２０Ｂ、ユニットケース２３１、取付ベース２３０等を破損し難くすることができる。
【０１０４】
また、演出操作ユニット２２０は、遊技状態に応じて上皿後装飾基板２３５の周縁用ＬＥＤ２３５ｂによりタッチユニット２２０Ｂの後側の外周縁に沿って延びている線状発光レンズ部材２３７の線状発光部２３７ｂの上端を線状に発光させることができる。これにより、遊技者の関心をタッチユニット２２０Ｂへ引付けることができ、タッチユニット２２０Ｂにおける上皿液晶表示装置２４４に表示される画像や、タッチパネル２４６を用いたタッチ演出等を楽しませて興趣が低下するのを抑制することができる。
【０１０５】
また、遊技状態に応じて、上皿後装飾基板２３５の装飾用ＬＥＤ２３５ａによりタッチユニット２２０Ｂの後側（線状発光部２３７ｂよりも後側）に配置されている上皿後装飾部材２３６を発光装飾させることができる。この上皿後装飾部材２３６を発光装飾させることで、線状発光レンズ部材２３７の線状発光部２３７ｂの発光と同様に、遊技者の関心をタッチユニット２２０Ｂ等の演出操作ユニット２２０へ引付けることができ、演出操作ユニット２２０によって提示される演出を楽しませて興趣が低下するのを抑制することができる。
【０１０６】
更に、上皿液晶基板２４１や上皿液晶表示装置２４４を備えたタッチユニット２２０Ｂを、取付ベースユニット２２０Ａの取付ベース２３０とユニットケース２３１とによって、皿ユニットカバー２６０の後述する上皿下被覆部２６２の上面よりも高い位置に配置していると共に、タッチユニット２２０Ｂの後側の外周面に防水シール２４８を貼付けている。これにより、上皿２０１において、外気に触れることで上皿本体２１２や遊技球の表面で結露した水（水滴）が、上皿２０１の下方（上皿下被覆部２６２上）へ流動しても、タッチユニット２２０Ｂ内へ結露した水が浸入するのを防止することができ、タッチユニット２２０Ｂにおいて不具合が発生するのを防止することができる。
【０１０７】
また、図３３に示すように、上皿後装飾部材２３６や線状発光レンズ部材２３７を発光装飾させる上皿後装飾基板２３５を、上皿２０１の底面よりも高い位置に配置しているため、上皿２０１で結露した水滴にさらされることがなく、上皿後装飾基板２３５においてショートや腐蝕等の不具合が発生するのを防止することができる。
【０１０８】
［２−１ｅ．皿ユニットカバー］
皿ユニット２００の皿ユニットカバー２６０は、図１７乃至図２０に示すように、左右に延びていると共に、左右の中央が前方へ膨出しており、後方へ開放された殻状に形成されている。皿ユニットカバー２６０は、左右の略中央で前方へ開口しており後端が皿ユニットベース２１０によって閉鎖される下皿開口部２６１と、下皿開口部２６１の内周壁における天板側（上側）を形成しており上皿本体２１２及び演出操作ユニット２２０の下側を覆う上皿下被覆部２６２と、下皿開口部２６１の正面視左側に配置されており本体枠４のスピーカユニット９２０の低音スピーカからの音を透過させるスピーカグリル２６３と、スピーカグリル２６３の上側に配置され皿ユニット左装飾基板３４５によって発光装飾される皿ユニット左装飾部材２６４と、下皿開口部２６１の正面視右側に配置されておりハンドルユニット５００のハンドル本体５０２の後部が通過するハンドル口２６５と、皿ユニットカバー２６０の底面を形成しており下皿本体２１４の下側を覆う底板部２６６と、左右の中央で底板部２６６を上下に貫通しており下皿球抜きユニット３２０によって閉鎖される底板開口部２６７と、を備えている。
【０１０９】
下皿開口部２６１は、内周壁の底板側（下側）が下皿本体２１４によって閉鎖される。スピーカグリル２６３及び皿ユニット左装飾部材２６４は、金属板に複数の孔を設けたパンチングメタルによって構成されている。
【０１１０】
この皿ユニットカバー２６０は、正面視左側の表面が滑らかな感じに形成されているのに対して、右側の表面がゴツゴツした感じに形成されている。また、正面視の右側は、略全体的に透光性を有している。
【０１１１】
皿ユニットカバー２６０は、皿ユニット２００に組立てた状態で、タッチユニット２２０Ｂの上面と上皿下被覆部２６２の下面との間が、片手で掴むことが可能な間隔に形成されている。これにより、遊技者が、タッチユニット２２０Ｂをタッチ操作する際に、下皿開口部２６１の上側を掴むことで、タッチする指（手や腕）を安定させることができ、タッチユニット２２０Ｂのタッチ操作を行い易くできる。
【０１１２】
［２−１ｆ．扉右下演出ユニット］
皿ユニット２００の扉右下演出ユニット２７０は、図３４乃至図４２に示すように、ハンドルユニット５００の上側、且つ、演出操作ユニット２２０の右側に配置されており、遊技状態に応じて回転すると共に発光装飾する球状の扉右下回転体２７０Ａを備えている。扉右下演出ユニット２７０は、皿ユニットベース２１０の前面で逃し口２１０ｇを閉鎖するように取付けられ扉右下回転体２７０Ａを回転可能に支持するユニットベース２７１と、ユニットベース２７１に取付けられている扉右下駆動モータ２７２と、扉右下駆動モータ２７２の回転軸に固定されている駆動ギア２７３と、駆動ギア２７３と噛合し扉右下回転体２７０Ａに取付けられている従動ギア２７４と、従動ギア２７４を回転可能に支持しておりユニットベース２７１に取付けられている軸部材２７５と、を備えている。
【０１１３】
また、扉右下演出ユニット２７０は、従動ギア２７４とは扉右下回転体２７０Ａの反対側に取付けられておりユニットベース２７１に回転可能に支持されている回転体側軸受部材２７６と、扉右下回転体２７０Ａの従動ギア２７４とは反対側をユニットベース２７１と協働して回転可能に支持しているベース側軸受部材２７７と、ユニットベース２７１に取付けられており扉右下回転体２７０Ａの回転位置を検知可能な二つの回転検知センサ２７８と、扉右下回転体２７０Ａの正面視左側でユニットベース２７１に取付けられている装飾部材２７９と、ユニットベース２７１の後側に取付けられており前面に複数のＬＥＤを備えた扉右下ベース装飾基板２８０と、ユニットベース２７１の後側に取付けられており扉右下駆動モータ２７２、回転検知センサ２７８、扉右下ベース装飾基板２８０、及び後述する扉右下回転体装飾基板２９１と周辺制御基板（図示は省略）との接続を中継する扉右下中継基板２８１と、を備えている。
【０１１４】
扉右下回転体２７０Ａは、外殻を構成し夫々が半球殻状の前外殻部材２８５及び後外殻部材２８６と、前外殻部材２８５と後外殻部材２８６との間に配置される回転体内部ユニット２９０と、を備えている。前外殻部材２８５及び後外殻部材２８６は、回転軸を中心に半円形状の切欠部２８５ａ，２８６ａが夫々形成されている。前外殻部材２８５は、透光性を有した半球殻状の表面に、金属光沢を有し周方向へ帯状に延びている帯装飾２８５ｂと、帯装飾２８５ｂの中央に配置されているハート形のハート装飾２８５ｃと、を備えている。一方、後外殻部材２８６は、透光性を有した半球殻状の表面に、金属光沢を有し周方向へ帯状に延びている帯装飾２８６ｂを備えている。前外殻部材２８５と後外殻部材２８６とを合わせた時に、前外殻部材２８５の帯装飾２８５ｂと後外殻部材２８６の帯装飾２８６ｂとが繋がるように形成されている。
【０１１５】
回転体内部ユニット２９０は、図４０及び図４１に示すように、円盤状で両面に複数のＬＥＤが備えられている扉右下回転体装飾基板２９１と、扉右下回転体装飾基板２９１の中心に取付けられており扉右下回転体装飾基板２９１の面に対して垂直に延びており先端が軸部材２７５に取付けられる円柱状の第一固定軸部材２９２と、第一固定軸部材２９２とは扉右下回転体装飾基板２９１の反対側に取付けられており扉右下回転体装飾基板２９１の面に対して垂直に延びており先端がユニットベース２７１及びベース側軸受部材２７７に取付けられる円筒状の第二固定軸部材２９３と、を備えている。図示は省略するが、第二固定軸部材２９３の内部には、扉右下中継基板２８１と扉右下回転体装飾基板２９１とを接続する配線コードが挿入されている。
【０１１６】
また、回転体内部ユニット２９０は、扉右下回転体装飾基板２９１の両側に配置されており前外殻部材２８５及び後外殻部材２８６の内側に取付けられる平板で円環状の透明なリフレクタベース２９４と、リフレクタベース２９４に取付けられており円環状で軸方向外側へ開いた朝顔状の第一リフレクタ２９５と、第一リフレクタ２９５の円環内を通してリフレクタベース２９４に取付けられており中心に六角形の貫通孔２９６ａを有した第二リフレクタ２９６と、を備えている。第一リフレクタ２９５及び第二リフレクタ２９６は、表面に金属光沢を有したメッキ層が備えられており、扉右下回転体装飾基板２９１からの光を反射させることができる。また、第一リフレクタ２９５及び第二リフレクタ２９６には、放射状に延びた平板状のリブが複数備えられている。
【０１１７】
この回転体内部ユニット２９０は、扉右下回転体装飾基板２９１、第一固定軸部材２９２、及び第二固定軸部材２９３と、リフレクタベース２９４、第一リフレクタ２９５、及び第二リフレクタ２９６とが、相対回転可能に互いに分離している。
【０１１８】
ユニットベース２７１は、扉右下回転体２７０Ａの後側に配置される環状のリング部２７１ａと、リング部２７１ａの外周におけるリング部２７１ａの中心に対して正面視斜め右上の部位から前方へ平板状に突出している第一突出片２７１ｂと、リング部２７１ａの外周における第一突出片２７１ｂとは反対側の部位から前方へ平板状に突出している第二突出片２７１ｃと、第二突出片２７１ｃの前端から後方へ向かってＵ字状に窪み第二固定軸部材２９３の先端が挿入される軸受溝２７１ｄと、を備えている。
【０１１９】
扉右下駆動モータ２７２は、第一突出片２７１ｂの外側の側面（右側の側面）に、回転軸が貫通した状態で取付けられる。従動ギア２７４は、駆動ギア２７３よりも大径に形成されている。軸部材２７５は、第一突出片２７１ｂの前端に取付けられる取付部２７５ａと、取付部２７５ａから筒状に突出している筒状軸部２７５ｂと、を備えている。この軸部材２７５は、筒状軸部２７５ｂの外周によって従動ギア２７４を回転可能に支持できると共に、筒状軸部２７５ｂの内周によって第一固定軸部材２９２の先端を回転不能に支持できる。
【０１２０】
回転体側軸受部材２７６は、第二固定軸部材２９３が回転可能に挿入される軸受孔２７６ａと、外方へ延出している平板状の検知片２７６ｂと、を備えている。ベース側軸受部材２７７は、ユニットベース２７１における第二突出片２７１ｃの前端のＵ字状の軸受溝２７１ｄの開放されている前端側を閉鎖するように、第二突出片２７１ｃの前端に取付けられる。二つの回転検知センサ２７８は、扉右下回転体２７０Ａの回転軸を挟んで対称に第二突出片２７１ｃに取付けられる。二つの回転検知センサ２７５は、扉右下回転体２７０Ａのハート装飾２８５ｃが前方を向く回転位置（図４２（ａ）を参照）と、ハート装飾２８５ｃが後方を向く回転位置（図４２（ｂ）を参照）とを、夫々検知することができる。
【０１２１】
本実施形態の扉右下演出ユニット２７０は、遊技状態に応じて、扉右下駆動モータ２７２によって扉右下回転体２７０Ａを回転させることができると共に、ハート装飾２８５ｃが前方を向くように停止するか否かで、遊技者に対してチャンスの到来等を示唆することができ、遊技者を楽しませて興趣が低下するのを抑制することができる。
【０１２２】
また、扉右下演出ユニット２７０は、扉右下回転体２７０Ａ内部の扉右下回転体装飾基板２９１が回転不能に取付けられていることから、扉右下回転体２７０Ａの回転中に、扉右下回転体装飾基板２９１（のＬＥＤ）を発光させると、扉右下回転体２７０Ａの回転につれて扉右下回転体装飾基板２９１から照射される光の位置が移動すると共に、第一リフレクタ２９５や第二リフレクタ２９６によって反射誘導される光の方向が変化するため、扉右下回転体装飾基板２９１のＬＥＤを点滅させなくても、光が点滅しているように扉右下回転体２７０Ａを発光装飾させたり、ＬＥＤから多様な色の光を照射することで扉右下回転体２７０Ａを虹色に発光装飾させたりすることができ、遊技者を楽しませることができる。
【０１２３】
［２−１ｇ．演出ユニットカバー］
皿ユニット２００の演出ユニットカバー３００は、図１９及び図２０に示すように、扉右下演出ユニット２７０における球状の扉右下回転体２７０Ａの前側を覆う半球状で透明な回転体カバー部３０１と、回転体カバー部３０１の外周に形成されており皿ユニットカバー２６０の正面視右側の装飾と連続した装飾部３０２と、回転体カバー部３０１の下部右側において前後に貫通しており施錠ユニット７００の鍵シリンダ７１０が挿通されるシリンダ挿通口３０３と、を備えている。
【０１２４】
演出ユニットカバー３００は、全体が後方が開放された容器状で、透光性を有している。この演出ユニットカバー３００は、回転体カバー部３０１の上側が扉右下演出ユニット２７０の扉右下ベース装飾基板２８０によって発光装飾されると共に、回転体カバー部３０１の下側が皿ユニット右装飾基板３４６によって発光装飾される。
【０１２５】
［２−１ｈ．上皿球抜きユニット］
皿ユニット２００の上皿球抜きユニット３１０は、図４３乃至図４５に示すように、皿ユニットベース２１０の透口２１０ｅ及び受片２１０ｆを前側から覆うように皿ユニットベース２１０の前面に取付けられ後方が開放された縦長箱状で上部に上皿球抜きボタン２３９の延出片２３９ａが挿通可能な挿通口３１１ａを有しているカバー３１１と、カバー３１１内における皿ユニットベース２１０の透口２１０ｅの正面視左上となる位置に取付けられている前ベース部材３１２と、前ベース部材３１２によって回転可能に支持されており上皿球抜きボタン２３９の押圧により回動する押圧伝達部材３１３と、押圧伝達部材３１３を上皿球抜きボタン２３９が上昇する方向へ付勢している第一バネ部材３１４と、を備えている。
【０１２６】
また、上皿球抜きユニット３１０は、皿ユニットベース２１０の上皿球送り口２１０ｄを後側から閉鎖するように皿ユニットベース２１０の後側に取付けられている後ベース部材３１５と、後ベース部材３１５と皿ユニットベース２１０との間に配置されていると共に後ベース部材３１５によって昇降可能に取付けられており上側から押圧伝達部材３１３が接触している上皿球抜きスライダ３１６と、上皿球抜きスライダ３１６を上方へ付勢している第二バネ部材３１７と、を備えている。
【０１２７】
前ベース部材３１２は、皿ユニットベース２１０の前面と平行に延びておりカバー３１１に取付けられる平板状のベース部３１２ａと、ベース部３１２ａの左右両辺から前方へ平板状に延出している一対の延出片３１２ｂと、延出片３１２ｂの前端から後方へＵ字状に凹んだ軸支部３１２ｃと、ベース部３１２ａの前面下端付近に備えられており第一バネ部材３１４の後端が係止される鉤状のバネ係止部（図示は省略）と、を備えている。
【０１２８】
押圧伝達部材３１３は、両端が前ベース部材３１２の一対の軸支部３１２ｃ内へ回転可能に挿入される横長円柱状の軸部３１３ａと、軸部３１３ａから後方へ平板状に延出している後方延出片３１３ｂと、後方延出片３１３ｂの上面における正面視左端付近から上方へ平板状に延出しており上皿球抜きボタン２３９の延出片２３９ａの下端が当接可能な上方延出片３１３ｃと、後方延出片３１３ｂの下面における正面視右端から下方へ平板状に延出している下方延出片３１３ｄと、軸部３１３ａにおける正面視左端付近の下側から下方へ突出しており第一バネ部材３１４の前端が係止される鉤状のバネ係止部３１３ｅと、を備えている。下方延出片３１３ｄは、後方へ向かうに従って下方へ延びる三角形に形成されており、下端が上皿球抜きスライダ３１６と当接可能とされている。
【０１２９】
後ベース部材３１５は、皿ユニットベース２１０の後面と平行に平板状に延びており皿ユニットベース２１０に取付けられるベース部３１５ａと、ベース部３１５ａの前面で左右に離間して備えられており上皿球抜きスライダ３１６の左右両端をスライド可能に支持するスライダ支持部３１５ｂと、ベース部３１５ａの上端における皿ユニットベース２１０の上皿球送り口２１０ｄの上部と対応する位置に前方へ開口していると共にベース部３１５ａの後側で下方へ開口し遊技球が流通可能な上部入口３１５ｃと、を備えている。
【０１３０】
また、後ベース部材３１５は、ベース部３１５ａの後側で上部入口３１５ｃと連続して下方へ延びていると共に後方へ開放されており下端が後方へ湾曲している第一誘導路３１５ｄと、第一誘導路３１５ｄの下側から下方へ延びた後に正面視左方へ延びて左端が左方へ開放されており全体が後方へ開放されているＬ字状の第二誘導路３１５ｅと、第二誘導路３１５ｅにおける左方へ延びた部位の後端側を閉鎖している平板状の通路蓋３１５ｆと、Ｌ字状の第二誘導路３１５ｅに二辺が囲まれるようにベース部３１５ａを前後に貫通している開口部３１５ｇと、ベース部３１５ａの前面から前方へボス状に突出しており第二バネ部材３１７の上端が係止されるバネ係止部３１５ｈと、を備えている。
【０１３１】
後ベース部材３１５におけるＬ字状の第二誘導路３１５ｅは、左方へ延びた部位が、左方へ向かうに従って低くなるように傾斜している。この第二誘導路３１５ｅの左端は、図４３（ｂ）に示すように、皿ユニットベース２１０における筒状の下皿球供給口２１０ｃの切欠部２１０ｊに挿入されており、第二誘導路３１５ｅと下皿球供給口２１０ｃとが互いに連通している。
【０１３２】
上皿球抜きスライダ３１６は、平板状で左右両端が後ベース部材３１５のスライダ支持部３１５ｂにスライド可能に支持されるスライダベース３１６ａと、スライダベース３１６ａの上端における正面視中央より左側から前方へ皿ユニットベース２１０の透口２１０ｅを通って受片２１０ｆの上側へ延出し上面に押圧伝達部材３１３の下方延出片３１３ｄの下端が当接可能な伝達片３１６ｂと、伝達片３１６ｂの下側でスライダベース３１６ａの後側から下方へ向かうに従って後方へ突出している三角状の作動伝達部３１６ｃと、スライダベース３１６ａの前面から突出しており第二バネ部材３１７の下端が係止される鉤状のバネ係止部３１６ｄと、を備えている。
【０１３３】
上皿球抜きユニット３１０は、皿ユニット２００を組立てた状態で、後ベース部材３１５の上部入口３１５ｃが、上皿本体２１２の誘導通路部２１２ａの正面視右端側となる下端に開口している。これにより、上皿２０１内の遊技球を、上部入口３１５ｃからベース部３１５ａの後側の第一誘導路３１５ｄを介して球送りユニット５４０へ供給することができる。
【０１３４】
また、上皿球抜きユニット３１０は、上皿球抜きボタン２３９を下方へ押圧すると、上皿球抜きボタン２３９の延出片２３９ａによって押圧伝達部材３１３が、第一バネ部材３１４の付勢力に抗して軸部３１３ａを中心に、下方延出片３１３ｄの下端が下方へ移動する方向へ回動する。押圧伝達部材３１３の回動に伴って下方延出片３１３ｄの下端が下方へ移動すると、下方延出片３１３ｄの下端が当接している上皿球抜きスライダ３１６の伝達片３１６ｂによって上皿球抜きスライダ３１６が第二バネ部材３１７の付勢力に抗して下方へスライドする。
【０１３５】
この上皿球抜きスライダ３１６が下方へスライドすることで、作動伝達部３１６ｃが、球送りユニット５４０の切換機構を動作させて球送りユニット５４０内での流路が切換えられて、第一誘導路３１５ｄ側が第二誘導路３１５ｅ側と連通した状態となる。これにより、上皿２０１内の遊技球が、上部入口３１５ｃ、第一誘導路３１５ｄ、球送りユニット５４０、及び第二誘導路３１５ｅを通って、下皿球供給口２１０ｃから下皿２０２へ排出され、上皿２０１内の遊技球を抜くことができる。
【０１３６】
なお、上皿球抜きボタン２３９の下方への押圧を解除すると、第一バネ部材３１４及び第二バネ部材３１７の付勢力によって、上皿球抜きスライダ３１６や上皿球抜きボタン２３９が上昇し、元の状態に復帰することができる。
【０１３７】
［２−１ｉ．下皿球抜きユニット］
皿ユニット２００の下皿球抜きユニット３２０は、図４６等に示すように、皿ユニットカバー２６０の底板開口部２６７を閉鎖するように下皿本体２１４の下側に取付けられ下皿本体２１４の球抜き孔２１４ａと一致する開口部３２１ａを有している平板状の下皿球抜きベース３２１と、下皿球抜きベース３２１上を左右にスライドし開口部３２１ａを閉鎖可能な平板状のスライド蓋３２２と、スライド蓋３２２の前端に取付けられており皿ユニットカバー２６０の前面から外部へ露出する摘み部３２３と、スライド蓋３２２によって開口部３２１ａを閉鎖する方向へスライド蓋３２２を付勢しているバネ部材３２４と、バネ部材３２４の付勢力に抗してスライド蓋３２２を開口部３２１ａを開放している位置に保持する保持装置３２５と、を備えている。
【０１３８】
下皿球抜きベース３２１の開口部３２１ａは、正面視左右中から右寄りの位置に形成されている。この下皿球抜きベース３２１は、下皿本体２１４に取付けることで、下皿球抜きベース３２１と下皿本体２１４との間でスライド蓋３２２を左右へスライド可能に支持することができる。スライド蓋３２２は、正面視左端側に保持装置３２５によって保持される保持突起３２２ａを備えている。
【０１３９】
保持装置３２５は、下皿球抜きベース３２１に取付けられる本体３２５ａと、本体３２５ａから開閉可能に突出しており保持突起３２２ａを掴むことができる一対の保持爪３２５ｂと、を備えている。保持装置３２５は、開いている一対の保持爪３２５ｂの間に、保持突起３２２ａを挿入して本体３２５ａ側へ押圧すると、一対の保持爪３２５ｂが閉じて保持突起３２２ａを保持すると共に、一対の保持爪３２５ｂが閉じた状態で維持される。この状態で、保持突起３２２ａを本体３２５ａ側へ移動させると、一対の保持爪３２５ｂが開いた状態となり、保持突起３２２ａの保持が解除される。
【０１４０】
この下皿球抜きユニット３２０は、摘み部３２３（スライド蓋３２２）が正面視右側へ移動している状態では、開口部３２１ａと下皿本体２１４の球抜き孔２１４ａとの間にスライド蓋３２２が位置し、下皿２０２内の遊技球が、球抜き孔２１４ａから下方へ抜けることがなく、下皿２０２内に遊技球を貯留させることができる。
【０１４１】
この状態から、摘み部３２３を左側へ操作することでスライド蓋３２２が左方へスライドし、開口部３２１ａと球抜き孔２１４ａとが連通する。これにより、下皿２０２内の遊技球が球抜き孔２１４ａ及び開口部３２１ａを通って皿ユニット２００の下方へ抜けるようになり、下皿２０２内の遊技球を抜くことができる。この際に、スライド蓋３２２の保持突起３２２ａが、保持装置３２５の一対の保持爪３２５ｂによって保持されるため、摘み部３２３の操作をやめてもスライド蓋３２２が開いたままの状態となり、下皿２０２内の遊技球を抜き続けることができる。
【０１４２】
スライド蓋３２２を閉めるには、摘み部３２３を左側へ僅かに操作すると、一対の保持爪３２５ｂが開いて保持突起３２２ａの保持が解除され、バネ部材３２４の付勢力によってスライド蓋３２２が右側へスライドして、球抜き孔２１４ａを閉鎖する。このように、下皿球抜きユニット３２０の摘み部３２３を操作することで、下皿２０２に遊技球を貯留させたり、下皿２０２に貯留された遊技球を抜いたりすることができる。
【０１４３】
［２−１ｊ．球貸操作ユニット］
皿ユニット２００の球貸操作ユニット３３０は、図１９及び図２０等に示すように、演出操作ユニット２２０における正面視右端付近の上面に取付けられ透光性を有しているユニットケース３３１と、ユニットケース３３１の上面に露出しており遊技者が操作可能な球貸ボタン３３２と、球貸ボタン３３２の後側でユニットケース３３１の上面に露出しており遊技者が操作可能な返却ボタン３３３と、返却ボタン３３３の後側でユニットケース３３１の上面を通して遊技者側から視認可能とされている表示部３３４と、を備えている。なお、表示部３３４の近傍には、ＣＲユニットランプが配置されており、ＣＲユニットランプの発光態様をユニットケース３３１の上面を通して遊技者側から視認可能とされている。
【０１４４】
この球貸操作ユニット３３０は、パチンコ遊技機１に隣接して設けられた球貸機に対して現金やプリペイドカードを投入した上で、球貸ボタン３３２を押すと、所定数の遊技球を皿ユニット２００の上皿２０１内へ貸出す（払出す）ことができると共に、返却ボタン３３３を押すと貸出された分の残りを引いた上で投入した現金の残金やプリペイドカードが返却される。また、表示部３３４には、球貸機に投入した現金やプリペイドカードの残数、或は、球貸機が故障した時のエラーコード等、が表示される。
【０１４５】
［２−１ｋ．上皿トップ装飾部材］
皿ユニット２００の上皿トップ装飾部材３４０は、図１９及び図２０等に示すように、皿ユニットベース２１０の上端における左右中央に取付けられ左右に帯状に延びた透光性を有する上皿トップレンズ３４０ａと、上皿トップレンズ３４０ａの下側に取付けられており上面に複数のＬＥＤが取付けられた上皿トップ装飾基板３４０ｂと、を備えている。
【０１４６】
この上皿トップ装飾部材３４０は、上皿トップ装飾基板３４０ｂのＬＥＤを発光させることで、上皿トップレンズ３４０ａを帯状に発光させることができる。この上皿トップ装飾部材３４０は、演出操作ユニット２２０の後側に配置されていることから、上皿後装飾部材２３６や線状発光レンズ部材２３７等の発光装飾と同様に、上皿トップ装飾部材３４０を発光装飾させることで、遊技者の関心をタッチユニット２２０Ｂ等の演出操作ユニット２２０へ引付けることができ、演出操作ユニット２２０によって提示される演出を楽しませて興趣が低下するのを抑制することができる。
【０１４７】
［３．本実施形態と本発明の関係］
本実施形態の皿ユニット２００における上皿２０１は本発明の貯留皿に、本実施形態の皿ユニット２００は本発明の膨出部に、本実施形態の演出操作ユニット２２０のタッチユニット２２０Ｂ（上皿液晶表示装置２４４）は本発明の演出提示手段に、本実施形態の上皿後装飾基板２３５、上皿後装飾部材２３６、線状発光レンズ部材２３７、及び上皿トップ装飾部材３４０は本発明の発光体に、夫々相当している。
【０１４８】
［４．本実施形態の特徴的な作用効果］
このように、本実施形態のパチンコ遊技機１によると、遊技領域５ａの下側の遊技球を貯留する上皿２０１を有した皿ユニット２００の上面における演出操作ユニット２２０のタッチユニット２２０Ｂに、遊技領域５ａ内に遊技球を打込むことで変化する遊技状態に応じて上皿液晶表示装置２４４に画像を表示させる際に、上皿液晶表示装置２４４の遊技領域５ａに近い側の後側の外周縁に沿って帯状の線状発光レンズ部材２３７、上皿後装飾部材２３６、及び上皿トップ装飾部材３４０等を発光させるようにしているため、遊技者の視線が遊技領域５ａ内に集中していても、視線（視界）の外側から入る線状発光レンズ部材２３７等の光に気付くことができ、遊技者の視線（関心）を線状発光レンズ部材２３７等つまり上皿液晶表示装置２４４側へ引き付けることができる。従って、上皿液晶表示装置２４４において、遊技状態に応じて画像等の演出を提示する際に、線状発光レンズ部材２３７等を発光させることで、遊技者に対して上皿液晶表示装置２４４による演出の提示に気付かせることができ、上皿液晶表示装置２４４による演出を楽しませて興趣が低下するのを抑制することができる。
【０１４９】
また、皿ユニット２００に遊技状態に応じて画像を表示可能な上皿液晶表示装置２４４を備えていることから、チャンスの到来を示唆する画像を表示させるようにした場合、遊技領域５ａ外に配置されている上皿液晶表示装置２４４によってチャンスの到来が示唆されることとなるため、遊技者に対して遊技領域５ａ内での遊技と、遊技領域５ａ外の上皿液晶表示装置２４４での演出との両方を気に掛けさせることができる。従って、遊技領域５ａ内と遊技領域５ａ外（上皿液晶表示装置２４４）とを気に掛けさせることで、スピード感のあるタイトな遊技を楽しませることができ、遊技者の興趣が低下するのを抑制することができると共に、上皿液晶表示装置２４４においてチャンスの到来を示唆する画像を表示する時に、線状発光レンズ部材２３７等を発光させることで、遊技者を上皿液晶表示装置２４４に注目させることができ、チャンスの到来を確実に認識させて遊技者を楽しませることができる。この場合、遊技者によっては、遊技領域５ａ内と遊技領域５ａ外との両方が気になることで、どちらにも集中できなくなって興趣を低下させてしまう虞があるが、遊技状態（チャンスの到来）に応じて線状発光レンズ部材２３７等が発光するため、線状発光レンズ部材２３７等が発光するまでは遊技領域５ａ内へ集中することができ、遊技領域５ａ内での遊技を楽しませることができると共に、線状発光レンズ部材２３７等の発光時には上皿液晶表示装置２４４での演出を楽しませることができ、遊技にメリハリを付けて飽き難くすることができる。
【０１５０】
また、遊技領域５ａの下側で遊技者側へ膨出した皿ユニット２００に上皿液晶表示装置２４４を備えているため、上皿液晶表示装置２４４が遊技者から近い位置に配置されることとなる。これにより、本パチンコ遊技機１の正面に位置している遊技者によって上皿液晶表示装置２４４が隠れ易くなり、上皿液晶表示装置２４４を隣や後ろの他の遊技者からは見え難くなるため、上皿液晶表示装置２４４により提示される演出を当該遊技者のみに楽しませることができる。従って、上皿液晶表示装置２４４による演出を楽しんでいる時に、他の遊技者によって覗かれることで、不快に感じて興趣を低下させてしまうのを低減させることができると共に、上皿液晶表示装置２４４による演出の提示の際に線状発光レンズ部材２３７等が発光することで、上皿液晶表示装置２４４による演出を見逃し難くすることができ、上皿液晶表示装置２４４による演出を楽しませて興趣が低下するのを抑制することができる。
【０１５１】
更に、線状発光レンズ部材２３７等を帯状に発光させるようにしているため、点状に発光させる場合と比較して、線状発光レンズ部材２３７等の発光を目立ち易くすることができ、遊技者の意識が遊技領域５ａ内に集中していても、線状発光レンズ部材２３７等の発光に気付かせ易くすることができ、上皿液晶表示装置２４４やタッチパネル２４６等による演出を楽しませて興趣が低下するのを抑制することができる。また、線状発光レンズ部材２３７等を帯状に発光させるため、他の発光装飾体等の発光とは異なる発光態様となり、発光装飾体等の発光と誤認してしまうのを低減させることができ、確実に線状発光レンズ部材２３７等の発光に気付かせることができる。
【０１５２】
また、上皿液晶表示装置２４４の外周縁のうち遊技領域５ａに近い後側の位置に線状発光レンズ部材２３７等を配置しているため、線状発光レンズ部材２３７等を発光させた時に、線状発光レンズ部材２３７等の光を遊技者の視界に入り易くすることができ、線状発光レンズ部材２３７等の発光に気付かせて上皿液晶表示装置２４４の演出を楽しませることができる。
【０１５３】
また、上皿２０１等を有している皿ユニット２００の上面に上皿液晶表示装置２４４等を有した演出操作ユニット２２０を備えており、皿ユニット２００の上皿２０１は遊技領域５ａ内に打込むための遊技球の量を確認するための遊技者がある程度の頻度で視線を向けることから、上皿２０１へ視線を向けた際に上皿液晶表示装置２４４や線状発光レンズ部材２３７等が視界に入り易く、線状発光レンズ部材２３７の発光に気付き易くなる。また、遊技者が上皿２０１へある程度の頻度で視線を向けることから、視線を遊技領域５ａ内から上皿２０１（上皿液晶表示装置２４４）へ向け易い。従って、線状発光レンズ部材２３７等の発光に気付いた時に、即座に視線を上皿液晶表示装置２４４へ移すことができ、上皿液晶表示装置２４４により提示される演出を楽しませて興趣が低下するのを抑制することができる。
【０１５４】
更に、遊技領域５ａの下側に演出操作ユニット２２０を配置しており、下側から遊技者へ線状発光レンズ部材２３７等からの光が照射されるため、遊技領域５ａの上側に配置した場合と比較して、遊技者の目に入り易く線状発光レンズ部材２３７等の発光に気付かせ易くすることができ、遊技者を上皿液晶表示装置２４４に確実に注目させることが可能となり、演出操作ユニット２２０による演出を楽しませて興趣が低下するのを抑制することができる。
【０１５５】
また、遊技領域５ａの左右方向の中央と対応する位置に演出操作ユニット２２０（上皿液晶表示装置２４４）を配置しているため、遊技者の視線の中心が遊技領域５ａ内のどの位置にあっても、線状発光レンズ部材２３７等からの光に気付き易くすることができ、遊技者を確実に上皿液晶表示装置２４４へ注目させることが可能となり、演出操作ユニット２２０による演出を楽しませて興趣が低下するのを抑制することができる。
【０１５６】
また、演出操作ユニット２２０にタッチパネル２４６を備えているため、画像による演出の他に、遊技者にタッチパネル２４６を操作させる演出も行うことができ、多彩な演出によって遊技者を楽しませることができると共に、遊技者にタッチパネル２４６を操作させることで、演出に参加させることができ、遊技者に対して能動的に演出を楽しませて興趣が低下するのを抑制することができる。
【０１５７】
更に、タッチユニット２２０Ｂの後側の外周縁に沿って配置された線状発光レンズ部材２３７（線状発光部２３７ｂ）が、上皿２０１における遊技球を球送りユニット５４０（球発射装置６８０）へ送る誘導通路部２１２ａに沿って配置されていると共に、誘導通路部２１２ａとの間に上皿球抜きユニット３１０を動作させる上皿球抜きボタン２３９を配置されている。つまり、遊技者が遊技に必要な遊技球を確認する場所の近傍に線状発光レンズ部材２３７が備えられており、遊技中でも遊技者が気にする位置に線状発光レンズ部材２３７を配置した構成としているため、線状発光レンズ部材２３７の発光に気付かせることができ、遊技者の関心をタッチユニット２２０Ｂに引付けてタッチユニット２２０Ｂによる演出（上皿液晶表示装置２４４による演出画像、タッチパネル２４６のタッチ操作、等）のタイミングに気付き易くすることができる。
【０１５８】
また、上皿液晶基板２４１や上皿液晶表示装置２４４を備えたタッチユニット２２０Ｂを、取付ベースユニット２２０Ａの取付ベース２３０とユニットケース２３１とによって、皿ユニットカバー２６０の上皿下被覆部２６２の上面よりも高い位置に配置していると共に、タッチユニット２２０Ｂの後側の外周面に防水シール２４８を貼付けているため、上皿２０１において、外気に触れることで上皿本体２１２や遊技球の表面で結露した水（水滴）が、上皿２０１の下方（上皿下被覆部２６２上）へ流動しても、タッチユニット２２０Ｂ内へ結露した水が浸入するのを防止することができ、タッチユニット２２０Ｂにおいて不具合が発生するのを防止することができる。
【０１５９】
また、図３３に示すように、上皿後装飾部材２３６や線状発光レンズ部材２３７を発光装飾させる上皿後装飾基板２３５を、上皿２０１の底面よりも高い位置に配置しているため、上皿２０１で結露した水滴にさらされることがなく、上皿後装飾基板２３５においてショートや腐蝕等の不具合が発生するのを防止することができる。
【０１６０】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【０１６１】
つまり、上記実施形態では、遊技機としてパチンコ遊技機１に適用したものを示したが、これに限定するものではなく、パチスロ機や、パチンコ遊技機とパチスロ機とを融合させてなる遊技機に、適用しても良く、この場合でも、上記と同様の作用効果を奏することができる。
【０１６２】
［５．払出装置］
次に、図４に示した球誘導ユニット８２０の下流側に配置される払出装置８３０について、主として図４７〜図５４を参照して説明する。図４７は払出装置を正面上側から見た斜視図（ａ）、正面下側から見た斜視図（ｂ）であり、図４８は払出装置を正面側から見た分解斜視図であり、図４９は払出装置を背面側から見た分解斜視図であり、図５０は払出装置の右側面図であり、図５１は図５０のＸ−Ｘ線に沿って賞球表箱を切断した払出装置の正面側から見た非球抜き時における斜視図（ａ）、球抜き時（ｂ）における斜視図であり、図５２は図５０のＹ−Ｙ線に沿って賞球裏箱を切断した払出装置の背面側から見た非球抜き時における斜視図（ａ）、球抜き時（ｂ）における斜視図であり、図５３は図５０のＸ−Ｘ線に沿って賞球表箱を切断した払出装置の非球抜き時における正面図（ａ）、図５０のＹ−Ｙ線に沿って賞球裏箱を切断した払出装置の非球抜き時における背面図（ｂ）であり、図５４は払出装置のメンテナンスの説明図である。なお、図５１（ａ），（ｂ）、及び図５３（ａ）では、図面の見やすさから賞球中間ギヤ及び検出円盤等を想像線で示している。
【０１６３】
払出装置８３０は、一対の屈曲通路壁８３１ａによって球通路を構成する屈曲通路８３１ｂ、賞球通路８３１ｃ、及び球抜通路８３１ｄが形成される後方が開口される箱状の賞球表箱８３１と、この賞球表箱８３１の後面を覆うとともに、一対の屈曲通路壁８３２ａによって球通路を構成する屈曲通路８３２ｂ、賞球通路８３２ｃ、及び球抜通路８３２ｄが形成される前方が開口される箱状の賞球裏箱８３２と、賞球表箱８３１に賞球裏箱８３２を取り付ける際に賞球表箱８３１に形成される屈曲通路８３１ｂを通る遊技球と賞球裏箱８３２に形成される屈曲通路８３２ｂを通る遊技球とが相互に侵入することを防止するための賞球中仕切板８３３と、賞球表箱８３１に形成される屈曲通路８３１ｂを通る遊技球を賞球表箱８３１に形成される球抜通路８３１ｄへ排出するとともに、賞球裏箱８３２に形成される屈曲通路８３２ｂを通る遊技球を賞球裏箱８３２に形成される球抜通路８３２ｄへ排出するための賞球球抜きレバー８３４と、賞球表箱８３１の前面を覆うとともに、賞球表箱８３１の表面領域に設けられるギヤ群（後述する、賞球モータギヤ８４０、賞球中間ギヤ８４１、及び検出円盤８４２から構成されている。）を被覆する後方が開口される箱状の賞球ギヤカバー８３５と、から構成されている。賞球裏箱８３２に形成される屈曲通路８３２ｂ、賞球通路８３２ｃ、及び球抜通路８３２ｄは、賞球表箱８３１に形成される屈曲通路８３１ｂ、賞球通路８３１ｃ、及び球抜通路８３１ｄと対応する位置にそれぞれ設けられている。ここでは、賞球表箱８３１、賞球裏箱８３２、賞球中仕切板８３３、賞球球抜きレバー８３４、そして賞球ギヤカバー８３５の構成について説明し、続いてスプロケットの定位置、そして払出装置のメンテナンスについて説明する。
【０１６４】
［５−１．賞球表箱］
まず、賞球表箱８３１の構成について説明すると、賞球表箱８３１は、後方が開口される長方形状の箱状に形成され、賞球表箱８３１の底面から賞球裏箱８３２側へ向かって突設される一対の屈曲通路壁８３１ａによって屈曲通路８３１ｂが形成されている。一対の屈曲通路壁８３１ａのうち、一方の屈曲通路壁８３１ａは、賞球表箱８３１を前方から見て、賞球表箱８３１の上部中央から下流側のほぼ中程から下流側に大きく左に曲がって下流端の手前から下流端までに亘って賞球表箱８３１の左端辺の側壁を兼ねているのに対して、他方の屈曲通路壁８３１ａは、賞球表箱８３１を前方から見て、賞球表箱８３１の上部中央から下流側のほぼ中程から下流側に大きく右に曲がる部分に切欠部８３１ｅが形成されてほぼ中程から下流端までに亘って賞球表箱８３１の右端辺の側壁を兼ねている。
【０１６５】
他方の屈曲通路壁８３１ａに形成される切欠部８３１ｅの上端には、賞球表箱８３１の底面から賞球裏箱８３２側へ向かって支軸８３１ｆが突設され、この支軸８３１ｆに軸支されることにより揺動することができる球抜き片８３６が取り付けられている。この球抜き片８３６は、一端に支軸８３１ｆが挿入される軸部８３６ａと、他方の屈曲通路壁８３１ａの側壁の上流側と下流側とを同一面となるように湾曲して形成されて切欠部８３１ｅを塞ぐことができる側壁部８３６ｂと、が一体に形成されるとともに、他方の屈曲通路壁８３１ａの側壁の上流側と下流側を遊技球が転動する側壁部８３６ｂの転動面と反対側の面に補強リブ８３６ｃが形成されている。なお、球抜き片８３６の他端には、後述する賞球裏箱８３２に突設される支軸８３２ｆが挿入され、球抜き片８３６の側壁部８３６ｂは、後述する賞球裏箱８３２に突設される、他方の屈曲通路壁８３２ａの側壁の上流側と下流側とを同一面となるように湾曲して形成されている。
【０１６６】
他方の屈曲通路壁８３１ａに形成される切欠部８３１ｅの下方には、賞球表箱８３１の中程から下流端までに左右に分かれた屈曲通路壁８３１ａの対をなすように通路区画壁８３１ｇが形成されている。つまり、賞球表箱８３１の中程から左右方向へ曲がる屈曲通路壁８３１ａと通路区画壁８３１ｇとによって２つの通路が構成され、一方の通路が屈曲通路８３１ｂを構成し、他方の通路が球抜通路８３１ｄを構成している。この通路区画壁８３１ｇは、後述するスプロケット８３７の回転位置を検出するための回転角スイッチ８４６が実装される賞球ケース内基板８４７を収容して取り付けるための基板取付収容空間８３１ｈを構成する凹部空間が賞球表箱８３１の表面から後方へ向かって形成されることにより構成されるものである。基板取付収容空間８３１ｈは、屈曲通路８３１ｂを構成する通路区画壁８３１ｇであって、屈曲通路８３１ｂの下流側に、この屈曲通路８３１ｂを通る遊技球を受け入れて賞球通路８３１ｃへ送り出すスプロケット８３７を配置するための球送出空間８３１ｋを構成するように形成されている。
【０１６７】
球送出空間８３１ｋの下部から賞球表箱８３１の下流端までに亘って通路区画壁８３１ｉが賞球表箱８３１の底面から賞球裏箱８３２側へ向かって突設形成されている。つまり、賞球表箱８３１の中程から左へ曲がった下流側の屈曲通路壁８３１ａに沿ってスプロケット８３７の凹部８３７ａで受け入れた遊技球を送り出す通路と、賞球表箱８３１の中程から左へ曲がった下流側の屈曲通路壁８３１ａと通路区画壁８３１ｉとによる通路と、が連通して形成され、この通路が賞球通路８３１ｃを構成している。
【０１６８】
球送出空間８３１ｋには、上述したように、スプロケット８３７が回転自在に配置されている。スプロケット８３７の外周部には、球送出空間８３１ｋにおいて、遊技球が嵌り合う３つの凹部８３７ａが１２０度ごとに等分されて形成されている。なお、賞球表箱８３１の後面を覆う賞球裏箱８３２にも後述する球送出空間８３２ｋが形成され、この球送出空間８３２ｋにおいても、スプロケット８３７が回転自在に配置されている。スプロケット８３７の外周部には、球送出空間８３２ｋにおいて、遊技球が嵌り合う３つの凹部８３７ｂが１２０度ごとに等分されて形成されている。つまり、賞球表箱８３１に形成される球送出空間８３１ｋに配置されるスプロケット８３７の３つの凹部８３７ａは、賞球表箱８３１の後面を覆う賞球裏箱８３２に形成される球送出空間８３２ｋに配置されるスプロケット８３７の３つの凹部８３７ｂよりも前側に配置されている。また、賞球表箱８３１に形成される球送出空間８３１ｋに配置されるスプロケット８３７の３つの凹部８３７ａと、賞球裏箱８３２に形成される球送出空間８３２ｋに配置されるスプロケット８３７の３つの凹部８３７ｂと、は相互に６０度ずつズラして配置されている。
【０１６９】
賞球通路８３１ｃの下流側には、スプロケット８３７により送り出された遊技球を図４に示した上部満タン球経路ユニット８５０に設けられる図示しない球取入口へ誘導する誘導突片８３１ｍが賞球表箱８３１の底面から賞球裏箱８３２側へ向かって突設されている。この誘導突片８３１ｍの下方には、誘導突片８３１ｍで誘導された遊技球を検出する計数スイッチ８３８が配置されている。計数スイッチ８３８は、先端部に遊技球が通過する円形状の通過穴が形成された直方体状の磁気センサからなり、球送出空間８３１ｋを構成する屈曲通路壁８３１ａの下側と通路区画壁８３１ｉの下側とにそれぞれに形成されるセンサ取付部８３１ｎにより計数スイッチ８３８が狭持支持されている。なお、通路区画壁８３１ｉの下側に形成されるセンサ取付部８３１ｎの近傍であって賞球表箱８３１の下側には、計数スイッチ８３８への電気配線を通すための配線口８３１ｏが開設され、この配線口８３１ｏは、上述した基板取付収容空間８３１ｈと連通されている。
【０１７０】
また、賞球表箱８３１の上側であって、賞球表箱８３１を前方から見て、一対の屈曲通路壁８３１ａのうち左側の屈曲通路壁８３１ａと、賞球表箱８３１の左側壁と、の間には、払出モータ８３９を収納するモータ収容空間８３１ｐが形成されている。このモータ収容空間８３１ｐの内部に払出モータ８３９の円筒状本体が収容されるようになっている。払出モータ８３９は、その前面に形成される一対の取付片８３９ｂによって賞球表箱８３１の底面側に図示しないネジで螺着して固定されるようになっている。払出モータ８３９の出力軸８３９ａには、賞球モータギヤ８４０が固着されるものの、賞球モータギヤ８４０が払出モータ８３９の出力軸８３９ａに固着された状態で払出モータ８３９を賞球表箱８３１の底面に取り付けることができるように、賞球モータギヤ８４０の外形よりも大きいな形状で軸挿通穴８３１ｑが賞球表箱８３１の底面に穿設されている。なお、払出モータ８３９の円筒状本体の上方近傍であって、賞球表箱８３１の上側には、払出モータ８３９への電気配線を通すための配線口８３１ｏが開設されている。
【０１７１】
また、賞球表箱８３１の上側であって、賞球表箱８３１を前方から見て、一対の屈曲通路壁８３１ａのうち右側の屈曲通路壁８３１ａと、賞球表箱８３１の右側壁と、の間であって、賞球表箱８３１に形成される屈曲通路８３１ｂを通る遊技球を賞球表箱８３１に形成される球抜通路８３１ｄへ排出するとともに、賞球裏箱８３２に形成される屈曲通路８３２ｂを通る遊技球を賞球裏箱８３２に形成される球抜通路８３２ｄへ排出するための球抜き片８３６を作動させる機構が形成されている。右側の屈曲通路壁８３１ａ寄りには、賞球表箱８３１の上壁から上述した支軸８３１ｆ近傍にまでに亘って賞球表箱８３１の底面から賞球裏箱８３２側へ向かって位置規定壁８３１ｒが突設されている。この位置規定壁８３１ｒの賞球表箱８３１の右側壁寄り側には、賞球球抜きレバー８３４を球抜き作動させない状態を維持する位置と、賞球球抜きレバー８３４を球抜き作動させる状態を維持する位置と、をそれぞれ規定するための凹部８３１ｓが上下方向に離間して形成されている。賞球表箱８３１の右側壁寄りには、賞球球抜きレバー８３４を上下方向へスライド移動させるための案内片８３１ｔが賞球表箱８３１の底面から賞球裏箱８３２側へ向かって突設されている。賞球表箱８３１の右側壁の後方上側には、後述する賞球球抜きレバー８３４の操作部８３４ａａを賞球表箱８３１の右側壁から突出させるための切欠部８３１ｕが形成されている。
【０１７２】
賞球表箱８３１の表面領域に設けられるギヤ群は、賞球モータギヤ８４０、賞球中間ギヤ８４１、及び検出円盤８４２から構成されている。払出モータ８３９の出力軸８３９ａの先端は、上述したように、賞球表箱８３１の底面に穿設される軸挿通穴８３１ｑを貫通して賞球表箱８３１の表面に突出し、その突出した部分に賞球モータギヤ８４０（本実施形態では、歯数Ｚ１＝１２）が固着されている。賞球モータギヤ８４０の下方には、賞球モータギヤ８４０と噛合する賞球中間ギヤ８４１（本実施形態では、歯数Ｚ２＝６０）が賞球中間ギヤ軸８４３に回転自在に設けられ、賞球中間ギヤ８４１の下方には、賞球中間ギヤ８４１と噛合する賞球スプロケットギヤ８４４（本実施形態では、歯数Ｚ３＝５４）を有する検出円盤８４２がスプロケット８３７を軸支する賞球スプロケット軸８４５に回転自在に設けられている。賞球中間ギヤ軸８４３は、その一端が後述する賞球ギヤカバー８３５の底面に突設される軸受筒８３５ａに支持されるとともに、その他端が賞球表箱８３１の表面に突設される軸受筒８３１ｖに支持されるようになっている。賞球スプロケット軸８４５は、その一端が後述する賞球ギヤカバー８３５の底面に突設される軸受筒８３５ｂに支持されるとともに、その他端が後述する賞球裏箱８３２の底面に突設される軸受筒８３２ｖに支持されるようになっているが、ギヤ領域の下側（賞球表箱８３１を正面から見て、上述した基板取付収容空間８３１ｈの左方）に形成される軸貫通穴８３１ｗを貫通して上述した球送出空間８３１ｋにおいてスプロケット８３７を回転自在に軸支し、賞球ギヤカバー８３５と賞球表箱８３１とによって形成される空間において検出円盤８４２を回転自在に軸支している。
【０１７３】
検出円盤８４２の中心後面部に凹凸状の継手部８４２ａが形成されるとともに、スプロケット８３７の前端部に凸凹状の被継手部８３７ｃが形成され、検出円盤８４２に形成される継手部８４２ａとスプロケット８３７に形成される被継手部８３７ｃと係合した状態となることで、検出円盤８４２とスプロケット８３７とは、賞球スプロケット軸８４５を中心として一体的に回転することができるようになっている。したがって、払出モータ８３９の出力軸８３９ａが回転すると、出力軸８３９ａに固着される賞球モータギヤ８４０が回転することにより、この回転が賞球中間ギヤ８４１、そして検出円盤８４２の賞球スプロケットギヤ８４４を介してスプロケット８３７を回転するように伝達される。
【０１７４】
検出円盤８４２の外周は、賞球スプロケットギヤ８４４の円よりも一回り大きく形成されており、賞球スプロケットギヤ８４４よりも外側に突出している外周部分には、スプロケット８３７の凹部８３７ａ，８３７ｂと同じ数（本実施形態では、凹部８３７ａが３個、凹部８３７ｂが３個、計６個）の検出切欠８４２ｂが形成されている。この検出切欠８４２ｂは、上述した基板取付収容空間８３１ｈに形成される基板取付部８３１ｈａ（図５３（ａ）を参照）に挟持支持される賞球ケース内基板８４７に実装される投受光方式の回転角スイッチ８４６によって検出されるものである。そして、回転角スイッチ８４６は、払出動作時において所定時間内に検出切欠８４２ｂの検出個数を検出することにより、スプロケット８３７が正常に回転しているか否かを監視するためのものである。仮に、回転角スイッチ８４６により、異常回転が検出されたとき（多くは、スプロケット８３７による球ガミ状態）には、スプロケット８３７を所定回数正逆回転させて異常状態（例えば、球ガミ状態）を解消するものである。実際に払い出された遊技球の球数は、上述した計数スイッチ８３８によって検出されるようになっている。なお、賞球ケース内基板８４７の他端辺も後述する賞球ギヤカバー８３５に形成される基板取付部８３５ｃに挟持されるようになっている。
【０１７５】
賞球スプロケットギヤ８４４には、挿入孔８４４ａが６０ごとに等分配されて同一円周上に穿設されている。賞球表箱８３１の底面には、これらの挿入孔８４４ａが配置される同一円周上と対応する位置に円弧状の工具挿入長穴８３１ｚｚが穿設されている。この円弧状の工具挿入長穴８３１ｚｚは、賞球スプロケットギヤ８４４を回転させることにより、賞球モータギヤ８４０、賞球中間ギヤ８４１、及び検出円盤８４２から構成されるギヤ群の回転具合を確認したり、スプロケット８３７の回転具合を確認したりするために、ピアノ線や針金などの工具を円弧状の工具挿入長穴８３１ｚｚを介して賞球スプロケットギヤ８４４の一の挿入孔８４４ａに挿入するためのものである。円弧状の工具挿入長穴８３１ｚｚの円弧長さとしては、少なくとも、賞球スプロケットギヤ８４４の一の挿入孔８４４ａを工具で円弧状の工具挿入長穴８３１ｚｚの一端へ向かって回転させると、一の挿入孔８４４ａと隣接する他の挿入孔８４４ａがその回転方向と反対側における円弧状の工具挿入長穴８３１ｚｚの他端から出現して視認することができるものとなっている。
【０１７６】
［５−２．賞球裏箱］
次に、賞球表箱８３１の後面を覆う賞球裏箱８３２の構成について説明すると、賞球裏箱８３２は、前方が開口される長方形状の箱状に形成され、賞球裏箱８３２の底面から賞球表箱８３１側へ向かって突設される一対の屈曲通路壁８３２ａによって屈曲通路８３２ｂが形成されている。一対の屈曲通路壁８３２ａのうち、一方の屈曲通路壁８３２ａは、賞球裏箱８３２を前方から見て、賞球裏箱８３２の上部中央から下流側のほぼ中程から下流側に大きく左に曲がって下流端の手前から下流端までに亘って賞球裏箱８３２の左端辺の側壁を兼ねているのに対して、他方の屈曲通路壁８３２ａは、賞球裏箱８３２を前方から見て、賞球裏箱８３２の上部中央から下流側のほぼ中程から下流側に大きく右に曲がる部分に切欠部８３２ｅが形成されてほぼ中程から下流端までに亘って賞球裏箱８３２の右端辺の側壁を兼ねている。
【０１７７】
他方の屈曲通路壁８３２ａに形成される切欠部８３２ｅの上端には、賞球裏箱８３２の底面から賞球表箱８３１側へ向かって支軸８３２ｆが突設され、この支軸８３２ｆに軸支されることにより揺動することができる球抜き片８３６が取り付けられている。球抜き片８３６の軸部８３６ａの一端は、上述したように、賞球表箱８３１に突設される支軸８３１ｆが挿入されるとともに、球抜き片８３６の軸部８３６ａの他端は、賞球裏箱８３２に突設される支軸８３２ｆが挿入されることにより、支軸８３１ｆ，８３２ｆにより揺動することができるようになっている。また、球抜き片８３６の側壁部８３６ｂは、上述したように、賞球表箱８３１に突設される他方の屈曲通路壁８３１ａの側壁の上流側と下流側とを同一面となるように湾曲して形成されて切欠部８３１ｅを塞ぐことができるとともに、賞球裏箱８３２に突設される他方の屈曲通路壁８３２ａの側壁の上流側と下流側とを同一面となるように湾曲して形成されて切欠部８３２ｅを塞ぐことができ、滑らかな１つの面として形成されている。
【０１７８】
他方の屈曲通路壁８３２ａに形成される切欠部８３２ｅの下方には、賞球裏箱８３２の中程から下流端までに左右に分かれた屈曲通路壁８３２ａの対をなすように賞球裏箱８３２の底面から賞球表箱８３１側へ向かって通路区画壁８３２ｇが形成されている。つまり、賞球裏箱８３２の中程から左右方向へ曲がる屈曲通路壁８３２ａと通路区画壁８３２ｇとによって２つの通路が構成され、一方の通路が屈曲通路８３２ｂを構成し、他方の通路が球抜通路８３２ｄを構成している。この屈曲通路８３２ｂの下流側は、この屈曲通路８３２ｂを通る遊技球を受け入れて賞球通路８３２ｃへ送り出すスプロケット８３７を配置するための球送出空間８３２ｋを構成するように形成されている。
【０１７９】
球送出空間８３２ｋの下部から賞球裏箱８３２の下流端までに亘って通路区画壁８３２ｉが賞球裏箱８３２の底面から賞球表箱８３１側へ向かって突設形成されている。つまり、賞球裏箱８３２の中程から左へ曲がった下流側の屈曲通路壁８３２ａに沿ってスプロケット８３７の凹部８３７ｂで受け入れた遊技球を送り出す通路と、賞球裏箱８３２の中程から左へ曲がった下流側の屈曲通路壁８３２ａと通路区画壁８３２ｉとによる通路と、が連通して形成され、この通路が賞球通路８３２ｃを構成している。
【０１８０】
球送出空間８３２ｋには、スプロケット８３７が回転自在に配置されている。スプロケット８３７の外周部には、球送出空間８３２ｋにおいて、遊技球が嵌り合う３つの凹部８３７ｂが１２０度ごとに等分されて形成されている。なお、上述したように、賞球裏箱８３２の前方に配置される賞球表箱８３１に形成される球送出空間８３１ｋにも、スプロケット８３７が回転自在に配置されている。スプロケット８３７の外周部には、球送出空間８３１ｋにおいて、遊技球が嵌り合う３つの凹部８３７ａが１２０度ごとに等分されて形成されている。つまり、賞球裏箱８３２に形成される球送出空間８３２ｋに配置されるスプロケット８３７の３つの凹部８３７ｂは、賞球裏箱８３２の前方に配置される賞球表箱８３１に形成される球送出空間８３１ｋに配置されるスプロケット８３７の３つの凹部８３７ａよりも後側に配置されている。また、上述したように、賞球表箱８３１に形成される球送出空間８３１ｋに配置されるスプロケット８３７の３つの凹部８３７ａと、賞球裏箱８３２に形成される球送出空間８３２ｋに配置されるスプロケット８３７の３つの凹部８３７ｂと、は相互に６０度ずつズラして配置されている。
【０１８１】
賞球通路８３２ｃの下流側には、スプロケット８３７により送り出された遊技球を図４に示した上部満タン球経路ユニット８５０に設けられる図示しない球取入口へ誘導する誘導突片８３２ｍが賞球裏箱８３２の底面から賞球裏箱８３２側へ向かって突設されている。この誘導突片８３２ｍの下方には、誘導突片８３２ｍで誘導された遊技球を検出する計数スイッチ８３８が配置されている。計数スイッチ８３８は、上述したように、先端部に遊技球が通過する円形状の通過穴が形成された直方体状の磁気センサからなり、計数スイッチ８３８の一端辺が球送出空間８３１ｋを構成する屈曲通路壁８３１ａの下側と通路区画壁８３１ｉの下側とにそれぞれに形成されるセンサ取付部８３１ｎに狭持支持され、計数スイッチ８３８の他端辺が球送出空間８３２ｋを構成する屈曲通路壁８３２ａの下側と通路区画壁８３２ｉの下側とにそれぞれに形成されるセンサ取付部８３２ｎに狭持支持されている。
【０１８２】
また、賞球裏箱８３２の底面には、上述した賞球スプロケット軸８４５の他端が挿入されて賞球スプロケット軸８４５を支持する軸受筒８３２ｖが賞球裏箱８３２の底面から賞球表箱８３１へ向かって突設されている。
【０１８３】
また、賞球裏箱８３２の上側であって、賞球裏箱８３２を前方から見て、一対の屈曲通路壁８３２ａのうち左側の屈曲通路壁８３２ａと、賞球裏箱８３２の左側壁と、の間には、払出モータ８３９を収納するモータ収容空間８３２ｐが形成されている。このモータ収容空間８３２ｐの内部に払出モータ８３９の円筒状本体が収容されるようになっている。払出モータ８３９の裏面（出力軸８３９ａが設けられている面と反対側の面）と対面する賞球裏箱８３２の底面には、払出モータ８３９から発せられる熱を外部へ逃がすための放熱口８３２ｒが複数穿設されている。
【０１８４】
また、賞球裏箱８３２の上側であって、賞球裏箱８３２を前方から見て、一対の屈曲通路壁８３２ａのうち右側の屈曲通路壁８３２ａと、賞球裏箱８３２の右側壁と、の間であって、賞球表箱８３１に形成される屈曲通路８３１ｂを通る遊技球を賞球表箱８３１に形成される球抜通路８３１ｄへ排出するとともに、賞球裏箱８３２に形成される屈曲通路８３２ｂを通る遊技球を賞球裏箱８３２に形成される球抜通路８３２ｄへ排出するための球抜き片８３６を作動させる機構が形成されている。右側の屈曲通路壁８３２ａ寄りには、賞球裏箱８３２の上壁から上述した支軸８３２ｆ近傍にまでに亘って賞球裏箱８３２の底面から賞球表箱８３１側へ向かって位置規定壁８３２ｓが突設されている。この位置規定壁８３２ｓの賞球裏箱８３２の右側壁寄り側には、賞球球抜きレバー８３４を球抜き作動させない状態を維持する位置と、賞球球抜きレバー８３４を球抜き作動させる状態を維持する位置と、をそれぞれ規定するための凹部８３２ｔが上下方向に離間して形成されている。賞球裏箱８３２の右側壁寄りには、賞球球抜きレバー８３４を上下方向へスライド移動させるための案内片８３２ｕが賞球裏箱８３２の底面から賞球表箱８３１側へ向かって突設されている。賞球裏箱８３２の右側壁の上側後方には、後述する賞球球抜きレバー８３４の操作部８３４ａａを賞球裏箱８３２の右側壁から突出させるための切欠部８３２ｘが形成されている。
【０１８５】
また、賞球裏箱８３２の上端面には、図４に示した球誘導ユニット８２０の下端面側に形成される図示しない一対の位置決め凹部と対応する位置に、一対の挿入片８３２ｙが上方へ向かって突設されている。
【０１８６】
また、賞球裏箱８３２の下壁の中央よりに、図４に示した本体枠ベース６００に形成される図示しないロック用凸部を挿入するための切欠部８３２ｚが形成されている。
【０１８７】
また、賞球裏箱８３２の底面には、球抜き片８３６の揺動具合を確認するために、ピアノ線や針金などの工具を挿入するための工具挿入長穴８３２ｚｚが球抜き片８３６の側壁部８３６ｂの形状に沿って湾曲して穿設されている。
【０１８８】
［５−３．賞球中仕切板］
次に、賞球表箱８３１に賞球裏箱８３２を取り付ける際に賞球表箱８３１に形成される屈曲通路８３１ｂを通る遊技球と賞球裏箱８３２に形成される屈曲通路８３２ｂを通る遊技球とが相互に侵入することを防止するための賞球中仕切板８３３の構成について説明すると、賞球中仕切板８３３は、賞球表箱８３１に形成される屈曲通路８３１ｂの形状と、賞球裏箱８３２に形成される屈曲通路８３２ｂの形状と、に沿って屈曲した板状に形成されている。
【０１８９】
賞球中仕切板８３３の上面は、賞球表箱８３１と賞球裏箱８３２とにより狭持された状態において、賞球表箱８３１の上面と賞球裏箱８３２の上面とが同一面となる。賞球中仕切板８３３の前面上端部と後面上端部とには、球誘導ユニット８２０の前側球誘導通路と後側誘導通路とを通る遊技球がそれぞれスムーズに流入することができるように（流入し易いように）、賞球中仕切板８３３の上端部から下方へ向かって所定距離寸法内において、賞球中仕切板８３３の前後方向における断面積が徐々に大きくなるように傾斜部８３３ａがそれぞれ形成されている。
【０１９０】
賞球中仕切板８３３の下面は、賞球中仕切板８３３が賞球表箱８３１と賞球裏箱８３２とにより狭持された状態において、賞球表箱８３１に形成される球送出空間８３１ｋにおけるスプロケット８３７の前側の３つの凹部８３７ａと、賞球裏箱８３２に形成される球送出空間８３２ｋにおけるスプロケット８３７の後側の３つの凹部８３７ｂと、の間であって、スプロケット８３７本体よりやや上方までに達している。そして、賞球中仕切板８３３の前面下端部と後面下端部とには、賞球表箱８３１に形成される屈曲通路８３１ｂを通る遊技球が賞球表箱８３１に形成される球送出空間８３１ｋにおけるスプロケット８３７の前側の３つの凹部８３７ａへスムーズに流入することができるように（流入し易いように）、かつ、賞球裏箱８３２に形成される屈曲通路８３２ｂを通る遊技球が賞球裏箱８３２に形成される球送出空間８３２ｋにおけるスプロケット８３７の後側の３つの凹部８３７ｂへスムーズに流入することができるように（流入し易いように）、賞球中仕切板８３３の下端部から上方へ向かって所定距離寸法内において、賞球中仕切板８３３の前後方向における断面積が徐々に大きくなるように傾斜部８３３ｂがそれぞれ形成されている（つまり、賞球中仕切板８３３の下端部へ向かって、賞球中仕切板８３３の前後方向における断面積が徐々に小さくなるように傾斜部８３３ｂがそれぞれ形成されている）。
【０１９１】
［５−４．賞球球抜きレバー］
次に、賞球表箱８３１に形成される屈曲通路８３１ｂを通る遊技球を賞球表箱８３１に形成される球抜通路８３１ｄへ排出するとともに、賞球裏箱８３２に形成される屈曲通路８３２ｂを通る遊技球を賞球裏箱８３２に形成される球抜通路８３２ｄへ排出するための賞球球抜きレバー８３４の構成について説明すると、賞球球抜きレバー８３４は、前後方向に長い直方体に形成されるレバー本体８３４ａと、レバー本体８３４ａの上面に上方へ向かって細長い板状の弾性片８３４ｂが突設されるとともに、弾性片８３４ｂの上端であって左方へ向かって凸部８３４ｂａが突設されている。レバー本体８３４ａの右面上側には、操作部８３４ａａが右方へ向かって突設されている。レバー本体８３４ａの左面下側には、賞球球抜きレバー８３４に形成される補強リブ８３６ｃと当接することができる凸部８３４ａｂ（図５３（ａ），（ｂ）を参照）が左方へ向かって突設されている。レバー本体８３４ａの前面側と後面側とには、スライド案内溝８３４ａｃ，８３４ａｄがそれぞれ形成されている。
【０１９２】
賞球球抜きレバー８３４が賞球表箱８３１と賞球裏箱８３２とにより狭持された状態において、レバー本体８３４ａの前面側に形成されるスライド案内溝８３４ａｃは、賞球表箱８３１に突設される案内片８３１ｔに挿入されるとともに、レバー本体８３４ａの後面に形成されるスライド案内溝８３４ａｄは、賞球裏箱８３２に突設される案内片８３２ｕに挿入されることにより、賞球球抜きレバー８３４が案内片８３１ｔ，８３２ｕに沿って上下方向へスライド移動することができる。そして賞球球抜きレバー８３４の操作部８３４ａａを上下方向へスライド移動させる場合において、弾性片８３４ｂに突設される凸部８３４ｂａが賞球表箱８３１に突設される位置規定壁８３１ｒに形成される下側の凹部８３１ｓと、賞球裏箱８３２に突設される位置規定壁８３２ｓに形成される下側の凹部８３２ｔと、にそれぞれ係合する状態では、レバー本体８３４ａの左面下側に突設される凸部８３４ａｂが賞球球抜きレバー８３４に形成される補強リブ８３６ｃと当接した状態が維持されることにより、球抜き片８３６の側壁部８３６ｂは、賞球表箱８３１に突設される他方の屈曲通路壁８３１ａの側壁に形成される切欠部８３１ｅと、賞球裏箱８３２に突設される他方の屈曲通路壁８３２ａに形成される切欠部８３２ｅと、をそれぞれ塞ぐことができる状態が維持されるとともに、賞球中仕切板８３３の右側面と当接した状態が維持される。このような状態においては、賞球表箱８３１に形成される屈曲通路８３１ｂを通る遊技球及び／又は賞球裏箱８３２に形成される屈曲通路８３２ｂを通る遊技球の自重で球抜き片８３６を賞球表箱８３１に突設される支軸８３１ｆと、賞球裏箱８３２に突設される支軸８３２ｆと、に対して揺動させることができないため、球抜き片８３６を球抜き作動させることができず、賞球表箱８３１に形成される屈曲通路８３１ｂを通る遊技球を賞球表箱８３１に形成される球抜通路８３１ｄへ排出することができない状態となるとともに、賞球裏箱８３２に形成される屈曲通路８３２ｂを通る遊技球を賞球裏箱８３２に形成される球抜通路８３２ｄへ排出することができない状態となる。
【０１９３】
これに対して、賞球球抜きレバー８３４の操作部８３４ａａを上下方向へスライド移動させる場合において、弾性片８３４ｂに突設される凸部８３４ｂａが賞球表箱８３１に突設される位置規定壁８３１ｒに形成される上側の凹部８３１ｓと、賞球裏箱８３２に突設される位置規定壁８３２ｓに形成される上側の凹部８３２ｔと、にそれぞれ係合する状態では、レバー本体８３４ａの左面下側に突設される凸部８３４ａｂが賞球球抜きレバー８３４に形成される補強リブ８３６ｃと当接した状態が解除されることにより、球抜き片８３６の側壁部８３６ｂは、賞球表箱８３１に突設される他方の屈曲通路壁８３１ａの側壁に形成される切欠部８３１ｅと、賞球裏箱８３２に突設される他方の屈曲通路壁８３２ａに形成される切欠部８３２ｅと、をそれぞれ塞ぐことができる状態が解除されるとともに、賞球中仕切板８３３の右側面と当接した状態が解除される。このような状態においては、賞球表箱８３１に形成される屈曲通路８３１ｂを通る遊技球及び／又は賞球裏箱８３２に形成される屈曲通路８３２ｂを通る遊技球の自重で球抜き片８３６を支軸８３１ｆと、賞球裏箱８３２に突設される支軸８３２ｆと、に対して揺動させることができるため、球抜き片８３６を球抜き作動させることができ、賞球表箱８３１に形成される屈曲通路８３１ｂを通る遊技球を賞球表箱８３１に形成される球抜通路８３１ｄへ排出することができる状態となるとともに、賞球裏箱８３２に形成される屈曲通路８３２ｂを通る遊技球を賞球裏箱８３２に形成される球抜通路８３２ｄへ排出することができる状態となる。なお、球抜通路８３１ｄ，８３２ｄから排出される遊技球は、図４に示した本体枠４に備える本体枠ベース６００の後側に取付けられる球排出通路８６５を通ってパチンコ遊技機１の外部へ排出されて、図示しないパチンコ島設備に設置される球揚送装置へ供給される。
【０１９４】
［５−５．賞球ギヤカバー］
次に、賞球表箱８３１の前面を覆うとともに、賞球表箱８３１の表面領域に設けられるギヤ群（賞球モータギヤ８４０、賞球中間ギヤ８４１、及び検出円盤８４２から構成されている。）を被覆する賞球ギヤカバー８３５の構成について説明すると、賞球ギヤカバー８３５は、後方が開口される長方形状の箱状に形成され、賞球表箱８３１の前面に配置されるギヤ群（賞球モータギヤ８４０、賞球中間ギヤ８４１、及び検出円盤８４２から構成されている。）へ電気配線が巻き込まれないようにギヤ区画壁８３５ｄが賞球ギヤカバー８３５の底面から賞球表箱８３１へ向かって突設されることにより、ギヤ保護空間８３５ｅが形成されるとともに、ギヤ保護空間８３５ｅを除く他の空間を電気配線を引き回すための配線空間８３５ｆとして形成されている。
【０１９５】
ギヤ保護空間８３５ｅには、上述した賞球中間ギヤ軸８４３の一端が挿入されて賞球中間ギヤ軸８４３を支持する軸受筒８３５ａが賞球ギヤカバー８３５の底面から賞球ギヤカバー８３５の前面に突設されるとともに、軸受筒８３５ａの下方に、上述した賞球スプロケット軸８４５の一端が挿入されて賞球スプロケット軸８４５を支持する軸受筒８３５ｂが賞球ギヤカバー８３５の底面から賞球ギヤカバー８３５の前面へ向かって突設されている。また、ギヤ保護空間８３５ｅには、上述した賞球表箱８３１の基板取付収容空間８３１ｈに形成される基板取付部８３１ｈａ（図５３（ａ）を参照）に挟持支持される賞球ケース内基板８４７の他端辺を挟持支持する基板取付部８３５ｃが賞球ギヤカバー８３５の底面から賞球表箱８３１へ向かって突設されている。
【０１９６】
配線空間８３５ｆには、ギヤ保護空間８３５ｅの底面上側及び底面右側に、払出モータ８３９の円筒状本体の上方近傍に開設される賞球表箱８３１の配線口８３１ｏを介して通す賞球表箱８３１の底面側に図示しないネジで螺着して固定される払出モータ８３９への電気配線を掛け留めて纏める配線処理片８３５ｇが賞球ギヤカバー８３５の底面から賞球表箱８３１へ向かって突設されている。
【０１９７】
配線処理片８３５ｇで纏められる払出モータ８３９への電気配線に加えて、賞球表箱８３１の裏面側に取り付けられる計数スイッチへの電気配線（計数スイッチ８３８への電気配線は、計数スイッチ８３８の近傍に開設される賞球表箱８３１の配線口８３１ｏを介して賞球表箱８３１の基板取付収容空間８３１ｈを通すことができるようになっている。）と、賞球表箱８３１の基板取付収容空間８３１ｈに収容される賞球ケース内基板８４７への電気配線と、を配線空間８３５ｆからギヤ保護空間８３５ｅの外側へ通す（つまり、払出装置８３０の払出制御を行う、図４に示した払出制御基板ボックス９５０に収容された払出制御基板９５１と払出装置８３０とを電気的に接続する電気配線を通す）ための配線切欠部８３５ｈがギヤ保護空間８３５ｅの右側壁の下側に形成されている。
【０１９８】
なお、賞球裏箱８３２に複数突設される取付ボス８３２ｗの先端部と対応する位置に貫通穴８３１ｙが賞球表箱８３１に穿設されるとともに、貫通穴８３１ｙと対応する位置に取付穴８３５ｉが賞球ギヤカバー８３５に穿設されている。取付穴８３５ｉと貫通穴８３１ｙと取付ボス８３２ｗとを一致させた状態で賞球ギヤカバー８３５の前面から図示しないネジで螺着することにより、賞球表箱８３１、そして賞球中仕切板８３３を挟持する状態で賞球ギヤカバー８３５と賞球裏箱８３２とが一体的に固定されるようになっている。
【０１９９】
また、賞球ギヤカバー８３５には、払出装置８３０を図４に示した本体枠４に備える本体枠ベース６００の後側に取付けられる逆Ｌ字状の払出ユニットベース８０１の後面側に着脱自在に取り付けるための鉤状係合部８３５ｋが複数突設されるとともに、払出装置８３０を払出ユニットベース８０１の後面に押し当てて上方へスライドさせる際に、払出ユニットベース８０１の後面に上下方向に沿って形成される図示しないガイド溝に挿入されるガイド突起８３５ｍが突設されている。これらの鉤状係合部８３５ｋは、本体枠ベース６００に形成される図示しない係合突片とそれぞれ係合するものであり、払出装置８３０を払出ユニットベース８０１の後面に押し当てて上方へ向かってスライドさせて押し上げることにより、鉤状係合部８３５ｋと図示しない係合突片とがそれぞれ係合する。そして、賞球裏箱８３２の上端面に形成される一対の挿入片８３２ｙが図４に示した球誘導ユニット８２０の下端面側に形成される図示しない一対の位置決め凹部に挿入されて、払出装置８３０の上端面と球誘導ユニット８２０の下端面とが当接する状態となり、このとき、図４に示した本体枠４に備える本体枠ベース６００の後側に取付けられるロック部材８７０を上方へ押し上げることにより、このロック部材８７０に形成される図示しないロック用凸部が賞球裏箱８３２の下壁に形成される切欠部８３２ｚに挿入されて図示しないロック用凸部と切欠部８３２ｚとが係合する。これにより、払出装置８３０を払出ユニットベース８０１の後面側に固定することができる。
【０２００】
［５−６．スプロケットの定位置］
次に、スプロケット８３７の定位置について説明すると、スプロケット８３７の回転角度は、上述したように、検出円盤８４２の外周に形成される検出切欠８４２ｂを回転角スイッチ８４６により検出することができるように構成されている。回転角スイッチ８４６からの検出信号は、払出モータ８３９を駆動制御する図４に示した払出制御基板ボックス９５０に収容された払出制御基板９５１へ伝わり、払出制御基板９５１が回転角スイッチ８４６からの検出信号に基づいて、スプロケット８３７の回転位置を把握することができるようになっている。払出制御基板９５１は、スプロケット８３７の回転位置を定位置に停止させる場合には、回転角スイッチ８４６からの検出信号に基づいて、検出切欠８４２ｂを検出すると、払出モータ８３９の出力軸８３９ａを予め定めた回転角度だけ回転させた後に、駆動停止した状態を維持することによりスプロケット８３７を定位置で待機する状態を維持する。
【０２０１】
スプロケット８３７の外周部には、上述したように、賞球表箱８３１に形成される球送出空間８３１ｋにおいて、遊技球が嵌り合う３つの凹部８３７ａが１２０度ごとに等分されて形成されるとともに、賞球裏箱８３２に形成される球送出空間８３２ｋにおいて、遊技球が嵌り合う３つの凹部８３７ｂが１２０度ごとに等分されて形成され、賞球表箱８３１に形成される球送出空間８３１ｋに配置されるスプロケット８３７の３つの凹部８３７ａと、賞球裏箱８３２に形成される球送出空間８３２ｋに配置されるスプロケット８３７の３つの凹部８３７ｂと、は相互に６０度ずつズレて配置されている。スプロケット８３７が１回転するごとに、それぞれ３つの凹部８３７ａ，８３７ｂで受け入れた遊技球を最大で６球の遊技球を下流側へ送り出すことができる。
【０２０２】
払出モータ８３９の出力軸８３９ａが回転すると、上述したように、出力軸８３９ａに固着される賞球モータギヤ８４０が回転することにより、この回転が賞球中間ギヤ８４１、そして検出円盤８４２の賞球スプロケットギヤ８４４を介してスプロケット８３７を回転するように伝達される。払出モータ８３９は、小型のステッピングモータであり、その出力軸８３９ａを１５ステップ回転させると、スプロケット８３７が６０度回転することにより、上述した凹部８３７ａ，８３７ｂのいずれか１つの凹部で受け入れた遊技球を下流側へ１球送り出すことができるとともに、その出力軸８３９ａを９０ステップ回転させると、スプロケット８３７が３６０度、つまり１回転することにより、上述した凹部８３７ａ，８３７ｂで受け入れた遊技球をすべて下流側へ送り出すことができる。
【０２０３】
スプロケット８３７が定位置で停止した状態においては、賞球表箱８３１に形成される球送出空間８３１ｋにおいて、図５３（ａ）に示すように、スプロケット８３７の外周部と凹部８３７ａとの境界部分である稜線上で賞球表箱８３１に形成される屈曲通路８３１ｂを通る遊技球を受け止める状態となるとともに、賞球裏箱８３２に形成される球送出空間８３２ｋにおいて、図５３（ｂ）に示すように、スプロケット８３７の外周部と凹部８３７ｂとの境界部分である稜線上で賞球裏箱８３２に形成される屈曲通路８３２ｂを通る遊技球を受け止める状態となるように払出制御基板９５１により制御されている。
【０２０４】
本実施形態では、払出モータ８３９として、遊技盤５の各種可動体を作動させるために設けられる小型のステッピングモータと同一のものを用いている。この小型のステッピングモータは、その円筒状本体の外径は２０ｍｍであり、長さは１８．９ｍｍという寸法距離を有した極めて小型のものである。このような小型のステッピングモータである払出モータ８３９では、静止トルクが極めて小さいため、スプロケット８３７の凹部８３７ａへ受け入れた遊技球に対して賞球表箱８３１に形成される屈曲通路８３１ｂを通る後続の遊技球の自重やスプロケット８３７の凹部８３７ｂへ受け入れた遊技球に対して賞球裏箱８３２に形成される屈曲通路８３２ｂを通る後続の遊技球の自重により、払出モータ８３９の静止トルクを超えてスプロケット８３７を回転停止させた状態を維持することができず、スプロケット８３７を回転させるおそれがある。
【０２０５】
そこで、本実施形態では、スプロケット８３７の定位置として、上述したように、賞球表箱８３１に形成される球送出空間８３１ｋにおいて、図５３（ａ）に示した、スプロケット８３７の外周部と凹部８３７ａとの境界部分である稜線上で賞球表箱８３１に形成される屈曲通路８３１ｂを通る遊技球を受け止める状態とするとともに、賞球裏箱８３２に形成される球送出空間８３２ｋにおいて、図５３（ｂ）に示した、スプロケット８３７の外周部と凹部８３７ｂとの境界部分である稜線上で賞球裏箱８３２に形成される屈曲通路８３２ｂを通る遊技球を受け止める状態とすることにより、スプロケット８３７が定位置に維持されている状態では、賞球表箱８３１に形成される屈曲通路８３１ｂを通る遊技球の自重がスプロケット８３７の外周部と凹部８３７ａとの境界部分である稜線上に対してスプロケット８３７を、払出装置８３０を正面側から見て、時計回りに回転させる方向（図５３（ａ）では、時計回り方向）へ負荷を付与することができる状態となるのに対して、賞球裏箱８３２に形成される屈曲通路８３２ｂを通る遊技球の自重がスプロケット８３７の外周部と凹部８３７ｂとの境界部分である稜線上に対してスプロケット８３７を、払出装置８３０を正面側から見て、反時計回りに回転させる方向（図５３（ｂ）では、時計回り方向）へ負荷を付与することができる状態となる。このような、スプロケット８３７の外周部と凹部８３７ａとの境界部分である稜線上と、スプロケット８３７の外周部と凹部８３７ｂとの境界部分である稜線上と、に遊技球の自重による負荷がバランス良く付与されてつり合った状態とすることができる。
【０２０６】
これにより、スプロケット８３７を定位置として、遊技球の自重による負荷がバランス良く付与されてつり合った状態とすることにより、静止トルクが極めて小さい小型のステッピングモータである払出モータ８３９を採用しても、スプロケット８３７を定位置において停止した状態を維持することができる。また、スプロケット８３７が定位置に停止した状態においては、遊技球の自重による負荷がバランス良く付与されてつり合った状態となっているため、小型のステッピングモータである払出モータ８３９の駆動開始時における払出モータ８３９の出力軸８３９ａへの負荷が著しく大きくなることを抑制することができて脱調を防ぐことができるとともに、スプロケット８３７をスムーズに回転させることができる。
【０２０７】
また、上述したように、スプロケット８３７の外周部と凹部８３７ａとの境界部分である稜線上と、スプロケット８３７の外周部と凹部８３７ｂとの境界部分である稜線上と、に遊技球の自重による負荷がバランス良く付与されてつり合った状態とすることができるようになっているため、遊技ホールの営業終了後にパチンコ遊技機１への電源を遮断した後に、仮に地震が発生したとしても、スプロケットの回転位置が定位置からズレる蓋然性を小さく抑えることができる。
【０２０８】
また、本実施形態では、上述したように、払出モータ８３９として、遊技盤５の各種可動体を作動させるために設けられる小型のステッピングモータと同一のものを用いている。これにより、払出装置８３０の奥行き方向の距離寸法を小さくすることにより払出装置８３０と対応する位置における遊技盤５の奥行き方向の距離寸法を大きく確保することができため、この払出装置８３０と対応する位置における遊技盤５後面における奥行き方向の空間を大きく確保することができて複数の電気的駆動源を有する大型の可動体装置を配置することができる。
【０２０９】
なお、例えば、スプロケット８３７の凹部８３７ａにおいて賞球表箱８３１に形成される屈曲通路８３１ｂを通る遊技球を受け入れて止めた状態とするとともに、スプロケット８３７の凹部８３７ｂにおいて賞球裏箱８３２に形成される屈曲通路８３２ｂを通る遊技球を受け入れずにスプロケット８３７の外周部で受け止める状態とする場合には、スプロケット８３７の凹部８３７ｂにおいて賞球裏箱８３２に形成される屈曲通路８３２ｂを通る遊技球を受け入れずにスプロケット８３７の外周部で受け止めると、賞球裏箱８３２に形成される屈曲通路８３２ｂを通る後続の遊技球の自重がスプロケット８３７の軸心方向、つまりスプロケット８３７を軸支する賞球スプロケット軸８４５の軸心方向へ負荷として付与される一方、スプロケット８３７の凹部８３７ａへ受け入れた遊技球に対して、スプロケット８３７を回転させる負荷として、賞球表箱８３１に形成される屈曲通路８３１ｂを通る後続の遊技球の自重が付与されることとなるため、スプロケット８３７の外周部と凹部８３７ａとの境界部分である稜線上と、スプロケット８３７の外周部と凹部８３７ｂとの境界部分である稜線上と、に遊技球の自重による負荷がバランス良く付与されてつり合った状態が崩れるという欠点があり、スプロケット８３７の定位置として好ましくない。
【０２１０】
［５−７．払出装置のメンテナンス］
次に、払出装置８３０のメンテナンスについて説明すると、賞球モータギヤ８４０、賞球中間ギヤ８４１、及び検出円盤８４２から構成されるギヤ群の回転具合を確認したり、スプロケット８３７の回転具合を確認したりする場合には、図５４（ａ）に示すように、ピアノ線や針金などの工具を、払出装置８３０の正面側（賞球表箱８３１の正面側）から賞球表箱８３１に穿設される円弧状の工具挿入長穴８３１ｚｚを介して、賞球スプロケットギヤ８４４の一の挿入孔８４４ａに挿入して円弧状の工具挿入長穴８３１ｚｚに沿って回転させて行うことができる。これにより、賞球モータギヤ８４０、賞球中間ギヤ８４１、及び賞球スプロケットギヤ８４４のいずれかに歯の折損が発生して回転が伝達されていない不具合を確認することができるし、屈曲通路８３１ｂ，８３２ｂに遊技球を入れて賞球スプロケットギヤ８４４を有する検出円盤８４２が回転しているにもかかわらず、賞球通路８３１ｃ，８３２ｃから遊技球が送り出されない場合には、検出円盤８４２に形成される継手部８４２ａとスプロケット８３７に形成される被継手部８３７ｃとの係合状態に不具合が発生していることを確認することもできる。
【０２１１】
また、球抜き片８３６の揺動具合を確認する場合には、図５４（ｂ）に示すように、賞球球抜きレバー８３４の操作部８３４ａａを上方へ向かってスライド移動させて球抜き片８３６が揺動することができる状態にした後に、ピアノ線や針金などの工具を、払出装置８３０の背面側（賞球裏箱８３２の背面側）から賞球裏箱８３２に穿設される湾曲した工具挿入長穴８３２ｚｚを介して、球抜き片８３６の側壁部８３６ｂや球抜き片８３６の補強リブ８３６ｃに触れ、湾曲した工具挿入長穴８３２ｚｚに沿って動かすことにより、球抜き片８３６を揺動させることができる。これにより、例えばタバコのヤニやホコリによって球抜き片８３６が揺動することができない状態又はスムーズに揺動することができない状態となっていることを確認することができるとともに、繰り返しピアノ線や針金などの工具を湾曲した工具挿入長穴８３２ｚｚに沿って動かすことにより、このような状態を解消することができる。
【０２１２】
［６．払出制御基板］
次に、遊技球の払い出し等を制御する払出制御基板９５１について、図５５及び図５６を参照して説明する。図５５は払出制御基板のブロック図であり、図５６は払出装置の払出モータに駆動信号を出力するための払出モータ駆動回路を示す回路図である。
【０２１３】
払出制御基板９５１は、図４に示した、各種機能を兼用する操作スイッチ９５２と、パチンコ遊技機１の状態を表示するエラーＬＥＤ表示器９５３と、のほかに、図５５に示すように、払い出しに関する各種制御を行う払出制御部９５４を備えている。ここでは、払出制御部９５４、払出モータ駆動回路９５４ｄ、払出モータ８３９への駆動電圧の切替回路、そして払出モータ８３９への駆動電圧の切替タイミングについて説明する。
【０２１４】
［６−１．払出制御部］
払い出しに関する各種制御を行う払出制御部９５４は、図５５に示すように、各種制御プログラムや各種コマンドを記憶するＲＯＭや一時的にデータを記憶するＲＡＭ等が内蔵されるマイクロプロセッサである払出制御ＭＰＵ９５４ａと、払い出しに関する各種検出スイッチからの検出信号が入力される払出制御入力回路９５４ｂと、各種信号を外部の基板等へ出力するための払出制御出力回路９５４ｃと、図４８に示した払出装置８３０の払出モータ８３９に駆動信号を出力するための払出モータ駆動回路９５４ｄと、パチンコ遊技機１に隣接して遊技ホールのパチンコ島設備に設置される図示しないＣＲユニットとの各種信号をやり取りするためのＣＲユニット入出力回路９５４ｅと、を備えている。払出制御ＭＰＵ９５４ａには、その内蔵されているＲＡＭ（以下、「払出制御内蔵ＲＡＭ」と記載する。）や、その内蔵されているＲＯＭ（以下、「払出制御内蔵ＲＯＭ」と記載する。）のほかに、その動作（システム）を監視するウォッチドックタイマや不正を防止するための機能等も内蔵されている。
【０２１５】
払出制御入力回路９５４ｂは、その各種入力端子に各種検出スイッチからの検出信号がそれぞれ入力された情報を強制的にリセットするためのリセット端子が設けられず、リセット機能を有していない。このため、払出制御入力回路９５４ｂは、図示しないリセット信号を出力する専用ＩＣである払出制御システムリセットＩＣ（以下、「払出制御システムリセットＩＣ」と記載する。）からのシステムリセット信号が入力されない回路として構成されている。つまり、払出制御入力回路９５４ｂは、その各種入力端子に入力されている各種検出スイッチからの検出信号に基づく情報が払出制御システムリセットＩＣによりリセットされないことによって、その情報に基づく各種信号がその各種出力端子から出力される回路として構成されている。
【０２１６】
払出制御出力回路９５４ｃは、エミッタ端子がグランド（ＧＮＤ）と接地されたオープンコレクタ出力タイプとして回路構成されており、その各種入力端子に各種信号を外部の基板等へ出力するための各種信号が入力された情報を強制的にリセットするためのリセット端子が設けられるリセット機能を有するリセット機能付き払出制御出力回路９５４ｃａと、リセット端子が設けられていないリセット機能を有しないリセット機能なし払出制御出力回路９５４ｃｂと、から構成されている。リセット機能付き払出制御出力回路９５４ｃａは、払出制御システムリセットＩＣからのシステムリセット信号が入力される回路として構成されている。つまり、リセット機能付き払出制御出力回路９５４ｃａは、その各種入力端子に入力されている各種信号を外部の基板等へ出力するための情報が後述する払出制御システムリセットによりリセットされることによって、その情報に基づく信号がその各種出力端子から全く出力されない回路として構成されている。これに対して、リセット機能なし払出制御出力回路９５４ｃｂは、払出制御システムリセットＩＣからのシステムリセット信号が入力されない回路として構成されている。つまり、リセット機能なし払出制御出力回路９５４ｃｂは、その各種入力端子に入力されている各種信号を外部の基板等へ出力するための情報が払出制御システムリセットＩＣによりリセットされないことによって、その情報に基づく信号がその各種出力端子から出力される回路として構成されている。
【０２１７】
図４に示した球誘導ユニット８２０に形成される２条の球誘導通路内に遊技球の有無を検出する球切れスイッチ８２１、図５３（ａ），（ｂ）に示した払出装置８３０の賞球通路８３１ｃ，８３２ｃ内を流下する遊技球を検出する計数スイッチ８３８からの検出信号は、払出制御入力回路９５４ｂを介して払出制御ＭＰＵ９５４ａの所定の入力ポートの入力端子に入力されている。図５３（ａ）に示した払出装置８３０の検出円盤８４２の外周に形成された検出切欠８４２ｂを検出するための回転角スイッチ８４６からの検出信号は、まず払出装置８３０の賞球ケース内基板８４７、そして払出制御入力回路９５４ｂを介して払出制御ＭＰＵ９５４ａの所定の入力ポートの入力端子に入力されている。
【０２１８】
また、本体枠４に対する扉枠３の開放を検出する図示しない扉枠開放スイッチからの検出信号と、外枠２に対する本体枠４の開放を検出する図示しない本体枠開放スイッチからの検出信号と、は払出制御入力回路９５４ｂを介して払出制御ＭＰＵ９５４ａの所定の入力ポートの入力端子に入力されている。
【０２１９】
また、図１６に示した扉枠３の満タン球受口５２８へ誘導する図４に示した下部満タン球経路ユニット８６０に形成される満タン誘導路内が遊技球で満タンであるか否かを検出する図示しない満タンスイッチからの検出信号は、払出制御入力回路９５４ｂを介して払出制御ＭＰＵ９５４ａの所定の入力ポートの入力端子に入力されている。
【０２２０】
払出制御ＭＰＵ９５４ａは、遊技盤５に備える主制御基板ボックスに収容される遊技の進行を制御する図示しない主制御基板（以下、「主制御基板」と記載する。）からの払い出しに関する各種コマンドを、払出制御入力回路９５４ｂを介して、そのシリアル入力ポートの入力端子で受信するようになっている。払出制御ＭＰＵ９５４ａは、主制御基板からの各種コマンドをシリアルデータとして正常受信完了すると、その旨を伝える信号（払主ＡＣＫ信号）を、その所定の出力ポートの出力端子からリセット機能付き払出制御出力回路９５４ｃａに出力することにより、リセット機能付き払出制御出力回路９５４ｃａから主制御基板に信号（払主ＡＣＫ信号）を出力する。
【０２２１】
また、払出制御ＭＰＵ９５４ａは、そのシリアル出力ポートの出力端子から、パチンコ遊技機１の状態を示すための各種コマンドをシリアルデータとしてリセット機能なし払出制御出力回路９５４ｃｂに送信することにより、リセット機能なし払出制御出力回路９５４ｃｂから主制御基板に各種コマンドをシリアルデータとして送信する。主制御基板は、払出制御基板９５１からの各種コマンドをシリアルデータとして正常受信完了すると、その旨を伝える信号（主払ＡＣＫ信号）を払出制御基板９５１に出力する。この信号（主払ＡＣＫ信号）が払出制御入力回路９５４ｂを介して払出制御ＭＰＵ９５４ａの所定の入力ポートの入力端子に入力されるようになっている。
【０２２２】
また、払出制御ＭＰＵ９５４ａは、その所定の出力ポートの出力端子から、払出装置８３０の払出モータ８３９を駆動するための駆動信号をリセット機能付き払出制御出力回路９５４ｃａに出力することにより、リセット機能付き払出制御出力回路９５４ｃａから駆動信号を払出モータ駆動回路９５４ｄに出力し、払出モータ駆動回路９５４ｄから駆動信号を払出モータ８３９に出力したり、その所定の出力ポートの出力端子から、パチンコ遊技機１の状態をエラーＬＥＤ表示器９５３に表示するための駆動信号をリセット機能付き払出制御出力回路９５４ｃａに出力することにより、リセット機能付き払出制御出力回路９５４ｃａから駆動信号をエラーＬＥＤ表示器９５３に出力したりする。
【０２２３】
エラーＬＥＤ表示器９５３は、セグメント表示器であり、英数字や図形等を表示してパチンコ遊技機１の状態を表示している。エラーＬＥＤ表示器９５３が表示して報知する内容としては、次のようなものがある。例えば、図形「−」が表示されているときには「正常」である旨を報知し、数字「０」が表示されているときには「接続異常」である旨（具体的には、主制御基板と払出制御基板９５１との基板間において電気的な接続に異常が生じている旨）を報知し、数字「１」が表示されているときには「球切れ」である旨（具体的には、球切れスイッチ８２１からの検出信号に基づいて球誘導ユニット８２０に形成される２条の球誘導通路内に遊技球がない旨）を報知し、数字「２」が表示されているときには「球がみ」である旨（具体的には、回転角スイッチ８４６からの検出信号に基づいて、図５３（ａ），（ｂ）に示した払出装置８３０の屈曲通路８３１ｂ，８３２ｂと球送出空間８３１ｋ，８３２ｋと連通する入り口においてスプロケット８３７と遊技球とがその入り口近傍でかみ合ってスプロケット８３７が回転困難となっている旨）を報知し、数字「３」が表示されているときには「計数スイッチエラー」である旨（具体的には、計数スイッチ８３８からの検出信号に基づいて計数スイッチ８３８に不具合が生じている旨）を報知し、数字「５」が表示されているときには「リトライエラー」である旨（具体的には、払い出し動作のリトライ回数が予め設定された上限値に達した旨）を報知し、数字「６」が表示されているときには「満タン」である旨（具体的には、図示しない満タンスイッチからの検出信号に基づいて扉枠３の満タン球受口５２８へ誘導する下部満タン球経路ユニット８６０に形成される満タン誘導路内が遊技球で満タンである旨）を報知し、数字「７」が表示されているときには「ＣＲ未接続」である旨（払出制御基板９５１からパチンコ遊技機１に隣接して遊技ホールのパチンコ島設備に設置される図示しないＣＲユニットまでに亘るいずれかにおいて電気的な接続が切断されている旨）を報知し、数字「９」が表示されているときには「ストック中」である旨（具体的には、まだ払い出していない遊技球の球数が予め定めた球数に達している旨）を報知している。
【０２２４】
また、払出制御ＭＰＵ９５４ａは、その所定の出力ポートの出力端子から、実際に払い出した遊技球の球数等をリセット機能付き払出制御出力回路９５４ｃａに出力することにより、リセット機能付き払出制御出力回路９５４ｃａから図示しない抵抗を介して遊技ホールに設置されるホールコンピュータと電気的に接続される図示しない外部端子板に、実際に払い出した遊技球の球数等を出力したりする。
【０２２５】
また、払出制御基板９５１は、主制御基板からの遊技に関する各種情報（遊技情報）を図示しない抵抗を介して遊技ホールに設置されるホールコンピュータと電気的に接続される図示しない外部端子板に出力している。この外部端子板は、図示しない複数のフォトカプラ（赤外ＬＥＤとフォトＩＣとが内蔵されて構成されている。）が設けられており、これらの複数のフォトカプラを介して、遊技ホールに設置されたホールコンピュータに遊技球の球数等及び各種情報（遊技情報）をそれぞれ伝えるようになっている。外部端子板とホールコンピュータとは、複数のフォトカプラにより電気的に絶縁された状態となっており、パチンコ遊技機１の外部端子板を経由してホールコンピュータへ異常な電圧が印加されてホールコンピュータが誤動作したり故障したりしないようになっているし、ホールコンピュータからパチンコ遊技機１の外部端子板を経由して遊技を進行する主制御基板や払出等を制御する払出制御基板９５１に異常な電圧が印加されて誤動作したり故障したりしなしようになっている。ホールコンピュータは、パチンコ遊技機１が払い出した遊技球の球数等やパチンコ遊技機１の遊技情報を把握することにより遊技者の遊技を監視している。
【０２２６】
図１２に示した貸球操作ユニット３３０の球貸ボタン３３１からの遊技球の球貸要求信号、及び返却ボタン３３３からのプリペイドカードの返却要求信号は、パチンコ遊技機１に隣接して遊技ホールのパチンコ島設備に設置される図示しないＣＲユニットに入力されるようになっている。ＣＲユニットは、球貸要求信号に従って貸し出す遊技球の球数を指定した信号を、払出制御基板９５１にシリアル方式で送信し、この信号がＣＲユニット入出力回路９５４ｅを介して払出制御ＭＰＵ９５４ａの所定の入力ポートの入力端子に入力されるようになっている。また、ＣＲユニットは、貸し出した遊技球の球数に応じて挿入されたプリペイドカードの残度を更新するとともに、その残度を貸球操作ユニット３３０の表示部３３４に表示するための信号を出力し、この信号が表示部３３４に入力されるようになっている。また、表示部３３４の近傍に配置される図示しないＣＲユニットランプは、ＣＲユニットからの供給電圧が供給されることにより発光するようになっている。
【０２２７】
なお、払出制御基板９５１や主制御基板等に各種電圧を供給する電源基板９３１は、電源遮断時にでも所定時間、払出制御基板９５１と主制御基板とに電力を供給するためのバックアップ電源としてのキャパシタをそれぞれ備えている。払出制御基板９５１用のキャパシタにより払出制御ＭＰＵ９５４ａは、電源遮断時にでも電源断時処理において各種情報を払出制御内蔵ＲＡＭに記憶することができるようになっている。また、主制御基板用のキャパシタにより主制御基板に実装されるマイクロプロセッサ（以下、「主制御ＭＰＵ」と記載する。）は、電源遮断時にでも電源断時処理において各種情報を主制御ＭＰＵに内蔵されるＲＡＭ（以下、「主制御内蔵ＲＡＭ」と記載する。）に記憶することができるようになっている。払出制御内蔵ＲＡＭに記憶される各種情報は、電源投入時から予め定めた期間内に操作スイッチ９５２が操作されると、その操作信号が払出制御入力回路９５４ｂを介して、払出制御ＭＰＵ９５４ａの所定の入力ポートの入力端子に入力され、払出制御ＭＰＵ９５４ａは払出制御内蔵ＲＡＭに記憶された情報を完全に消去するためのＲＡＭクリア信号として判断し、これを契機として、払出制御ＭＰＵ９５４ａによって払出制御内蔵ＲＡＭから完全に消去（クリア）されるようになっている。この操作信号（ＲＡＭクリア信号）は、リセット機能なし払出制御出力回路９５４ｃｂに出力され、リセット機能なし払出制御出力回路９５４ｃｂから主制御基板に出力される。電源投入時から予め定めた期間内に操作スイッチ９５２が操作されると、この操作信号が払出制御基板９５１を介して主出制御ＭＰＵの所定の入力ポートの入力端子に入力されると、主制御ＭＰＵは、主制御内蔵ＲＡＭに記憶された情報を完全に消去するためのＲＡＭクリア信号として判断し、これを契機として、主制御ＭＰＵによって主制御内蔵ＲＡＭから完全に消去（クリア）されるようになっている。
【０２２８】
［６−２．払出モータ駆動回路］
次に、図４８に示した払出装置８３０の払出モータ８３９に駆動信号を出力するための払出モータ駆動回路９５４ｄについて説明する。払出モータ駆動回路９５４ｄは、図５６に示すように、電圧切替回路９５４ｄａ、ドライブＩＣＰＩＣ６０を主として構成されている。電圧切替回路９５４ｄａの電源入力端子１，２は、電源基板９３１において作成される＋１２Ｖの直流電源が供給される＋１２Ｖ電源ラインと、電源基板９３１において作成される＋５Ｖの直流電源が供給される＋５Ｖ電源ラインと、がそれぞれ電気的に接続され、＋１２Ｖと＋５Ｖとがそれぞれ印加されている。電圧切替回路９５４ｄａの接地端子は、グランド（ＧＮＤ）と接地されている。電圧切替回路９５４ｄａの電源切替入力端子は、電圧切替信号が入力される。この電圧切替信号は、払出制御ＭＰＵ９５４ａの所定の出力ポートの出力端子からリセット機能付き払出制御出力回路９５４ｃａに出力され、リセット機能付き払出制御出力回路９５４ｃａから電圧切替回路９５４ｄａの電源切替入力端子に出力されるようになっている。電圧切替回路９５４ｄａの電源出力端子は、ツェナーダイオードＰＺＤ６０を介して、ドライブＩＣＰＩＣ６０のカソード端子である３番端子及び１０番端子とそれぞれ電気的に接続されるとともに、払出モータ８３９の電源端子と電気的に接続され、電圧切替回路９５４ｄａの電圧切替入端子に入力される電圧切替信号に基づいて、＋１２Ｖ又は＋５Ｖを、モータ駆動電圧として、ツェナーダイオードＰＺＤ６０を介して、ドライブＩＣＰＩＣ６０のカソード端子である３番端子及び１０番端子にそれぞれ供給するとともに、払出モータ８３９に供給する。なお、＋１２Ｖをモータ駆動電圧として払出モータ８３９に供給する場合と、＋５Ｖをモータ駆動電圧として払出モータ８３９に供給する場合と、を切り替える制御を行う点についての詳細な説明を後述する。
【０２２９】
ドライブＩＣＰＩＣ６０は、４つのダーリントンパワートランジスタを備えており、本実施形態では、ドライブＩＣＰＩＣ６０のエミッタ端子である６番端子及び７番端子は、それぞれグランド（ＧＮＤ）と接地され、ドライブＩＣＰＩＣ６０のベース端子である１番端子、５番端子、８番端子、そして１２番端子は、払出モータ駆動信号が抵抗ＰＲ６０〜ＰＲ６３を介してそれぞれ入力される。ドライブＩＣＰＩＣ６０のコレクタ端子である２番端子、４番端子、９番端子、そして１１番端子は、ドライブＩＣＰＩＣ６０のベース端子である１番端子、５番端子、８番端子、そして１２番端子とそれぞれ対応しており、ドライブＩＣＰＩＣ６０のベース端子である１番端子、５番端子、８番端子、そして１２番端子に払出モータ駆動信号が抵抗ＰＲ６０〜ＰＲ６３を介してそれぞれ入力されると、励磁信号である駆動パルスを払出モータ８３９と対応する各相（／Ｂ相、Ｂ相、Ａ相、／Ａ相）にそれぞれ出力する。この払出モータ駆動信号は、払出制御ＭＰＵ９５４ａの所定の出力ポートの出力端子からリセット機能付き払出制御出力回路９５４ｃａに出力され、リセット機能付き払出制御出力回路９５４ｃａから抵抗ＰＲ６０〜ＰＲ６３を介してドライブＩＣＰＩＣ６０のベース端子である１番端子、５番端子、８番端子、そして１２番端子にそれぞれ出力されるようになっている。これらの駆動パルスは、払出モータ８３９の各相（／Ｂ相、Ｂ相、Ａ相、／Ａ相）に流す励磁電流のスイッチングにより行われ、払出モータ８３９を回転させる。なお、このスイッチングにより各相（／Ｂ相、Ｂ相、Ａ相、／Ａ相）の駆動パルス（励磁信号）を遮断したときには逆起電力が発生する。この逆起電力がドライブＩＣＰＩＣ６０の耐圧を超えると、ドライブＩＣＰＩＣ６０が破損するため、保護として、ドライブＩＣＰＩＣ６０のカソード端子である３番端子及び１０番端子の前段に上述したツェナーダイオードＰＺＤ６０を電気的に接続する回路構成を採用した。
【０２３０】
［６−３．払出モータへの駆動電圧の切替回路］
次に、払出装置８３０の払出モータ８３９のモータ駆動電圧の切替回路について説明する。本実施形態では、上述したように、払出モータ８３９として、遊技盤５の各種可動体を作動させるために設けられる小型のステッピングモータと同一のものを用いている。この小型のステッピングモータは、その円筒状本体の外径は２０ｍｍであり、長さは１８．９ｍｍという寸法距離を有した極めて小型のものである。このような小型のステッピングモータである払出モータ８３９では、無励磁状態において、つまり払出モータ８３９の各相（／Ｂ相、Ｂ相、Ａ相、／Ａ相）に電圧が全く印加されていない状態においては、極めて小さいトルクで出力軸８３９ａを回転させることができる（各相のうち、一の相から次の相へ回転させるごとに、カクカクと出力軸８３９ａを回転させることができる）。
【０２３１】
払出モータ８３９の出力軸８３９ａには、上述したように、賞球モータギヤ８４０が固着されており、出力軸８３９ａに固着される賞球モータギヤ８４０が回転することにより、この回転が賞球中間ギヤ８４１、そして検出円盤８４２の賞球スプロケットギヤ８４４を介してスプロケット８３７を回転するように伝達される。つまり、払出モータ８３９が無励磁状態においては、払出モータ８３９の各相（／Ｂ相、Ｂ相、Ａ相、／Ａ相）に電圧が印加されず電流が流れない状態となると、極めて小さいトルクで出力軸８３９ａを回転させることができる状態となる。このため、例えば、賞球表箱８３１に形成される屈曲通路８３１ｂを通る複数の遊技球の自重がスプロケット８３７に形成される凹部８３７ａに負荷されることにより、この負荷がスプロケット８３７を回転させる方向へ働いてトルクを発生させ、このトルクによって払出モータ８３９の出力軸８３９ａが回転させられることとなる。これを防止するために、払出モータ８３９の出力軸８３９ａを回転させていない状態においても、払出モータ８３９の静止トルクを得るために、払出モータ８３９の各相（／Ｂ相、Ｂ相、Ａ相、／Ａ相）に電圧を印加して電流を流す必要がある。
【０２３２】
払出モータ８３９の静止トルクを得る場合には、予め定めた相（例えば、Ｂ相とＡ相）に対して、常にモータ駆動電圧を印加して電流を流した状態を維持する必要があり、払出モータ８３９の出力軸８３９ａを回転させていないにもかかわらず（換言すると、遊技者に賞球として遊技球を払い出す動作を行っていない状態であるにもかかわらず）、払出モータ８３９の出力軸８３９ａを回転させているときと同様に電力を消費することとなる。
【０２３３】
このため、モータ駆動電圧として常に低い電圧（例えば、＋５Ｖ）とすると、電力の消費を抑えることができるものの、これでは、払出モータ８３９の駆動トルクが小さくなることにより、例えば、賞球表箱８３１に形成される屈曲通路８３１ｂを通る複数の遊技球の自重がスプロケット８３７に形成される凹部８３７ａに負荷されることにより、この負荷がスプロケット８３７を回転させる方向へ働いて、これにより発生するトルクに払出モータ８３９の駆動トルクが負けるため、スプロケット８３７を回転させることができずに、払出モータ８３９が脱調することとなるという問題がある。これに対して、モータ駆動電圧として常に高い電圧（例えば、＋１２Ｖ）とすると、払出モータ８３９の駆動トルクが大きくなることにより、上述したような脱調が生ずることがなく（つまり、上述した例では、賞球表箱８３１に形成される屈曲通路８３１ｂを通る複数の遊技球の自重がスプロケット８３７に形成される凹部８３７ａに負荷されることにより、この負荷がスプロケット８３７を回転させる方向へ働いても、これにより発生するトルクに払出モータ８３９の駆動トルクが勝るため）、払出モータの出力軸８３９ａの回転をスプロケット８３７へ伝達させてスプロケット８３７をスムーズに回転させることができるものの、これでは、電力の消費を抑えることができないという問題がある。
【０２３４】
そこで、本実施形態では、払出制御基板９５１における払出モータ駆動回路９５４ｄに電圧切替回路９５４ｄａを設けるとともに、払出モータ８３９の出力軸８３９ａを回転駆動して遊技球を払い出すための駆動トルクを得る場合には、払出制御ＭＰＵ９５４ａが電圧切替信号の論理（例えば、ＨＩ）に設定して電圧切替回路９５４ｄａに出力することでモータ駆動電圧として＋１２Ｖを払出モータ８３９に供給する制御を行う一方、払出モータ８３９の出力軸８３９ａを停止させた状態を維持するための静止トルクを得る場合には、払出制御ＭＰＵ９５４ａが電圧切替信号の論理（例えば、ＬＯＷ）に設定して電圧切替回路９５４ｄａに出力することでモータ駆動電圧として＋５Ｖを払出モータ８３９に供給する制御を行うようになっている。
【０２３５】
これにより、払出モータ８３９の出力軸８３９ａを停止させた状態を維持するための静止トルクを得る場合には、モータ駆動電圧として＋１２Ｖより極めて小さい＋５Ｖを払出モータ８３９に供給するようになっているため、払出モータ８３９の出力軸８３９ａを停止させた状態における電力の消費の抑制に寄与することができる。また、払出モータ８３９の発熱を小さく抑えることができることによりパチンコ島設備内の温度上昇を防止することに寄与することもできる。
【０２３６】
［６−４．払出モータへの駆動電圧の切替タイミング］
次に、払出装置８３０の払出モータ８３９のモータ駆動電圧の切替タイミングについて説明する。払出制御基板９５１の払出制御ＭＰＵ９５４ａは、上述したように、払出モータ８３９の出力軸８３９ａを回転駆動して遊技球を払い出すための駆動トルクを得る場合には、電圧切替信号の論理（例えば、ＨＩ）に設定して電圧切替回路９５４ｄａに出力することでモータ駆動電圧として＋１２Ｖを払出モータ８３９に供給する制御を行う一方、払出モータ８３９の出力軸８３９ａを停止させた状態を維持するための静止トルクを得る場合には、電圧切替信号の論理（例えば、ＬＯＷ）に設定して電圧切替回路９５４ｄａに出力することでモータ駆動電圧として＋５Ｖを払出モータ８３９に供給する制御を行うようになっている。
【０２３７】
払出モータ８３９の出力軸８３９ａが回転すると、上述したように、出力軸８３９ａに固着される賞球モータギヤ８４０が回転することにより、この回転が賞球中間ギヤ８４１、そして検出円盤８４２の賞球スプロケットギヤ８４４を介してスプロケット８３７を回転するように伝達される。スプロケット８３７の外周部には、上述したように、賞球表箱８３１に形成される球送出空間８３１ｋにおいて、遊技球が嵌り合う３つの凹部８３７ａが１２０度ごとに等分されて形成されるとともに、賞球裏箱８３２に形成される球送出空間８３２ｋにおいて、遊技球が嵌り合う３つの凹部８３７ｂが１２０度ごとに等分されて形成され、賞球表箱８３１に形成される球送出空間８３１ｋに配置されるスプロケット８３７の３つの凹部８３７ａと、賞球裏箱８３２に形成される球送出空間８３２ｋに配置されるスプロケット８３７の３つの凹部８３７ｂと、は相互に６０度ずつズレて配置されている。スプロケット８３７が１回転するごとに、それぞれ３つの凹部８３７ａ，８３７ｂで受け入れた遊技球を最大で６球の遊技球を下流側へ送り出すことができる。
【０２３８】
賞球表箱８３１に形成される球送出空間８３１ｋに配置されるスプロケット８３７の３つの凹部８３７ａで受け入れた遊技球は、賞球通路８３１ｃへ送り出されて、上述したように、計数スイッチ８３８により検出される。賞球裏箱８３２に形成される球送出空間８３２ｋに配置されるスプロケット８３７の３つの凹部８３７ｂで受け入れた遊技球は、賞球通路８３２ｃへ送り出されて、上述したように、計数スイッチ８３８により検出される。
【０２３９】
払出制御ＭＰＵ９５４ａは、電圧切替信号の論理（例えば、ＨＩ）に設定して電圧切替回路９５４ｄａに出力することでモータ駆動電圧として＋１２Ｖを払出モータ８３９に供給する制御を行うことにより払出モータ８３９の出力軸８３９ａを回転駆動してスプロケット８３７を回転させて遊技球を払い出している場合であって、払出モータ８３９の出力軸８３９ａを停止させるときには、払出モータ８３９の出力軸８３９ａを回転駆動してスプロケット８３７の凹部８３７ａ，８３７ｂにおいて受け入れた遊技球を賞球通路８３１ｃ，８３２ｃへ最後に送り出した後、この最後に送り出した遊技球が賞球通路８３１ｃ，８３２ｃを通って計数スイッチ８３８により検出されるまでに要する時間（予め設定された時間であって、例えば、数百ミリ秒に設定されている。）が経過するまで払出モータ８３９の出力軸８３９ａを回転駆動し続け、この時間が経過すると、払出モータ８３９の出力軸８３９ａの回転駆動を停止して払出モータ８３９の出力軸８３９ａを停止させ、これを契機として、電圧切替信号の論理を切り替えるために（例えば、ＨＩからＬＯＷへ切り替えるために）、この電圧切替信号の論理（例えば、ＬＯＷ）を設定して電圧切替回路９５４ｄａに出力することでモータ駆動電圧として＋５Ｖを払出モータ８３９に供給する制御を行うことにより、払出モータ８３９に静止トルクを発生させて払出モータ８３９の出力軸８３９ａを停止させた状態を維持している。
【０２４０】
具体的には、例えば、遊技者が図７に示したハンドルレバー５０４を回転操作すると、図７に示した球発射装置６８０によってハンドルレバー５０４の回転角度に応じた強さで遊技球が図７に示した遊技盤５の遊技領域５ａ内へ打込まれる。そして、遊技領域５ａ内に打込まれた遊技球が、図示しない入賞口に受入れられると、受入れられた入賞口に応じて、所定数の遊技球が払出装置８３０によって上皿２０１に払出される。入賞口として始動入賞口に遊技球が受入れられると、賞球として遊技球を３球だけ払出装置８３０によって上皿２０１に払出すためのコマンド（賞球コマンド）が遊技盤５に備える遊技の進行を制御する図示しない主制御基板から払出制御基板９５１へ送信される。払出制御基板９５１の払出制御ＭＰＵ９５４ａは、電圧切替信号の論理（例えば、ＨＩ）に設定して電圧切替回路９５４ｄａに出力することでモータ駆動電圧として＋１２Ｖを払出モータ８３９に供給する制御を行うことにより払出モータ８３９の出力軸８３９ａを回転駆動してスプロケット８３７を回転させて、１球目の遊技球、２球目の遊技球、そして最後に３球目の遊技球を１球ずつスプロケット８３７の凹部８３７ａ，８３７ｂにおいて受け入れた遊技球を賞球通路８３１ｃ，８３２ｃへ送り出した後、この最後に送り出した３番目の遊技球が賞球通路８３１ｃ，８３２ｃを通って計数スイッチ８３８により検出されるまでに要する時間（予め設定された時間であって、例えば、数百ミリ秒に設定されている。）が経過するまで払出モータ８３９の出力軸８３９ａを回転駆動し続け、この時間が経過すると、払出モータ８３９の出力軸８３９ａの回転駆動を停止して払出モータ８３９の出力軸８３９ａを停止させ、これを契機として、電圧切替信号の論理を切り替えるために（例えば、ＨＩからＬＯＷへ切り替えるために）、この電圧切替信号の論理（例えば、ＬＯＷ）を設定して電圧切替回路９５４ｄａに出力することでモータ駆動電圧として＋５Ｖを払出モータ８３９に供給する制御を行うことにより、払出モータ８３９に静止トルクを発生させて払出モータ８３９の出力軸８３９ａを停止させた状態を維持している。
【０２４１】
また、払出制御基板９５１の払出制御ＭＰＵ９５４ａは、上述したように、スプロケット８３７の回転位置を定位置に停止させる場合には、回転角スイッチ８４６からの検出信号に基づいて、検出切欠８４２ｂを検出すると、払出モータ８３９の出力軸８３９ａを予め定めた回転角度だけ回転させた後に、駆動停止した状態を維持することによりスプロケット８３７を定位置で待機する状態を維持するようになっている。つまり、払出制御ＭＰＵ９５４ａは、スプロケット８３７の回転位置を定位置に停止させる場合には、回転角スイッチ８４６からの検出信号に基づいて、検出切欠８４２ｂを検出すると、払出モータ８３９の出力軸８３９ａを予め定めた回転角度だけ回転させているが、この「予め定めた回転角度」とは、電圧切替信号の論理（例えば、ＨＩ）に設定して電圧切替回路９５４ｄａに出力することでモータ駆動電圧として＋１２Ｖを払出モータ８３９に供給する制御を行うことにより払出モータ８３９の出力軸８３９ａを回転駆動してスプロケット８３７を回転させて遊技球を払い出している場合であって、払出モータ８３９の出力軸８３９ａを停止させる際に、払出モータ８３９の出力軸８３９ａを回転駆動してスプロケット８３７の凹部８３７ａ，８３７ｂにおいて受け入れた遊技球を賞球通路８３１ｃ，８３２ｃへ最後に送り出した後に、この最後に送り出した遊技球が賞球通路８３１ｃ，８３２ｃを通って計数スイッチ８３８により検出されるまでに要する時間（予め設定された時間であって、例えば、数百ミリ秒に設定されている。）が経過するまで払出モータ８３９の出力軸８３９ａを回転駆動し続け、そして、この時間が経過すると、払出モータ８３９の出力軸８３９ａの回転駆動を停止して払出モータ８３９の出力軸８３９ａを停止させるまでに亘ってスプロケット８３７を回転させた回転角度に相当する。
【０２４２】
以上説明した本実施形態のパチンコ遊技機１によれば、遊技球を払い出す小型のモータである図４８の払出モータ８３９の出力軸の回転による払出制御を行う、図４の払出制御基板ボックス９５０に収容された払出制御基板９５１を備えている。このパチンコ遊技機１では、さらに、図４８の計数スイッチ８３８と、図５６の払出モータ駆動回路９５４ｄにおける電圧切替回路９５４ｄａと、を備えている。計数スイッチ８３８は、小型のモータである払出モータ８３９の出力軸８３９ａが回転されて払い出された遊技球を検出することができるものである。電圧切替回路９５４ｄａは、小型のモータである払出モータ８３９の出力軸８３９ａを回転駆動するための駆動用電圧としての＋１２Ｖと、小型のモータである払出モータ８３９の出力軸８３９ａを停止させた状態を維持するための電圧であって駆動用電圧と比べて電圧が低い停止用電圧としての＋５Ｖと、を相互に切り替えることができるものである。
【０２４３】
払出制御基板９５１は、小型のモータである払出モータ８３９の出力軸８３９ａを回転駆動して遊技球を払い出すための駆動トルクを得る場合には駆動用電圧としての＋１２Ｖを小型のモータである払出モータ８３９へ供給するために電圧切替回路９５４ｄａへ制御信号である電圧切替信号を出力する一方、小型のモータである払出モータ８３９の出力軸８３９ａを停止させた状態を維持するための静止トルクを得る場合には停止用電圧としての＋５Ｖを小型のモータである払出モータ８３９へ供給するために電圧切替回路９５４ｄａへ制御信号である電圧切替信号を出力するようになっている。
【０２４４】
具体的には、払出モータ８３９の出力軸８３９ａを回転駆動して遊技球を払い出すための駆動トルクを得る場合には、払出制御ＭＰＵ９５４ａが電圧切替信号の論理（例えば、ＨＩ）に設定して電圧切替回路９５４ｄａに出力することでモータ駆動電圧として＋１２Ｖを払出モータ８３９に供給する制御を行う一方、払出モータ８３９の出力軸８３９ａを停止させた状態を維持するための静止トルクを得る場合には、払出制御ＭＰＵ９５４ａが電圧切替信号の論理（例えば、ＬＯＷ）に設定して電圧切替回路９５４ｄａに出力することでモータ駆動電圧として＋５Ｖを払出モータ８３９に供給する制御を行うようになっている。
【０２４５】
また、払出制御基板９５１は、電圧切替回路９５４ｄａへ制御信号を出力して駆動用電圧としての＋１２Ｖを小型のモータである払出モータ８３９へ供給して小型のモータである払出モータ８３９の出力軸８３９ａを回転駆動して遊技球を払い出している場合であって、小型のモータである払出モータ８３９の出力軸８３９ａを停止させるときには、小型のモータである払出モータ８３９の出力軸８３９ａを回転駆動して最後に払い出した遊技球が計数スイッチ８３８により検出されるまでに要する時間が経過するまで小型のモータである払出モータ８３９の出力軸８３９ａを回転駆動し続け、この時間が経過すると、これを契機として、電圧切替回路９５４ｄａへ制御信号を出力して駆動用電圧としての＋１２Ｖから停止用電圧としての＋５Ｖへ切り替えて小型のモータである払出モータ８３９へ供給するようになっている。
【０２４６】
具体的には、払出制御ＭＰＵ９５４ａは、電圧切替信号の論理（例えば、ＨＩ）に設定して電圧切替回路９５４ｄａに出力することでモータ駆動電圧として＋１２Ｖを払出モータ８３９に供給する制御を行うことにより払出モータ８３９の出力軸８３９ａを回転駆動してスプロケット８３７を回転させて遊技球を払い出している場合であって、払出モータ８３９の出力軸８３９ａを停止させるときには、払出モータ８３９の出力軸８３９ａを回転駆動してスプロケット８３７の凹部８３７ａ，８３７ｂにおいて受け入れた遊技球を賞球通路８３１ｃ，８３２ｃへ最後に送り出した後（例えば、遊技者が図７に示したハンドルレバー５０４を回転操作すると、図７に示した球発射装置６８０によってハンドルレバー５０４の回転角度に応じた強さで遊技球が図７に示した遊技盤５の遊技領域５ａ内へ打込まれる。そして、遊技領域５ａ内に打込まれた遊技球が、図示しない入賞口に受入れられると、受入れられた入賞口に応じて、所定数の遊技球が払出装置８３０によって上皿２０１に払出される。入賞口として始動入賞口に遊技球が受入れられると、賞球として遊技球を３球だけ払出装置８３０によって上皿２０１に払出すためのコマンド（賞球コマンド）が遊技盤５に備える遊技の進行を制御する図示しない主制御基板から払出制御基板９５１へ送信される。払出制御基板９５１の払出制御ＭＰＵ９５４ａは、電圧切替信号の論理（例えば、ＨＩ）に設定して電圧切替回路９５４ｄａに出力することでモータ駆動電圧として＋１２Ｖを払出モータ８３９に供給する制御を行うことにより払出モータ８３９の出力軸８３９ａを回転駆動してスプロケット８３７を回転させて、１球目の遊技球、２球目の遊技球、そして最後に３球目の遊技球を１球ずつスプロケット８３７の凹部８３７ａ，８３７ｂにおいて受け入れた遊技球を賞球通路８３１ｃ，８３２ｃへ送り出した後）、この最後に送り出した遊技球（上述した例において、賞球として遊技球を３球だけ払出す場合には、最後に送り出した遊技球は３番目の遊技球）が賞球通路８３１ｃ，８３２ｃを通って計数スイッチ８３８により検出されるまでに要する時間（予め設定された時間であって、例えば、数百ミリ秒に設定されている。）が経過するまで払出モータ８３９の出力軸８３９ａを回転駆動し続け、この時間が経過すると、払出モータ８３９の出力軸８３９ａの回転駆動を停止して払出モータ８３９の出力軸８３９ａを停止させ、これを契機として、電圧切替信号の論理を切り替えるために（例えば、ＨＩからＬＯＷへ切り替えるために）、この電圧切替信号の論理（例えば、ＬＯＷ）を設定して電圧切替回路９５４ｄａに出力することでモータ駆動電圧として＋５Ｖを払出モータ８３９に供給する制御を行うことにより、払出モータ８３９に静止トルクを発生させて払出モータ８３９の出力軸８３９ａを停止させた状態を維持している。
【０２４７】
このように、電圧切替回路９５４ｄａに入力される制御信号（具体的には、電圧切替信号の論理）に基づいて、駆動用電圧として＋１２Ｖを小型のモータである払出モータ８３９へ供給することによって小型のモータである払出モータ８３９の出力軸８３９ａを回転駆動して遊技球を払い出すための駆動トルクを得ることができるとともに、停止用電圧として＋５Ｖを小型のモータである払出モータ８３９へ供給することによって小型のモータである払出モータ８３９の出力軸８３９ａを停止させた状態を維持するための静止トルクを得ることができるようになっている。そして、電圧切替回路９５４ｄａへ制御信号（具体的には、電圧切替信号の論理）を出力して駆動用電圧として＋１２Ｖを小型のモータである払出モータ８３９へ供給して小型のモータである払出モータ８３９の出力軸８３９ａを回転駆動して遊技球を払い出している場合であって、小型のモータである払出モータ８３９の出力軸８３９ａを停止させるときには、小型のモータである払出モータ８３９の出力軸８３９ａを回転駆動して最後に払い出した遊技球が計数スイッチ８３８により検出されるまでに要する時間が経過するまで小型のモータである払出モータ８３９の出力軸８３９ａを回転駆動し続け、この時間が経過すると、これを契機として、電圧切替回路９５４ｄａへ制御信号（具体的には、電圧切替信号の論理）を出力して駆動用電圧として＋１２Ｖから停止用電圧として＋５Ｖへ切り替えて小型のモータである払出モータ８３９へ供給するようになっている。したがって、払出モータ８３９として小型のモータを採用することができる。また、払出モータ８３９として遊技盤５に備える可動体を作動させる小型のモータと同一種類のものを採用することにより遊技機のコストを抑えることに寄与することもできる。
【０２４８】
また、以上説明した本実施形態のパチンコ遊技機１によれば、遊技球を払い出す小型のモータである図４８の払出モータ８３９の出力軸の回転による払出制御を行う、図４の払出制御基板ボックス９５０に収容された払出制御基板９５１を備えている。このパチンコ遊技機１では、さらに、図５６の払出モータ駆動回路９５４ｄにおける電圧切替回路９５４ｄａを備えている。この電圧切替回路９５４ｄａは、小型のモータである払出モータ８３９の出力軸８３９ａを回転駆動するための駆動用電圧としての＋１２Ｖと、小型のモータである払出モータ８３９の出力軸８３９ａを停止させた状態を維持するための電圧であって駆動用電圧と比べて電圧が低い停止用電圧としての＋５Ｖと、を相互に切り替えることができるものである。
【０２４９】
払出制御基板９５１は、小型のモータである払出モータ８３９の出力軸８３９ａを回転駆動して遊技球を払い出すための駆動トルクを得る場合には駆動用電圧としての＋１２Ｖを小型のモータである払出モータ８３９へ供給するために電圧切替回路９５４ｄａへ制御信号である電圧切替信号を出力する一方、小型のモータである払出モータ８３９の出力軸８３９ａを停止させた状態を維持するための静止トルクを得る場合には停止用電圧としての＋５Ｖを小型のモータである払出モータ８３９へ供給するために電圧切替回路９５４ｄａへ制御信号である電圧切替信号を出力するようになっている。
【０２５０】
具体的には、払出モータ８３９の出力軸８３９ａを回転駆動して遊技球を払い出すための駆動トルクを得る場合には、払出制御ＭＰＵ９５４ａが電圧切替信号の論理（例えば、ＨＩ）に設定して電圧切替回路９５４ｄａに出力することでモータ駆動電圧として＋１２Ｖを払出モータ８３９に供給する制御を行う一方、払出モータ８３９の出力軸８３９ａを停止させた状態を維持するための静止トルクを得る場合には、払出制御ＭＰＵ９５４ａが電圧切替信号の論理（例えば、ＬＯＷ）に設定して電圧切替回路９５４ｄａに出力することでモータ駆動電圧として＋５Ｖを払出モータ８３９に供給する制御を行うようになっている。
【０２５１】
このように、電圧切替回路９５４ｄａに入力される制御信号（具体的には、電圧切替信号の論理）に基づいて、駆動用電圧として＋１２Ｖを小型のモータである払出モータ８３９へ供給することによって小型のモータである払出モータ８３９の出力軸８３９ａを回転駆動して遊技球を払い出すための駆動トルクを得ることができるとともに、停止用電圧として＋５Ｖを小型のモータである払出モータ８３９へ供給することによって小型のモータである払出モータ８３９の出力軸８３９ａを停止させた状態を維持するための静止トルクを得ることができるようになっている。したがって、払出モータ８３９として小型のモータを採用することができる。また、払出モータ８３９として遊技盤５に備える可動体を作動させる小型のモータと同一種類のものを採用することにより遊技機のコストを抑えることに寄与することもできる。
【０２５２】
因みに、従来より、待機位置と作動位置との間を往復移動する可動体をモータにより作動させる遊技機が提案されている（例えば、特開２０１０−１１９６７０号公報（段落［００５６］、図１２、及び図１３））。
【０２５３】
ところで、最近の遊技機では、複数の可動体を遊技盤に備えることにより各可動体を作動させることで可動体による迫力ある演出を遊技者に提供している。このため、最近の遊技機では、各可動体を作動させるモータも遊技盤に複数設ける必要があり、遊技盤の奥行き方向の距離寸法が大きくならないように小型のモータを採用するとともに、各小型のモータを同一種類に統一することでコストを抑えている。
【０２５４】
遊技盤のほかに、例えば遊技球を払い出す払出装置にも払出モータが備えられている。払出モータは、その出力軸の回転が賞球として遊技者に遊技球を払い出すスプロケットに伝達されるようになっており、払出制御基板（払出制御手段）により制御されている。スプロケットを回転停止させる制御が払出制御基板（払出制御手段）により行われている状態においては、スプロケットで受け止めた遊技球に後続の遊技球が連なることにより遊技球の自重による負荷がスプロケットに付与された状態が維持されることとなる。
【０２５５】
ところが、払出モータとして小型のモータを採用すると、小型のモータの静止トルクが極めて小さいため、スプロケットを回転停止させる制御が払出制御基板（払出制御手段）により行われている状態であっても、遊技球の自重によるスプロケットへの負荷が小型のモータの静止トルクを超えると、スプロケットが遊技球の自重による負荷により回転するおそれがあった。このため、従来より遊技機においては、払出モータとして静止トルクが大きい大型のモータを採用する必要があり、小型のモータを採用することが極めて困難であった。
【０２５６】
そこで、本実施形態においては、このような事情に鑑みてなされたものであり、その目的とするところは、払出モータとして小型のモータを採用することができるようにもなっている。
【０２５７】
具体的に説明すると、以上説明した本実施形態のパチンコ遊技機１によれば、遊技球を払い出す図４の払出装置８３０の払出制御を行う、図４の払出制御基板ボックス９５０に収容された払出制御基板９５１を備えている。払出装置８３０は、前方に形成される球通路としての図５１（ａ），（ｂ）の一対の屈曲通路壁８３１ａによって球通路を構成する屈曲通路８３１ｂと、後方に形成される球通路としての図５２（ａ），（ｂ）の一対の屈曲通路壁８３２ａによって球通路を構成する屈曲通路８３２ｂと、をそれぞれ通る遊技球を払い出すことができる２条に構成されている。
【０２５８】
払出装置８３０は、少なくとも、小型のモータである図４８の払出モータ８３９、図４８のスプロケット８３７を備えている。小型のモータである払出モータ８３９は、電気的駆動源であり、スプロケット８３７は、小型のモータである払出モータ８３９の出力軸８３９ａの回転が伝達されて回転することができるものである。
【０２５９】
スプロケット８３７の外周部には、前方に形成される球通路としての図５１（ａ），（ｂ）の一対の屈曲通路壁８３１ａによって球通路を構成する屈曲通路８３１ｂを通る遊技球を１球受け入れることができる前凹部が一定個数設けられるとともに、後方に形成される球通路としての図５２（ａ），（ｂ）の一対の屈曲通路壁８３２ａによって球通路を構成する屈曲通路８３２ｂを通る遊技球を１球受け入れることができる後凹部が一定個数設けられている。
【０２６０】
具体的には、賞球表箱８３１に形成される球送出空間８３１ｋには、スプロケット８３７が回転自在に配置されている。スプロケット８３７の外周部には、球送出空間８３１ｋにおいて、遊技球が嵌り合う３つの凹部８３７ａが１２０度ごとに等分されて形成されている。また、賞球表箱８３１の後面を覆う賞球裏箱８３２にも球送出空間８３２ｋが形成され、この球送出空間８３２ｋにおいても、スプロケット８３７が回転自在に配置されている。スプロケット８３７の外周部には、球送出空間８３２ｋにおいて、遊技球が嵌り合う３つの凹部８３７ｂが１２０度ごとに等分されて形成されている。つまり、賞球表箱８３１に形成される球送出空間８３１ｋに配置されるスプロケット８３７の３つの凹部８３７ａは、賞球表箱８３１の後面を覆う賞球裏箱８３２に形成される球送出空間８３２ｋに配置されるスプロケット８３７の３つの凹部８３７ｂよりも前側に配置されている。また、賞球表箱８３１に形成される球送出空間８３１ｋに配置されるスプロケット８３７の３つの凹部８３７ａと、賞球裏箱８３２に形成される球送出空間８３２ｋに配置されるスプロケット８３７の３つの凹部８３７ｂと、は相互に６０度ずつズラして配置されている。
【０２６１】
小型のモータである払出モータ８３９が払出制御基板９５１により停止制御された状態においては、スプロケット８３７と前凹部との境界部分である稜線上で、前方に形成される球通路路としての図５１（ａ），（ｂ）の一対の屈曲通路壁８３１ａによって球通路を構成する屈曲通路８３１ｂを通る遊技球を受け止める状態とすることによってその遊技球の自重がスプロケット８３７に一の回転方向へ負荷されるとともに、スプロケット８３７の外周部と後凹部との境界部分である稜線上で、後方に形成される球通路としての図５２（ａ），（ｂ）の一対の屈曲通路壁８３２ａによって球通路を構成する屈曲通路８３２ｂを通る遊技球を受け止める状態とすることによってその遊技球の自重がスプロケット８３７に一の回転方向と反対方向となる他の回転方向へ負荷されるようになっている。
【０２６２】
具体的には、スプロケット８３７が定位置で停止した状態においては、賞球表箱８３１に形成される球送出空間８３１ｋにおいて、図５３（ａ）に示すように、スプロケット８３７の外周部と凹部８３７ａとの境界部分である稜線上で賞球表箱８３１に形成される屈曲通路８３１ｂを通る遊技球を受け止める状態となるとともに、賞球裏箱８３２に形成される球送出空間８３２ｋにおいて、図５３（ｂ）に示すように、スプロケット８３７の外周部と凹部８３７ｂとの境界部分である稜線上で賞球裏箱８３２に形成される屈曲通路８３２ｂを通る遊技球を受け止める状態となるように払出制御基板９５１により制御されている。これにより、図５３（ａ）に示した、スプロケット８３７の外周部と凹部８３７ａとの境界部分である稜線上で賞球表箱８３１に形成される屈曲通路８３１ｂを通る遊技球を受け止める状態とするとともに、賞球裏箱８３２に形成される球送出空間８３２ｋにおいて、図５３（ｂ）に示した、スプロケット８３７の外周部と凹部８３７ｂとの境界部分である稜線上で賞球裏箱８３２に形成される屈曲通路８３２ｂを通る遊技球を受け止める状態とすることにより、スプロケット８３７が定位置に維持されている状態では、賞球表箱８３１に形成される屈曲通路８３１ｂを通る遊技球の自重がスプロケット８３７の外周部と凹部８３７ａとの境界部分である稜線上に対してスプロケット８３７を、払出装置８３０を正面側から見て、時計回りに回転させる方向（図５３（ａ）では、時計回り方向）へ負荷を付与することができる状態となるのに対して、賞球裏箱８３２に形成される屈曲通路８３２ｂを通る遊技球の自重がスプロケット８３７の外周部と凹部８３７ｂとの境界部分である稜線上に対してスプロケット８３７を、払出装置８３０を正面側から見て、反時計回りに回転させる方向（図５３（ｂ）では、時計回り方向）へ負荷を付与することができる状態となる。
【０２６３】
このように、小型のモータである払出モータ８３９が払出制御基板９５１により停止制御された状態においては、スプロケット８３７の外周部と前凹部としての凹部８３７ａとの境界部分である稜線上で前方に形成される球通路としての図５１（ａ），（ｂ）の一対の屈曲通路壁８３１ａによって球通路を構成する屈曲通路８３１ｂを通る遊技球を受け止める状態とすることによってその遊技球の自重がスプロケット８３７に一の回転方向（払出装置８３０を正面側から見て、時計回りに回転させる方向）へ負荷されるとともに、スプロケット８３７の外周部と後凹部としての凹部８３７ｂの境界部分である稜線上で後方に形成される球通路としての図５２（ａ），（ｂ）の一対の屈曲通路壁８３２ａによって球通路を構成する屈曲通路８３２ｂを通る遊技球を受け止める状態とすることによってその遊技球の自重がスプロケット８３７に一の回転方向（払出装置８３０を正面側から見て、時計回りに回転させる方向）と反対方向となる他の回転方向（払出装置８３０を正面側から見て、反時計回りに回転させる方向）へ負荷されるようになっている。これにより、スプロケット８３７は、遊技球の自重によって、一の回転方向（払出装置８３０を正面側から見て、時計回りに回転させる方向）へ負荷されるとともに、一の回転方向（払出装置８３０を正面側から見て、時計回りに回転させる方向）と反対方向となる他の回転方向（払出装置８３０を正面側から見て、反時計回りに回転させる方向）へ負荷されることにより、互いの回転方向への回転がそれぞれ打ち消し合うことができるようになっているため、大型のモータが有する静止トルクと比べて極めて小さい静止トルクを有する小型のモータを払出モータ８３９として採用しても、払出制御基板９５１により払出モータ８３９が停止制御された状態において、スプロケット８３７を停止した状態を維持することができる。したがって、払出モータ８３９として小型のモータを採用することができる。また、払出モータ８３９として、遊技盤５に備える可動体を作動させる小型のモータと同一種類のものを採用することによりパチンコ遊技機１のコストを抑えることに寄与することもできる。
【０２６４】
［７．別例］
なお、本発明は上述した実施形態に何ら限定されるものではなく、本発明の技術的範囲に属する限り種々の態様で実施し得ることはいうまでもない。
【０２６５】
例えば、上述した実施形態では、パチンコ遊技機１を例にとって説明したが、本発明が適用できる遊技機はパチンコ遊技機に限定されるものではなく、パチンコ遊技機以外の遊技機、例えばスロットマシン又はパチンコ遊技機とスロットマシンとを融合させた融合遊技機（遊技球を用いてスロット遊技を行うもの。）などにも適用することができる。
【符号の説明】
【０２６６】
１…パチンコ遊技機（遊技機）、２…外枠、３…扉枠、４…本体枠、５…遊技盤、５ａ…遊技領域、８３０…払出装置、８３１…賞球表箱、８３１ｂ…屈曲通路（前方に形成される球通路）、８３２ｂ…屈曲通路（後方に形成される球通路）、８３２…賞球裏箱、８３３…賞球中仕切板、８３４…賞球球抜きレバー、８３５…賞球ギヤカバー、８３７…スプロケット（スプロケット）、８３７ａ…凹部、８３７ｂ…凹部、８３９…払出モータ（小型のモータ）、８３８…計数スイッチ（球検出部）、９５０…払出制御基板ボックス、９５１…払出制御基板（払出制御手段）、９５４ｄ…払出モータ駆動回路、９５４ｄａ…電圧切替回路（電圧切替制御部）。
【図１】
2018086489.tif 000003
【図２】
2018086489.tif 000004
【図３】
2018086489.tif 000005
【図４】
2018086489.tif 000006
【図５】
2018086489.tif 000007
【図６】
2018086489.tif 000008
【図７】
2018086489.tif 000009
【図８】
2018086489.tif 000010
【図９】
2018086489.tif 000011
【図１０】
2018086489.tif 000012
【図１１】
2018086489.tif 000013
【図１２】
2018086489.tif 000014
【図１３】
2018086489.tif 000015
【図１４】
2018086489.tif 000016
【図１５】
2018086489.tif 000017
【図１６】
2018086489.tif 000018
【図１７】
2018086489.tif 000019
【図１８】
2018086489.tif 000020
【図１９】
2018086489.tif 000021
【図２０】
2018086489.tif 000022
【図２１】
2018086489.tif 000023
【図２２】
2018086489.tif 000024
【図２３】
2018086489.tif 000025
【図２４】
2018086489.tif 000026
【図２５】
2018086489.tif 000027
【図２６】
2018086489.tif 000028
【図２７】
2018086489.tif 000029
【図２８】
2018086489.tif 000030
【図２９】
2018086489.tif 000031
【図３０】
2018086489.tif 000032
【図３１】
2018086489.tif 000033
【図３２】
2018086489.tif 000034
【図３３】
2018086489.tif 000035
【図３４】
2018086489.tif 000036
【図３５】
2018086489.tif 000037
【図３６】
2018086489.tif 000038
【図３７】
2018086489.tif 000039
【図３８】
2018086489.tif 000040
【図３９】
2018086489.tif 000041
【図４０】
2018086489.tif 000042
【図４１】
2018086489.tif 000043
【図４２】
2018086489.tif 000044
【図４３】
2018086489.tif 000045
【図４４】
2018086489.tif 000046
【図４５】
2018086489.tif 000047
【図４６】
2018086489.tif 000048
【図４７】
2018086489.tif 000049
【図４８】
2018086489.tif 000050
【図４９】
2018086489.tif 000051
【図５０】
2018086489.tif 000052
【図５１】
2018086489.tif 000053
【図５２】
2018086489.tif 000054
【図５３】
2018086489.tif 000055
【図５４】
2018086489.tif 000056
【図５５】
2018086489.tif 000057
【図５６】
2018086489.tif 000058